(57)【特許請求の範囲】
【請求項１】
ワイヤレスデバイスのワイヤレス通信の方法であって、前記ワイヤレスデバイスが、局（ＳＴＡ）またはアクセスポイント（ＡＰ）であり、
送信時間期間においてチャネルの帯域幅にわたって延びるリソースユニット（ＲＵ）のセットのうちのＲＵの第１のサブセットを決定することと、前記帯域幅が、複数のトーンを備え、前記複数のトーンが、前記帯域幅の中心部分に位置するいくつかの直流（ＤＣ）トーンと、前記帯域幅の上外側エッジ部分に位置するガードトーンの第１のセットと、前記帯域幅の下外側エッジ部分に位置するガードトーンの第２のセットとを含み、ＲＵの前記第１のサブセットが、ＲＵの前記セットよりも少ないＲＵを含み、ＲＵの前記セットにおける、ＲＵの前記第１のサブセット以外の残りのＲＵが、標準ブロックであり、ＲＵの前記セットの各ＲＵが、少なくとも２６個のトーンを含む、
前記ＲＵの前記第１のサブセット中のデータまたは制御情報のうちの少なくとも１つを通信することとを備え、ＲＵの前記第１のサブセットが、ｘ個のトーンを含み、前記ｘ個のトーンが、前記ＤＣトーンよりも高く、ガードトーンの前記第１のセットよりも低い周波数を有するｘ／２個のトーンの第１のセットを備え、前記ＤＣトーンよりも低く、ガードトーンの前記第２のセットよりも高い周波数を有するｘ／２個のトーンの第２のセットを備え、
ここにおいて、ＲＵの前記第１のサブセットが、センターブロックであり、ｘ／２個のトーンの前記第１のセットが、前記ＤＣトーンに周波数において隣接しており、ｘ／２個のトーンの前記第２のセットが、前記ＤＣトーンに周波数において隣接しているか、または、
ＲＵの前記第１のサブセットが、エッジブロックであり、ｘ／２個のトーンの前記第１のセットが、ガードトーンの前記第１のセットに周波数において隣接しており、ｘ／２個のトーンの前記第２のセットが、ガードトーンの前記第２のセットに周波数において隣接している、方法。
【請求項２】
前記ワイヤレスデバイスがＡＰであり、前記方法は、
前記送信時間期間において前記ガードトーンと前記ＤＣトーンとを除外した前記複数のトーンを、ＲＵの前記セットに割り振ることと、
複数のＳＴＡとの通信のための、ＲＵの前記セットのうちの複数のサブセットを割り振ることと、ここにおいて、前記第１のサブセットが、第１のＳＴＡとの通信のためのものであり、前記複数のサブセットの前記割振りに基づいて決定され、前記第１のサブセット中のデータまたは制御情報のうちの前記少なくとも１つの前記通信が、前記第１のＳＴＡとのものである、をさらに備える、請求項１に記載の方法。
【請求項３】
フレームを前記複数のＳＴＡに送信することをさらに備え、前記フレームが、複数のサブセットの前記割振りを示す情報を含む、請求項２に記載の方法。
【請求項４】
前記複数のサブセットの前記割振りに基づいて、前記複数のＳＴＡのうちの第２のＳＴＡとの通信のための、ＲＵの前記セットのうちのＲＵの第２のサブセットを決定することと、ＲＵの前記第２のサブセットが、ＲＵの前記セットよりも少ないＲＵを含む、
前記ＲＵの前記第２のサブセット中のデータまたは制御情報のうちの少なくとも１つを、前記第２のＳＴＡと通信することとをさらに備える、請求項２に記載の方法。
【請求項５】
前記第１のＳＴＡとの前記通信と、第２のＳＴＡとの前記通信とがコンカレントである、請求項２に記載の方法。
【請求項６】
前記ワイヤレスデバイスがＳＴＡであり、前記方法が、前記ワイヤレスデバイスと通信するための、ＲＵの前記セットのうちの前記第１のサブセットの割振りを示す情報を含むフレームを受信することをさらに備え、前記第１のサブセットが、前記割振りに基づいて決定される、請求項１に記載の方法。
【請求項７】
ＲＵの前記セットの前記ＲＵが、２６個のトーン、２４２個のトーン、または４８４個のトーンのうちの少なくとも１つのサイズを有する、請求項１に記載の方法。
【請求項８】
２６個のトーンを含むＲＵの前記セットの各ＲＵについて、前記２６個のトーンが、２４個のデータトーンと２つのパイロットトーンとを含む、請求項１に記載の方法。
【請求項９】
２４２個のトーンを含むＲＵの前記セットの各ＲＵについて、前記２４２個のトーンが、２３４個のデータトーンと８つのパイロットトーンとを含む、請求項１に記載の方法。
【請求項１０】
４８４個のトーンを含むＲＵの前記セットの各ＲＵについて、前記４８４個のトーンが、４６８個のデータトーンと１６個のパイロットトーンとを含む、請求項１に記載の方法。
【請求項１１】
前記帯域幅が、２０ＭＨｚ、４０ＭＨｚ、または８０ＭＨｚである、請求項１に記載の方法。
【請求項１２】
前記帯域幅が２０ＭＨｚであり、ＲＵの前記セットが９つのＲＵを含み、ＲＵの前記セットの各ＲＵが、２６個のトーンを含み、
前記チャネルがいくつかの直流（ＤＣ）トーンを含み、ＲＵの前記セットのうちの１つのＲＵが、第１の部分と第２の部分とを含み、前記第１の部分が、周波数において前記いくつかのＤＣトーンの上にあり、前記第２の部分が、周波数において前記いくつかのＤＣトーンの下にある、請求項１に記載の方法。
【請求項１３】
前記帯域幅が４０ＭＨｚであり、ＲＵの前記セットが、１６個のＲＵ、１７個のＲＵ、１８個のＲＵ、または１９個のＲＵを含み、ＲＵの前記セットの各ＲＵが、２６個のトーンを含む、請求項１に記載の方法。
【請求項１４】
ＲＵの前記セットが１８個のＲＵを含む、請求項１３に記載の方法。
【請求項１５】
前記チャネルが、５つまたはそれ以上の直流（ＤＣ）トーンを含む、請求項１３に記載の方法。
【請求項１６】
前記帯域幅が４０ＭＨｚであり、ＲＵの前記セットが２つのＲＵを含み、ＲＵの前記セットの各ＲＵが、２４２個のトーンを含む、請求項１に記載の方法。
【請求項１７】
前記チャネルが、５つまたはそれ以上の直流（ＤＣ）トーンを含む、請求項１６に記載の方法。
【請求項１８】
前記帯域幅が８０ＭＨｚであり、ＲＵの前記セットが、３２個またはそれ以上のＲＵを含み、ＲＵの前記セットの各ＲＵが、２６個のトーンを含む、請求項１に記載の方法。
【請求項１９】
ＲＵの前記セットが３７個のＲＵを含む、請求項１８に記載の方法。
【請求項２０】
前記帯域幅が８０ＭＨｚであり、ＲＵの前記セットが４つのＲＵを含み、ＲＵの前記セットの各ＲＵが、２４２個のトーンを含む、請求項１に記載の方法。
【請求項２１】
前記帯域幅が８０ＭＨｚであり、ＲＵの前記セットが２つのＲＵを含み、ＲＵの前記セットの各ＲＵが、４８４個のトーンを含む、請求項１に記載の方法。
【請求項２２】
ワイヤレス通信のための装置であって、前記装置が、局（ＳＴＡ）またはアクセスポイント（ＡＰ）であり、
メモリと、
前記メモリに結合された少なくとも１つのプロセッサとを備え、前記少なくとも１つのプロセッサは、
送信時間期間においてチャネルの帯域幅にわたって延びるリソースユニット（ＲＵ）のセットのうちのＲＵの第１のサブセットを決定することと、前記帯域幅が、複数のトーンを備え、前記複数のトーンが、前記帯域幅の中心部分に位置するいくつかの直流（ＤＣ）トーンと、前記帯域幅の上外側エッジ部分に位置するガードトーンの第１のセットと、前記帯域幅の下外側エッジ部分に位置するガードトーンの第２のセットとを含み、ＲＵの前記第１のサブセットが、ＲＵの前記セットよりも少ないＲＵを含み、ＲＵの前記セットにおける、ＲＵの前記第１のサブセット以外の残りのＲＵが、標準ブロックであり、ＲＵの前記セットの各ＲＵが、少なくとも２６個のトーンを含む、
前記ＲＵの前記第１のサブセット中のデータまたは制御情報のうちの少なくとも１つを通信することと
を行うように構成され、ＲＵの前記第１のサブセットが、ｘ個のトーンを含み、前記ｘ個のトーンが、前記ＤＣトーンよりも高く、ガードトーンの前記第１のセットよりも低い周波数を有するｘ／２個のトーンの第１のセットを備え、前記ＤＣトーンよりも低く、ガードトーンの前記第２のセットよりも高い周波数を有するｘ／２個のトーンの第２のセットを備え、
ここにおいて、ＲＵの前記第１のサブセットが、センターブロックであり、ｘ／２個のトーンの前記第１のセットが、前記ＤＣトーンに周波数において隣接しており、ｘ／２個のトーンの前記第２のセットが、前記ＤＣトーンに周波数において隣接しているか、または、
ＲＵの前記第１のサブセットが、エッジブロックであり、ｘ／２個のトーンの前記第１のセットが、ガードトーンの前記第１のセットに周波数において隣接しており、ｘ／２個のトーンの前記第２のセットが、ガードトーンの前記第２のセットに周波数において隣接している、装置。
【請求項２３】
前記装置がＡＰであり、前記少なくとも１つのプロセッサは、
前記送信時間期間において前記ガードトーンと前記ＤＣトーンとを除外した前記複数のトーンを、ＲＵの前記セットに割り振ることと、
複数のＳＴＡとの通信のための、ＲＵの前記セットのうちの複数のサブセットを割り振ることと、ここにおいて、前記第１のサブセットが、第１のＳＴＡとの通信のためのものであり、前記複数のサブセットの前記割振りに基づいて決定され、前記第１のサブセット中のデータまたは制御情報のうちの前記少なくとも１つの前記通信が、前記第１のＳＴＡとのものである、を行うようにさらに構成された、請求項２２に記載の装置。
【請求項２４】
前記少なくとも１つのプロセッサが、フレームを前記複数のＳＴＡに送信するようにさらに構成され、前記フレームが、複数のサブセットの前記割振りを示す情報を含む、請求項２３に記載の装置。
【請求項２５】
前記少なくとも１つのプロセッサは、
前記複数のサブセットの前記割振りに基づいて、前記複数のＳＴＡのうちの第２のＳＴＡとの通信のための、ＲＵの前記セットのうちのＲＵの第２のサブセットを決定することと、ＲＵの前記第２のサブセットが、ＲＵの前記セットよりも少ないＲＵを含む、
前記ＲＵの前記第２のサブセット中のデータまたは制御情報のうちの少なくとも１つを、前記第２のＳＴＡと通信することとを行うようにさらに構成された、請求項２３に記載の装置。
【請求項２６】
前記第１のＳＴＡとの前記通信と、第２のＳＴＡとの前記通信とがコンカレントである、請求項２３に記載の装置。
【請求項２７】
前記装置がＳＴＡであり、前記少なくとも１つのプロセッサが、前記装置と通信するためのＲＵの前記セットのうちの前記第１のサブセットの割振りを示す情報を含むフレームを受信するようにさらに構成され、前記第１のサブセットが、前記割振りに基づいて決定される、請求項２２に記載の装置。
【請求項２８】
ＲＵの前記セットの前記ＲＵが、２６個のトーン、２４２個のトーン、または４８４個のトーンのうちの少なくとも１つのサイズを有する、請求項２２に記載の装置。
【請求項２９】
２６個のトーンを含むＲＵの前記セットの各ＲＵについて、前記２６個のトーンが、２４個のデータトーンと２つのパイロットトーンとを含む、請求項２２に記載の装置。
【請求項３０】
２４２個のトーンを含むＲＵの前記セットの各ＲＵについて、前記２４２個のトーンが、２３４個のデータトーンと８つのパイロットトーンとを含む、請求項２２に記載の装置。
【請求項３１】
４８４個のトーンを含むＲＵの前記セットの各ＲＵについて、前記４８４個のトーンが、４６８個のデータトーンと１６個のパイロットトーンとを含む、請求項２２に記載の装置。
【請求項３２】
前記帯域幅が、２０ＭＨｚ、４０ＭＨｚ、または８０ＭＨｚである、請求項２２に記載の装置。
【請求項３３】
前記帯域幅が２０ＭＨｚであり、ＲＵの前記セットが９つのＲＵを含み、ＲＵの前記セットの各ＲＵが、２６個のトーンを含み、
前記チャネルがいくつかの直流（ＤＣ）トーンを含み、ＲＵの前記セットのうちの１つのＲＵが、第１の部分と第２の部分とを含み、前記第１の部分が、周波数において前記いくつかのＤＣトーンの上にあり、前記第２の部分が、周波数において前記いくつかのＤＣトーンの下にある、請求項２２に記載の装置。
【請求項３４】
前記帯域幅が４０ＭＨｚであり、ＲＵの前記セットが、１６個のＲＵ、１７個のＲＵ、１８個のＲＵ、または１９個のＲＵを含み、ＲＵの前記セットの各ＲＵが、２６個のトーンを含む、請求項２２に記載の装置。
【請求項３５】
ＲＵの前記セットが１８個のＲＵを含む、請求項３４に記載の装置。
【請求項３６】
前記チャネルが、５つまたはそれ以上の直流（ＤＣ）トーンを含む、請求項３４に記載の装置。
【請求項３７】
前記帯域幅が４０ＭＨｚであり、ＲＵの前記セットが２つのＲＵを含み、ＲＵの前記セットの各ＲＵが、２４２個のトーンを含む、請求項２２に記載の装置。
【請求項３８】
前記チャネルが、５つまたはそれ以上の直流（ＤＣ）トーンを含む、請求項３７に記載の装置。
【請求項３９】
前記帯域幅が８０ＭＨｚであり、ＲＵの前記セットが、３２個またはそれ以上のＲＵを含み、ＲＵの前記セットの各ＲＵが、２６個のトーンを含む、請求項２２に記載の装置。
【請求項４０】
ＲＵの前記セットが３７個のＲＵを含む、請求項３９に記載の装置。
【請求項４１】
前記帯域幅が８０ＭＨｚであり、ＲＵの前記セットが４つのＲＵを含み、ＲＵの前記セットの各ＲＵが、２４２個のトーンを含む、請求項２２に記載の装置。
【請求項４２】
前記帯域幅が８０ＭＨｚであり、ＲＵの前記セットが２つのＲＵを含み、ＲＵの前記セットの各ＲＵが、４８４個のトーンを含む、請求項２２に記載の装置。
【請求項４３】
ワイヤレス通信のための装置であって、前記装置が、局（ＳＴＡ）またはアクセスポイント（ＡＰ）であり、
送信時間期間においてチャネルの帯域幅にわたって延びるリソースユニット（ＲＵ）のセットのうちのＲＵの第１のサブセットを決定するための手段と、前記帯域幅が、複数のトーンを備え、前記複数のトーンが、前記帯域幅の中心部分に位置するいくつかの直流（ＤＣ）トーンと、前記帯域幅の上外側エッジ部分に位置するガードトーンの第１のセットと、前記帯域幅の下外側エッジ部分に位置するガードトーンの第２のセットとを含み、ＲＵの前記第１のサブセットが、ＲＵの前記セットよりも少ないＲＵを含み、ＲＵの前記セットにおける、ＲＵの前記第１のサブセット以外の残りのＲＵが、標準ブロックであり、ＲＵの前記セットの各ＲＵが、少なくとも２６個のトーンを含む、
前記ＲＵの前記第１のサブセット中のデータまたは制御情報のうちの少なくとも１つを通信するための手段とを備え、ＲＵの前記第１のサブセットが、ｘ個のトーンを含み、前記ｘ個のトーンが、前記ＤＣトーンよりも高く、ガードトーンの前記第１のセットよりも低い周波数を有するｘ／２個のトーンの第１のセットを備え、前記ＤＣトーンよりも低く、ガードトーンの前記第２のセットよりも高い周波数を有するｘ／２個のトーンの第２のセットを備え、
ここにおいて、ＲＵの前記第１のサブセットが、センターブロックであり、ｘ／２個のトーンの前記第１のセットが、前記ＤＣトーンに周波数において隣接しており、ｘ／２個のトーンの前記第２のセットが、前記ＤＣトーンに周波数において隣接しているか、または、
ＲＵの前記第１のサブセットが、エッジブロックであり、ｘ／２個のトーンの前記第１のセットが、ガードトーンの前記第１のセットに周波数において隣接しており、ｘ／２個のトーンの前記第２のセットが、ガードトーンの前記第２のセットに周波数において隣接している、装置。
【請求項４４】
前記装置がＡＰであり、前記装置は、
前記送信時間期間において前記ガードトーンと前記ＤＣトーンとを除外した前記複数のトーンを、ＲＵの前記セットに割り振るための手段と、
複数のＳＴＡとの通信のための、ＲＵの前記セットのうちの複数のサブセットを割り振るための手段と、ここにおいて、前記第１のサブセットが、第１のＳＴＡとの通信のためのものであり、前記複数のサブセットの前記割振りに基づいて決定され、前記第１のサブセット中のデータまたは制御情報のうちの前記少なくとも１つの前記通信が、前記第１のＳＴＡとのものである、をさらに備える、請求項４３に記載の装置。
【請求項４５】
フレームを前記複数のＳＴＡに送信するための手段をさらに備え、前記フレームが、複数のサブセットの前記割振りを示す情報を含む、請求項４４に記載の装置。
【請求項４６】
前記複数のサブセットの前記割振りに基づいて、前記複数のＳＴＡのうちの第２のＳＴＡとの通信のための、ＲＵの前記セットのうちのＲＵの第２のサブセットを決定するための手段と、ＲＵの前記第２のサブセットが、ＲＵの前記セットよりも少ないＲＵを含む、
前記ＲＵの前記第２のサブセット中のデータまたは制御情報のうちの少なくとも１つを、前記第２のＳＴＡと通信するための手段とをさらに備える、請求項４４に記載の装置。
【請求項４７】
前記第１のＳＴＡとの前記通信と、第２のＳＴＡとの前記通信とがコンカレントである、請求項４４に記載の装置。
【請求項４８】
前記装置がＳＴＡであり、前記装置が、前記装置と通信するためのＲＵの前記セットのうちの前記第１のサブセットの割振りを示す情報を含むフレームを受信するための手段をさらに備え、前記第１のサブセットが、前記割振りに基づいて決定される、請求項４３に記載の装置。
【請求項４９】
ＲＵの前記セットの前記ＲＵが、２６個のトーン、２４２個のトーン、または４８４個のトーンのうちの少なくとも１つのサイズを有する、請求項４３に記載の装置。
【請求項５０】
２６個のトーンを含むＲＵの前記セットの各ＲＵについて、前記２６個のトーンが、２４個のデータトーンと２つのパイロットトーンとを含む、請求項４３に記載の装置。
【請求項５１】
２４２個のトーンを含むＲＵの前記セットの各ＲＵについて、前記２４２個のトーンが、２３４個のデータトーンと８つのパイロットトーンとを含む、請求項４３に記載の装置。
【請求項５２】
４８４個のトーンを含むＲＵの前記セットの各ＲＵについて、前記４８４個のトーンが、４６８個のデータトーンと１６個のパイロットトーンとを含む、請求項４３に記載の装置。
【請求項５３】
前記帯域幅が、２０ＭＨｚ、４０ＭＨｚ、または８０ＭＨｚである、請求項４３に記載の装置。
【請求項５４】
前記帯域幅が２０ＭＨｚであり、ＲＵの前記セットが９つのＲＵを含み、ＲＵの前記セットの各ＲＵが、２６個のトーンを含み、
前記チャネルがいくつかの直流（ＤＣ）トーンを含み、ＲＵの前記セットのうちの１つのＲＵが、第１の部分と第２の部分とを含み、前記第１の部分が、周波数において前記いくつかのＤＣトーンの上にあり、前記第２の部分が、周波数において前記いくつかのＤＣトーンの下にある、請求項４３に記載の装置。
【請求項５５】
前記帯域幅が４０ＭＨｚであり、ＲＵの前記セットが、１６個のＲＵ、１７個のＲＵ、１８個のＲＵ、または１９個のＲＵを含み、ＲＵの前記セットの各ＲＵが、２６個のトーンを含む、請求項４３に記載の装置。
【請求項５６】
ＲＵの前記セットが１８個のＲＵを含む、請求項５５に記載の装置。
【請求項５７】
前記チャネルが、５つまたはそれ以上の直流（ＤＣ）トーンを含む、請求項５５に記載の装置。
【請求項５８】
前記帯域幅が４０ＭＨｚであり、ＲＵの前記セットが２つのＲＵを含み、ＲＵの前記セットの各ＲＵが、２４２個のトーンを含む、請求項４３に記載の装置。
【請求項５９】
前記チャネルが、５つまたはそれ以上の直流（ＤＣ）トーンを含む、請求項５８に記載の装置。
【請求項６０】
前記帯域幅が８０ＭＨｚであり、ＲＵの前記セットが、３２個またはそれ以上のＲＵを含み、ＲＵの前記セットの各ＲＵが、２６個のトーンを含む、請求項４３に記載の装置。
【請求項６１】
ＲＵの前記セットが３７個のＲＵを含む、請求項６０に記載の装置。
【請求項６２】
前記帯域幅が８０ＭＨｚであり、ＲＵの前記セットが４つのＲＵを含み、ＲＵの前記セットの各ＲＵが、２４２個のトーンを含む、請求項４３に記載の装置。
【請求項６３】
前記帯域幅が８０ＭＨｚであり、ＲＵの前記セットが２つのＲＵを含み、ＲＵの前記セットの各ＲＵが、４８４個のトーンを含む、請求項４３に記載の装置。
【請求項６４】
ワイヤレスデバイスにおけるワイヤレス通信のためのコンピュータ実行可能コードを記憶する非一時的コンピュータ可読媒体であって、前記ワイヤレスデバイスが、局（ＳＴＡ）またはアクセスポイント（ＡＰ）であり、
送信時間期間においてチャネルの帯域幅にわたって延びるリソースユニット（ＲＵ）のセットのうちのＲＵの第１のサブセットを決定することと、前記帯域幅が、複数のトーンを備え、前記複数のトーンが、前記帯域幅の中心部分に位置するいくつかの直流（ＤＣ）トーンと、前記帯域幅の上外側エッジ部分に位置するガードトーンの第１のセットと、前記帯域幅の下外側エッジ部分に位置するガードトーンの第２のセットとを含み、ＲＵの前記第１のサブセットが、ＲＵの前記セットよりも少ないＲＵを含み、ＲＵの前記セットにおける、ＲＵの前記第１のサブセット以外の残りのＲＵが、標準ブロックであり、ＲＵの前記セットの各ＲＵが、少なくとも２６個のトーンを含む、
前記ＲＵの前記第１のサブセット中のデータまたは制御情報のうちの少なくとも１つを通信することとを行うためのコードを備え、ＲＵの前記第１のサブセットが、ｘ個のトーンを含み、前記ｘ個のトーンが、前記ＤＣトーンよりも高く、ガードトーンの前記第１のセットよりも低い周波数を有するｘ／２個のトーンの第１のセットを備え、前記ＤＣトーンよりも低く、ガードトーンの前記第２のセットよりも高い周波数を有するｘ／２個のトーンの第２のセットを備え、
ここにおいて、ＲＵの前記第１のサブセットが、センターブロックであり、ｘ／２個のトーンの前記第１のセットが、前記ＤＣトーンに周波数において隣接しており、ｘ／２個のトーンの前記第２のセットが、前記ＤＣトーンに周波数において隣接しているか、または、
ＲＵの前記第１のサブセットが、エッジブロックであり、ｘ／２個のトーンの前記第１のセットが、ガードトーンの前記第１のセットに周波数において隣接しており、ｘ／２個のトーンの前記第２のセットが、ガードトーンの前記第２のセットに周波数において隣接している、非一時的コンピュータ可読媒体。
【請求項６５】
前記ワイヤレスデバイスがＡＰであり、前記コンピュータ可読媒体は、
前記送信時間期間において前記ガードトーンと前記ＤＣトーンとを除外した前記複数のトーンを、ＲＵの前記セットに割り振ることと、
複数のＳＴＡとの通信のための、ＲＵの前記セットのうちの複数のサブセットを割り振ることと、ここにおいて、前記第１のサブセットが、第１のＳＴＡとの通信のためのものであり、前記複数のサブセットの前記割振りに基づいて決定され、前記第１のサブセット中のデータまたは制御情報のうちの前記少なくとも１つの前記通信が、前記第１のＳＴＡとのものである、を行うためのコードをさらに備える、請求項６４に記載の非一時的コンピュータ可読媒体。
【請求項６６】
フレームを前記複数のＳＴＡに送信するためのコードをさらに備え、前記フレームが、複数のサブセットの前記割振りを示す情報を含む、請求項６５に記載の非一時的コンピュータ可読媒体。
【請求項６７】
前記複数のサブセットの前記割振りに基づいて、前記複数のＳＴＡのうちの第２のＳＴＡとの通信のための、ＲＵの前記セットのうちのＲＵの第２のサブセットを決定することと、ＲＵの前記第２のサブセットが、ＲＵの前記セットよりも少ないＲＵを含む、
前記ＲＵの前記第２のサブセット中のデータまたは制御情報のうちの少なくとも１つを、前記第２のＳＴＡと通信することとを行うためのコードをさらに備える、請求項６５に記載の非一時的コンピュータ可読媒体。
【請求項６８】
前記第１のＳＴＡとの前記通信と、第２のＳＴＡとの前記通信とがコンカレントである、請求項６５に記載の非一時的コンピュータ可読媒体。
【請求項６９】
前記ワイヤレスデバイスがＳＴＡであり、前記コンピュータ可読媒体が、前記ワイヤレスデバイスと通信するためのＲＵの前記セットのうちの前記第１のサブセットの割振りを示す情報を含むフレームを受信するためのコードをさらに備え、前記第１のサブセットが、前記割振りに基づいて決定される、請求項６４に記載の非一時的コンピュータ可読媒体。
【請求項７０】
ＲＵの前記セットの前記ＲＵが、２６個のトーン、２４２個のトーン、または４８４個のトーンのうちの少なくとも１つのサイズを有する、請求項６４に記載の非一時的コンピュータ可読媒体。
【請求項７１】
２６個のトーンを含むＲＵの前記セットの各ＲＵについて、前記２６個のトーンが、２４個のデータトーンと２つのパイロットトーンとを含む、請求項６４に記載の非一時的コンピュータ可読媒体。
【請求項７２】
２４２個のトーンを含むＲＵの前記セットの各ＲＵについて、前記２４２個のトーンが、２３４個のデータトーンと８つのパイロットトーンとを含む、請求項６４に記載の非一時的コンピュータ可読媒体。
【請求項７３】
４８４個のトーンを含むＲＵの前記セットの各ＲＵについて、前記４８４個のトーンが、４６８個のデータトーンと１６個のパイロットトーンとを含む、請求項６４に記載の非一時的コンピュータ可読媒体。
【請求項７４】
前記帯域幅が、２０ＭＨｚ、４０ＭＨｚ、または８０ＭＨｚである、請求項６４に記載の非一時的コンピュータ可読媒体。
【請求項７５】
前記帯域幅が２０ＭＨｚであり、ＲＵの前記セットが９つのＲＵを含み、ＲＵの前記セットの各ＲＵが、２６個のトーンを含み、
前記チャネルがいくつかの直流（ＤＣ）トーンを含み、ＲＵの前記セットのうちの１つのＲＵが、第１の部分と第２の部分とを含み、前記第１の部分が、周波数において前記いくつかのＤＣトーンの上にあり、前記第２の部分が、周波数において前記いくつかのＤＣトーンの下にある、請求項６４に記載の非一時的コンピュータ可読媒体。
【請求項７６】
前記帯域幅が４０ＭＨｚであり、ＲＵの前記セットが、１６個のＲＵ、１７個のＲＵ、１８個のＲＵ、または１９個のＲＵを含み、ＲＵの前記セットの各ＲＵが、２６個のトーンを含む、請求項６４に記載の非一時的コンピュータ可読媒体。
【請求項７７】
ＲＵの前記セットが１８個のＲＵを含む、請求項７６に記載の非一時的コンピュータ可読媒体。
【請求項７８】
前記チャネルが、５つまたはそれ以上の直流（ＤＣ）トーンを含む、請求項７６に記載の非一時的コンピュータ可読媒体。
【請求項７９】
前記帯域幅が４０ＭＨｚであり、ＲＵの前記セットが２つのＲＵを含み、ＲＵの前記セットの各ＲＵが、２４２個のトーンを含む、請求項６４に記載の非一時的コンピュータ可読媒体。
【請求項８０】
前記チャネルが、５つまたはそれ以上の直流（ＤＣ）トーンを含む、請求項７９に記載の非一時的コンピュータ可読媒体。
【請求項８１】
前記帯域幅が８０ＭＨｚであり、ＲＵの前記セットが、３２個またはそれ以上のＲＵを含み、ＲＵの前記セットの各ＲＵが、２６個のトーンを含む、請求項６４に記載の非一時的コンピュータ可読媒体。
【請求項８２】
ＲＵの前記セットが３７個のＲＵを含む、請求項８１に記載の非一時的コンピュータ可読媒体。
【請求項８３】
前記帯域幅が８０ＭＨｚであり、ＲＵの前記セットが４つのＲＵを含み、ＲＵの前記セットの各ＲＵが、２４２個のトーンを含む、請求項６４に記載の非一時的コンピュータ可読媒体。
【請求項８４】
前記帯域幅が８０ＭＨｚであり、ＲＵの前記セットが２つのＲＵを含み、ＲＵの前記セットの各ＲＵが、４８４個のトーンを含む、請求項６４に記載の非一時的コンピュータ可読媒体。
【発明の詳細な説明】
【技術分野】
【０００１】
関連出願の相互参照
[0001]本出願は、その全体が参照により本明細書に明確に組み込まれる、２０１４年９月４日に出願された「EFFICIENT RESOURCE ALLOCATION」と題する米国仮出願第６２／０４６，１５４号、および２０１５年９月３日に出願された「EFFICIENT RESOURCE ALLOCATION」と題する米国特許出願第１４／８４５，２３０号の利益を主張する。
【０００２】
[0002]本開示は、一般に通信システムに関し、より詳細には、効率的な方法で帯域幅リソースを割り振ることに関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、同期光ネットワーキング（ＳＯＮＥＴ：Synchronous Optical Networking）、イーサネット（登録商標）など）によって異なる。
【０００４】
[0004]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、固定ワイヤードネットワークと比較して、ユーザモビリティと迅速なフィールド展開とを有利に容易にする。
【発明の概要】
【０００５】
[0005]本発明のシステム、方法、コンピュータ可読媒体、およびデバイスは、それぞれいくつかの態様を有し、それらのうちの単一の態様が、単独で、本発明の望ましい属性を担当するとは限らない。次に、以下の特許請求の範囲によって表される本発明の範囲を限定することなしに、いくつかの特徴について手短に説明する。この説明を考察すれば、特に「詳細な説明」と題するセクションを読めば、本発明の特徴が、ワイヤレスネットワークにおけるデバイスに対する利点をどのように提供するかが理解されよう。
【０００６】
[0006]本開示の一態様では、方法、コンピュータ可読媒体、および装置が提供される。本装置はワイヤレスデバイスであり得る。ワイヤレスデバイスは、送信時間期間においてチャネルの帯域幅にわたって延びる（extend）リソースユニット（ＲＵ）のセットのＲＵの第１のサブセットを決定し、ＲＵの第１のサブセットが、ＲＵのセットよりも少ないＲＵを含み、ＲＵのセットの各ＲＵが、少なくとも２６個のトーンを含む。ワイヤレスデバイスは、ＲＵの第１のサブセット中のデータまたは制御情報のうちの少なくとも１つを通信する。
【図面の簡単な説明】
【０００７】
【図１】[0007]本開示の態様が採用され得る、例示的なワイヤレス通信システムを示す図。
【図２】[0008]図１のワイヤレス通信システム内で採用され得るワイヤレスデバイスの機能ブロック図。
【図３】[0009]ワイヤレス通信を送信するためにワイヤレスデバイスにおいて利用され得る様々な構成要素を示す図。
【図４】[0010]ワイヤレス通信を受信するためにワイヤレスデバイスにおいて利用され得る様々な構成要素を示す図。
【図５】[0011]ワイヤレス通信を送信および受信するために図２のワイヤレスデバイスなどのワイヤレスデバイスにおいて実装され得るＭＩＭＯシステムの機能ブロック図。
【図６】[0012]ワイヤレス通信を受信するために図２のワイヤレスデバイスなどのワイヤレスデバイスにおいて実装され得る例示的なＭＩＭＯシステムの機能ブロック図。
【図７】[0013]物理レイヤパケットの例示的な構造を示すブロック図。
【図８】[0014]ＷＬＡＮのチャネル上のリソース割振りを示す図。
【図９】[0015]ＷＬＡＮにおける２０ＭＨｚ帯域幅のチャネル上の第１の例示的なリソース割振りを示す図。
【図１０】[0016]ＷＬＡＮにおける２０ＭＨｚ帯域幅のチャネル上の第２の例示的なリソース割振りを示す図。
【図１１】[0017]ＷＬＡＮにおける２０ＭＨｚ帯域幅のチャネル上の第３の例示的なリソース割振りを示す図。
【図１２】[0018]ＷＬＡＮにおける４０ＭＨｚ帯域幅のチャネル上の第１の例示的なリソース割振りを示す図。
【図１３】[0019]ＷＬＡＮにおける４０ＭＨｚ帯域幅のチャネル上の第２の例示的なリソース割振りを示す図。
【図１４】[0020]ＷＬＡＮにおける４０ＭＨｚ帯域幅のチャネル上の第３の例示的なリソース割振りを示す図。
【図１５】[0021]ＷＬＡＮにおける４０ＭＨｚ帯域幅のチャネル上の第４の例示的なリソース割振りを示す図。
【図１６】[0022]ＷＬＡＮにおける８０ＭＨｚ帯域幅のチャネル上の第１の例示的なリソース割振りを示す図。
【図１７】[0023]ＷＬＡＮにおける８０ＭＨｚ帯域幅のチャネル上の第２の例示的なリソース割振りを示す図。
【図１８】[0024]ＷＬＡＮにおける８０ＭＨｚ帯域幅のチャネル上の第３の例示的なリソース割振りを示す図。
【図１９】[0025]ＷＬＡＮにおける８０ＭＨｚ帯域幅のチャネル上の第４の例示的なリソース割振りを示す図。
【図２０】[0026]ＷＬＡＮにおける８０ＭＨｚ帯域幅のチャネル上の第５の例示的なリソース割振りを示す図。
【図２１】[0027]ＷＬＡＮにおいてチャネル上のリソースを割り振る例示的な方法のフローチャート。
【図２２】[0028]帯域幅のリソースを少なくとも１つの局に割り振る例示的な方法のフローチャート。
【図２３】[0029]アクセスポイントとの通信のための帯域幅のリソースの割振りを決定する例示的な方法のフローチャート。
【図２４】[0030]例示的な装置中の異なる構成要素／手段間のデータフローを示す概念データフロー図。
【図２５】[0031]例示的なワイヤレス通信デバイスの機能ブロック図。
【詳細な説明】
【０００８】
[0032]添付の図面を参照しながら、新規のシステム、装置、コンピュータ可読媒体、および方法の様々な態様について以下でより十分に説明する。ただし、本開示は、多くの異なる形態で実施され得、本開示全体にわたって提示される特定の構造または機能に限定されるものと解釈されるべきではない。むしろ、これらの態様は、本開示が周到で完全になり、本開示の範囲を当業者に十分に伝えるように与えるものである。本明細書の教示に基づいて、本開示の範囲は、本発明の他の態様とは無関係に実装されるにせよ、本発明の他の態様と組み合わせられるにせよ、本明細書で開示する新規のシステム、装置、コンピュータ可読媒体、および方法のいかなる態様をもカバーするものであることを、当業者は諒解されたい。たとえば、本明細書に記載する態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示するどの態様も請求項の１つまたは複数の要素によって実施され得ることを理解されたい。
【０００９】
[0033]本明細書では特定の態様が説明されるが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。詳細な説明および図面は、本開示を限定するものではなく説明するものにすぎず、本開示の範囲は添付の特許請求の範囲およびそれの均等物によって定義される。
【００１０】
[0034]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ワイヤレスプロトコルなど、任意の通信規格に適用され得る。
【００１１】
[0035]いくつかの態様では、ワイヤレス信号は、直交周波数分割多重（ＯＦＤＭ）、直接シーケンススペクトラム拡散（ＤＳＳＳ）通信、ＯＦＤＭとＤＳＳＳ通信との組合せ、または他の方式を使用して、８０２．１１プロトコルに従って送信され得る。８０２．１１プロトコルの実装形態は、センサー、計測、およびスマートグリッドネットワークのために使用され得る。有利には、８０２．１１プロトコルを実装するいくつかのデバイスの態様は、他のワイヤレスプロトコルを実装するデバイスよりも少ない電力を消費し得、および／または比較的長い距離、たとえば約１キロメートル以上にわたってワイヤレス信号を送信するために使用され得る。
【００１２】
[0036]いくつかの実装形態では、ＷＬＡＮは、ワイヤレスネットワークにアクセスする構成要素である様々なデバイスを含む。たとえば、２つのタイプのデバイス、すなわちアクセスポイント（ＡＰ）および（局または「ＳＴＡ」とも呼ばれる）クライアントがあり得る。概して、ＡＰがＷＬＡＮのためのハブまたは基地局として働き得、ＳＴＡがＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るために、ＷｉＦｉ（登録商標）（たとえば、ＩＥＥＥ８０２．１１プロトコル）準拠ワイヤレスリンクを介してＡＰに接続する。いくつかの実装形態では、ＳＴＡはＡＰとして使用されることもある。
【００１３】
[0037]アクセスポイントはまた、ノードＢ、無線ネットワークコントローラ（ＲＮＣ）、ｅノードＢ、基地局コントローラ（ＢＳＣ）、基地トランシーバ局（ＢＴＳ）、基地局（ＢＳ）、トランシーバ機能（ＴＦ）、無線ルータ、無線トランシーバ、接続ポイント、または何らかの他の用語を含むか、それらのいずれかとして実装されるか、あるいはそれらのいずれかとして知られていることがある。
【００１４】
[0038]局はまた、アクセス端末（ＡＴ）、加入者局、加入者ユニット、移動局、リモート局、リモート端末、ユーザ端末、ユーザエージェント、ユーザデバイス、ユーザ機器、または何らかの他の用語を含むか、それらのいずれかとして実装されるか、あるいはそれらのいずれかとして知られていることがある。いくつかの実装形態では、アクセス端末は、セルラー電話、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを含み得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１５】
[0039]一態様では、ワイドエリアＷＬＡＮ（たとえば、ＷｉＦｉ）接続性のために、ＭＩＭＯ方式が使用され得る。ＭＩＭＯは、マルチパスと呼ばれる電波特性を活用する。マルチパスでは、送信データは、物体（たとえば、壁、ドア、家具）に当たって跳ね返り、異なるルートを通って異なる時間に複数回受信アンテナに達し得る。ＭＩＭＯを採用するＷＬＡＮデバイスが、データストリームを、空間ストリームと呼ばれる複数の部分にスプリットし、各空間ストリームを、別個のアンテナを通して受信ＷＬＡＮデバイス上の対応するアンテナに送信する。
【００１６】
[0040]「関連付ける」または「関連付け」という用語、あるいはそれらの任意の変形態は、本開示のコンテキスト内で可能な最も広い意味を与えられるべきである。例として、第１の装置が第２の装置に関連付けるとき、２つの装置が直接関連付けられ得るか、または中間装置が存在し得ることを理解されたい。簡潔のために、２つの装置間の関連付けを確立するためのプロセスについて、装置のうちの１つによる「関連付け要求」と、後続の、他の装置による「関連付け応答」とを必要とする、ハンドシェイクプロトコルを使用して説明する。ハンドシェイクプロトコルが、例として、認証を行うためのシグナリングなど、他のシグナリングを必要とし得ることが、当業者には理解されよう。
【００１７】
[0041]本明細書における「第１」、「第２」などの名称を使用した要素への言及は、それらの要素の数量または順序を概括的に限定するものでない。むしろ、これらの名称は、本明細書において２つまたはそれ以上の要素またはある要素の複数の事例を区別する便利な方法として使用される。したがって、第１および第２の要素への言及は、２つの要素のみが採用され得ること、または第１の要素が第２の要素に先行しなければならないことを意味するものではない。さらに、項目のリスト「のうちの少なくとも１つ」を指すフレーズは、単一のメンバーを含む、それらの項目の任意の組合せを指す。一例として、「Ａ、ＢまたはＣのうちの少なくとも１つ」は、Ａ、またはＢ、またはＣ、またはそれらの任意の組合せ（たとえば、Ａ−Ｂ、Ａ−Ｃ、Ｂ−Ｃ、およびＡ−Ｂ−Ｃ）を包含するものとする。
【００１８】
[0042]上記で説明したように、本明細書で説明するいくつかのデバイスは、たとえば、８０２．１１規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、ヘルスケアコンテキストにおいて、たとえばパーソナルヘルスケアのために使用され得る。それらのデバイスはまた、（たとえば、ホットスポットとともに使用するための）拡張された範囲のインターネット接続性を可能にするために、またはマシンツーマシン通信を実装するために、監視のために使用され得る。
【００１９】
[0043]本明細書で説明するデバイスのうちのいくつかは、さらに、多入力多出力（ＭＩＭＯ）技術を実装し、８０２．１１規格の一部として実装され得る。ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルまたはストリームとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは性能の改善（たとえば、より高いスループットおよび／またはより大きい信頼性）を与えることができる。
【００２０】
[0044]図１に、本開示の態様が採用され得る、例示的なワイヤレス通信システム１００を示す。ワイヤレス通信システム１００は、ワイヤレス規格、たとえば８０２．１１規格に従って動作し得る。ワイヤレス通信システム１００は、ＳＴＡ（たとえば、ＳＴＡ１１２、１１４、１１６、および１１８）と通信するＡＰ１０４を含み得る。
【００２１】
[0045]様々なプロセスおよび方法は、ＡＰ１０４とＳＴＡとの間の、ワイヤレス通信システム１００における送信のために使用され得る。たとえば、信号は、ＯＦＤＭ／ＯＦＤＭＡ技法に従って、ＡＰ１０４とＳＴＡとの間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡとの間で送信および受信され得る。この場合、ワイヤレス通信システム１００はＣＤＭＡシステムと呼ばれることがある。
【００２２】
[0046]ＡＰ１０４からＳＴＡのうちの１つまたは複数への送信を容易にする通信リンクはダウンリンク（ＤＬ）１０８と呼ばれることがあり、ＳＴＡのうちの１つまたは複数からＡＰ１０４への送信を容易にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。いくつかの態様では、ＤＬ通信は、ユニキャストまたはマルチキャストトラフィック指示を含み得る。
【００２３】
[0047]ＡＰ１０４は、いくつかの態様では、ＡＰ１０４が、著しいアナログデジタル変換（ＡＤＣ）クリッピング雑音（clipping noise）を引き起こすことなしに、同時に２つ以上のチャネル上でＵＬ通信を受信し得るように、隣接チャネル干渉（ＡＣＩ：adjacent channel interference）を抑制し得る。ＡＰ１０４は、たとえば、各チャネルについて別々の有限インパルス応答（ＦＩＲ）フィルタを有すること、または増大されたビット幅をもつより長いＡＤＣバックオフ期間を有することによって、ＡＣＩの抑制を改善し得る。
【００２４】
[0048]ＡＰ１０４は、基地局として働き、基本サービスエリア（ＢＳＡ）１０２においてワイヤレス通信カバレージを与え得る。ＢＳＡ（たとえば、ＢＳＡ１０２）は、ＡＰ（たとえば、ＡＰ１０４）のカバレージエリアである。ＡＰ１０４は、ＡＰ１０４に関連付けられ、通信のためにＡＰ１０４を使用するＳＴＡとともに、基本サービスセット（ＢＳＳ）と呼ばれることがある。ワイヤレス通信システム１００は、中央ＡＰ（たとえば、ＡＰ１０４）を有しないことがあり、むしろ、ＳＴＡ間のピアツーピアネットワークとして機能し得ることに留意されたい。したがって、本明細書で説明するＡＰ１０４の機能は、ＳＴＡのうちの１つまたは複数によって代替的に実行され得る。
【００２５】
[0049]ＡＰ１０４は、ダウンリンク１０８などの通信リンクを介して、ワイヤレス通信システム１００の他のノード（ＳＴＡ）にビーコン信号（または単に「ビーコン」）を、１つまたは複数のチャネル（たとえば、各チャネルが周波数帯域幅を含む、複数の狭帯域チャネル）上で送信し得、ビーコン信号は、他のノード（ＳＴＡ）がそれらのタイミングをＡＰ１０４と同期させるのを助け得るか、あるいは他の情報または機能を与え得る。そのようなビーコンは周期的に送信され得る。一態様では、連続送信間の期間はスーパーフレームと呼ばれることがある。ビーコンの送信は、いくつかのグループまたは間隔に分割され得る。一態様では、ビーコンは、限定はしないが、共通クロックを設定するためのタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含み得、それらのうちのいくつかについて以下でさらに詳細に説明する。したがって、ビーコンは、いくつかのデバイスの間で共通である（たとえば、共有される）とともに所与のデバイスに固有である、情報を含み得る。
【００２６】
[0050]いくつかの態様では、ＳＴＡ（たとえば、ＳＴＡ１１４）は、ＡＰ１０４に通信を送るために、および／またはＡＰ１０４から通信を受信するために、ＡＰ１０４に関連付けることを必要とされ得る。一態様では、関連付けるための情報が、ＡＰ１０４によってブロードキャストされるビーコン中に含まれる。そのようなビーコンを受信するために、ＳＴＡ１１４は、たとえば、カバレージ領域にわたって広カバレージ探索（broad coverage search）を実行し得る。また、探索は、ＳＴＡ１１４によって、たとえば、灯台方式（lighthouse fashion）でカバレージ領域を掃引することによって実行され得る。関連付けるための情報を受信した後に、ＳＴＡ１１４は、関連付けプローブまたは要求などの基準信号をＡＰ１０４に送信し得る。いくつかの態様では、ＡＰ１０４は、たとえば、インターネットまたは公衆交換電話網（ＰＳＴＮ）などのより大きいネットワークと通信するために、バックホールサービスを使用し得る。
【００２７】
[0051]一態様では、ＡＰ１０４は、様々な機能を実行するための１つまたは複数の構成要素を含み得る。たとえば、ＡＰ１０４は、通信のために帯域幅のリソースを少なくとも１つの局（たとえば、ＳＴＡ１１２、１１４、１１６、１１８）に割り振ることと、割り振られたリソースを少なくとも１つの局に示すこととに関係するプロシージャを実行するように構成されたリソース割振り構成要素１２４を含み得る。リソース割振り構成要素１２４は、送信時間期間においてチャネルの帯域幅にわたって延びるＲＵのセットのＲＵの第１のサブセットを決定するプロセスを制御し得、ＲＵの第１のサブセットは、ＲＵのセットよりも少ないＲＵを含み、ＲＵのセットの各ＲＵは、少なくとも２６個のトーンを含む。リソース割振り構成要素１２４はまた、ＲＵの第１のサブセット中のデータまたは制御情報のうちの少なくとも１つを通信するプロセスを制御し得る。
【００２８】
[0052]別の態様では、ＳＴＡ１１４は、様々な機能を実行するための１つまたは複数の構成要素を含み得る。たとえば、ＳＴＡ１１４は、アクセスポイント（たとえば、ＡＰ１０４）との通信のための帯域幅のリソース割振りを決定することに関係するプロシージャを実行するように構成されたリソース割振り構成要素１２６を含み得る。リソース割振り構成要素１２６は、送信時間期間においてチャネルの帯域幅にわたって延びるＲＵのセットのＲＵの第１のサブセットを決定するプロセスを制御し得、ＲＵの第１のサブセットは、ＲＵのセットよりも少ないＲＵを含み、ＲＵのセットの各ＲＵは、少なくとも２６個のトーンを含む。リソース割振り構成要素１２６はまた、ＲＵの第１のサブセット中のデータまたは制御情報のうちの少なくとも１つを通信するプロセスを制御し得る。
【００２９】
[0053]図２は、図１のワイヤレス通信システム１００内で採用され得るワイヤレスデバイス２０２の機能ブロック図である。ワイヤレスデバイス２０２は、本明細書で説明する様々な方法を実装するように構成され得るデバイスの一例である。たとえば、ワイヤレスデバイス２０２は、ＡＰ１０４を含むか、またはＳＴＡ１１２、１１４、１１６、または１１８のうちのいずれか１つを含み得る。
【００３０】
[0054]ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与え得る。メモリ２０６の一部は不揮発性ランダムアクセスメモリ（ＮＶＲＡＭ）をも含み得る。プロセッサ２０４は、一般に、メモリ２０６内に記憶されたプログラム命令に基づいて論理演算および算術演算を実行する。メモリ２０６中の命令は、本明細書で説明する方法を実装するために（たとえば、プロセッサ２０４によって）実行可能であり得る。
【００３１】
[0055]ワイヤレスデバイス２０２がＡＰまたはＳＴＡとして実装されたとき、リソース割振り構成要素２２４は、送信時間期間においてチャネルの帯域幅にわたって延びるＲＵのセットのＲＵの第１のサブセットを決定するプロセスを制御し得、ＲＵの第１のサブセットは、ＲＵのセットよりも少ないＲＵを含み、ＲＵのセットの各ＲＵは、少なくとも２６個のトーンを含む。リソース割振り構成要素２２４はまた、ＲＵの第１のサブセット中のデータまたは制御情報のうちの少なくとも１つを通信するプロセスを制御し得る。
【００３２】
[0056]プロセッサ２０４は、１つまたは複数のプロセッサで実装された処理システムを含むか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００３３】
[0057]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、処理システムに本明細書で説明する様々な機能を実行することを行わせる。
【００３４】
[0058]ワイヤレスデバイス２０２はまた、ワイヤレスデバイス２０２とリモートデバイスとの間のデータの送信および受信を可能にするために送信機２１０および／または受信機２１２を含み得る、ハウジング２０８を含み得る。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含み得る（図示せず）。
【００３５】
[0059]ワイヤレスデバイス２０２はまた、トランシーバ２１４または受信機２１２によって受信された信号のレベルを検出および定量化するために使用され得る信号検出器２１８を含み得る。信号検出器２１８は、そのような信号を、総エネルギー、シンボルごとのサブキャリア当たりのエネルギー、電力スペクトル密度、および他の信号として検出し得る。ワイヤレスデバイス２０２は、信号を処理する際に使用するためのデジタル信号プロセッサ（ＤＳＰ）２２０をも含み得る。ＤＳＰ２２０は、送信のためのパケットを生成するように構成され得る。いくつかの態様では、パケットは物理レイヤデータユニット（ＰＰＤＵ）を含み得る。
【００３６】
[0060]ワイヤレスデバイス２０２は、いくつかの態様ではユーザインターフェース２２２をさらに含み得る。ユーザインターフェース２２２は、キーパッド、マイクロフォン、スピーカー、および／またはディスプレイを含み得る。ユーザインターフェース２２２は、ワイヤレスデバイス２０２のユーザに情報を搬送し、および／またはそのユーザから入力を受信する、任意の要素または構成要素を含み得る。
【００３７】
[0061]ワイヤレスデバイス２０２はリソース割振り構成要素２２４をも含み得る。ワイヤレスデバイス２０２がＡＰ（たとえば、ＡＰ１０４）として実装されるとき、リソース割振り構成要素２２４は、通信のために帯域幅のリソースを少なくとも１つの局（たとえば、ＳＴＡ１１２、１１４、１１６、１１８）に割り振ることと、割り振られたリソースを少なくとも１つの局に示すこととに関係するプロシージャを、プロセッサ２０４および／またはトランシーバ２１４を介して実行するように構成され得る。ワイヤレスデバイス２０２がＳＴＡ（たとえば、ＳＴＡ１１２、１１４、１１６、または１１８のいずれか１つ）として実装されるとき、リソース割振り構成要素２２４は、ＡＰ（たとえば、ＡＰ１０４）との通信のための帯域幅のリソース割振りを決定することに関係するプロシージャを、プロセッサ２０４および／またはトランシーバ２１４を介して実行するように構成され得る。
【００３８】
[0062]ワイヤレスデバイス２０２の様々な構成要素はバスシステム２２６によって互いに結合され得る。バスシステム２２６は、たとえば、データバス、ならびに、データバスに加えて、電力バス、制御信号バス、およびステータス信号バスを含み得る。ワイヤレスデバイス２０２の構成要素は、互いに結合されるか、あるいは何らかの他の機構を使用して、互いに入力を受け付けるかまたは与え得る。
【００３９】
[0063]いくつかの別個の構成要素が図２に示されているが、それらの構成要素のうちの１つまたは複数は、組み合わせられるかまたは共通に実装され得る。たとえば、プロセッサ２０４は、プロセッサ２０４に関して上記で説明した機能を実装するためだけでなく、信号検出器２１８、ＤＳＰ２２０、ユーザインターフェース２２２、および／またはリソース割振り構成要素２２４に関して上記で説明した機能を実装するためにも使用され得る。さらに、図２に示す構成要素の各々は、複数の別個の要素を使用して実装され得る。
【００４０】
[0064]上記で説明したように、ワイヤレスデバイス２０２は、ＡＰ１０４またはＳＴＡ１１４を含み得、通信を送信および／または受信するために使用され得る。図３に、ワイヤレス通信を送信するためにワイヤレスデバイス２０２において利用され得る様々な構成要素を示す。図３に示す構成要素は、たとえば、ＯＦＤＭ通信を送信するために使用され得る。いくつかの態様では、図３に示されている構成要素は、以下でさらに詳細に説明するように、２０ＭＨｚ、４０ＭＨｚ、８０ＭＨｚ、またはそれ以上の帯域幅上で送られるべきパケットを生成し、送信するために使用される。参照しやすいように、図３に示されている構成要素で構成されたワイヤレスデバイス２０２を、以下ではワイヤレスデバイス３０２ａと呼ぶ。
【００４１】
[0065]ワイヤレスデバイス３０２ａは、送信のためにビットを変調するように構成された変調器３０２を含み得る。たとえば、変調器３０２は、たとえばコンスタレーション（constellation）に従ってビットを複数のシンボルにマッピングすることによって、プロセッサ２０４（図２）またはユーザインターフェース２２２（図２）から受信されたビットから複数のシンボルを決定し得る。それらのビットは、ユーザデータまたは制御情報に対応し得る。いくつかの態様では、それらのビットはコードワード（codewords）において受信される。一態様では、変調器３０２は、ＱＡＭ（直交振幅変調）変調器、たとえば１６−ＱＡＭ変調器または６４−ＱＡＭ変調器を含む。他の態様では、変調器３０２は、２位相シフトキーイング（ＢＰＳＫ）変調器または４位相シフトキーイング（ＱＰＳＫ）変調器を含む。
【００４２】
[0066]ワイヤレスデバイス３０２ａは、変調器３０２からのシンボルまたはさもなければ変調されたビットを時間領域に変換するように構成された変換構成要素３０４をさらに含み得る。図３では、変換構成要素３０４は、逆高速フーリエ変換（ＩＦＦＴ）構成要素によって実装されるものとして示されている。いくつかの実装形態では、異なるサイズのデータのユニットを変換する複数の変換構成要素（図示せず）があり得る。いくつかの実装形態では、変換構成要素３０４は、それ自体が、異なるサイズのデータのユニットを変換するように構成され得る。たとえば、変換構成要素３０４は、複数のモードで構成され得、各モードでシンボルを変換するために異なる数のポイント（point）を使用し得る。たとえば、ＩＦＦＴは、２６個のトーン（たとえば、サブキャリア）上で送信されるシンボルを時間領域に変換するために２６ポイントが使用されるモードと、２４２個のトーン上で送信されるシンボルを時間領域に変換するために２４２ポイントが使用されるモードとを有し得る。変換構成要素３０４によって使用されるポイントの数は、変換構成要素３０４のサイズと呼ばれることがある。
【００４３】
[0067]図３では、変調器３０２および変換構成要素３０４は、ＤＳＰ３２０中で実装されるものとして示されている。しかしながら、いくつかの態様では、変調器３０２と変換構成要素３０４の一方または両方が、プロセッサ２０４中でまたはワイヤレスデバイス３０２ａの別の要素中で実装される（たとえば、図２に関する上記の説明を参照）。
【００４４】
[0068]上記で説明したように、ＤＳＰ３２０は、送信のためのデータユニットを生成するように構成され得る。いくつかの態様では、変調器３０２および変換構成要素３０４は、制御情報を含む複数のフィールドと複数のデータシンボルとを含むデータユニットを生成するように構成され得る。制御情報を含むそれらのフィールドは、たとえば、１つまたは複数のトレーニングフィールドと、１つまたは複数の信号（ＳＩＧ）フィールドとを含み得る。トレーニングフィールドの各々は、値またはシンボルの既知のシーケンスを含み得る。ＳＩＧフィールドの各々は、データユニットに関する情報、たとえばデータユニットの長さまたはデータレートの記述を含み得る。
【００４５】
[0069]図３の説明に戻ると、ワイヤレスデバイス３０２ａは、変換構成要素の出力をアナログ信号に変換するように構成されたデジタルアナログ変換器３０６をさらに含み得る。たとえば、変換構成要素３０４の時間領域出力は、デジタルアナログ変換器３０６によってベースバンドＯＦＤＭ信号に変換され得る。デジタルアナログ変換器３０６は、プロセッサ２０４中でまたはワイヤレスデバイス２０２の別の要素中で実装され得る。いくつかの態様では、デジタルアナログ変換器３０６は、トランシーバ２１４（図２）中でまたはデータ送信プロセッサ中で実装される。
【００４６】
[0070]アナログ信号は送信機３１０によってワイヤレス送信され得る。アナログ信号は、送信機３１０によって送信される前に、たとえばフィルタ処理されることによってあるいは中間またはキャリア周波数にアップコンバートされることによって、さらに処理され得る。図３に示されている態様では、送信機３１０は送信増幅器３０８を含む。送信されるより前に、アナログ信号は送信増幅器３０８によって増幅され得る。いくつかの態様では、増幅器３０８は低雑音増幅器（ＬＮＡ）を含む。
【００４７】
[0071]送信機３１０は、アナログ信号に基づいてワイヤレス信号中の１つまたは複数のパケットまたはデータユニットを送信するように構成される。それらのデータユニットは、プロセッサ２０４（図２）および／またはＤＳＰ３２０を使用して、たとえば上記で説明したように変調器３０２および変換構成要素３０４を使用して、生成され得る。上記で説明したように生成され、送信され得るデータユニットについて、以下で説明する図に関して以下でさらに詳細に説明する。
【００４８】
[0072]図４に、ワイヤレス通信を受信するためにワイヤレスデバイス２０２において利用され得る様々な構成要素を示す。図４に示されている構成要素は、たとえば、ＯＦＤＭ通信を受信するために使用され得る。いくつかの態様では、図４に示されている構成要素は、２０ＭＨｚ、４０ＭＨｚ、８０ＭＨｚ、またはそれ以上の帯域幅上でデータユニットを受信するために使用される。たとえば、図４に示されている構成要素は、図３に関して上記で説明した構成要素によって送信されたデータユニットを受信するために使用され得る。参照しやすいように、図４に示されている構成要素で構成されたワイヤレスデバイス２０２を、以下ではワイヤレスデバイス４０２ｂと呼ぶ。
【００４９】
[0073]受信機４１２は、ワイヤレス信号中の１つまたは複数のパケットまたはデータユニットを受信するように構成される。以下で説明するように受信され、復号され、またはさもなければ処理され得るデータユニットについて、以下で説明する図に関してさらに詳細に説明する。
【００５０】
[0074]図４に示されている態様では、受信機４１２は受信増幅器４０１を含む。受信増幅器４０１は、受信機４１２によって受信されたワイヤレス信号を増幅するように構成され得る。いくつかの態様では、受信機４１２は、自動利得制御（ＡＧＣ：automatic gain control）プロシージャを使用して受信増幅器４０１の利得を調整するように構成される。いくつかの態様では、自動利得制御は、たとえば、利得を調整するために、受信されたショートトレーニングフィールド（ＳＴＦ：short training field）など、１つまたは複数の受信されたトレーニングフィールド中の情報を使用する。当業者は、ＡＧＣを実行するための方法を理解されよう。いくつかの態様では、増幅器４０１はＬＮＡを含む。
【００５１】
[0075]ワイヤレスデバイス４０２ｂは、受信機４１２からの増幅されたワイヤレス信号をそれのデジタル表現に変換するように構成されたアナログデジタル変換器４１０を含み得る。増幅されることに加えて、ワイヤレス信号は、デジタルアナログ変換器４１０によって変換される前に、たとえばフィルタ処理されることによってあるいは中間またはベースバンド周波数にダウンコンバートされることによって、処理され得る。アナログデジタル変換器４１０は、プロセッサ２０４（図２）中でまたはワイヤレスデバイス４０２ｂの別の要素中で実装され得る。いくつかの態様では、アナログデジタル変換器４１０は、トランシーバ２１４（図２）中でまたはデータ受信プロセッサ中で実装される。
【００５２】
[0076]ワイヤレスデバイス４０２ｂは、ワイヤレス信号の表現を周波数スペクトルに変換するように構成された変換構成要素４０４をさらに含み得る。図４では、変換構成要素４０４は、高速フーリエ変換（ＦＦＴ）構成要素によって実装されるものとして示されている。図３に関して上記で説明したように、変換構成要素４０４は、複数のモードで構成され得、各モードで信号を変換するために異なる数のポイントを使用し得る。たとえば、変換構成要素４０４は、２６個のトーン上で受信された信号を周波数スペクトルに変換するために２６ポイントが使用されるモードと、２４２個のトーン上で受信された信号を周波数スペクトルに変換するために２４２ポイントが使用されるモードとを有し得る。変換構成要素４０４によって使用されるポイントの数は、変換構成要素４０４のサイズと呼ばれることがある。いくつかの態様では、変換構成要素４０４は、それが使用する各ポイントについてシンボルを識別し得る。
【００５３】
[0077]ワイヤレスデバイス４０２ｂは、データユニットがそれを介して受信されるチャネルの推定値を形成することと、チャネル推定値に基づいてチャネルのいくつかの影響を除去することとを行うように構成された、チャネル推定器および等化器４０５をさらに含み得る。たとえば、チャネル推定器および等化器４０５は、チャネルの関数を近似する（approximate a function of the channel）ように構成され得、チャネル等化器は、その関数の逆（inverse）を周波数スペクトルにおけるデータに適用するように構成され得る。
【００５４】
[0078]いくつかの態様では、チャネル推定器および等化器４０５は、たとえば、チャネルを推定するために、ロングトレーニングフィールド（ＬＴＦ：long training field）など、１つまたは複数の受信されたトレーニングフィールド中の情報を使用する。チャネル推定値は、データユニットの始端において（at the beginning）受信された１つまたは複数のＬＴＦに基づいて形成され得る。このチャネル推定値は、その後、上記１つまたは複数のＬＴＦに後続するデータシンボルを等化するために使用され得る。一定の時間期間の後にまたは一定数のデータシンボルの後に、データユニット中で１つまたは複数の追加のＬＴＦが受信され得る。追加のＬＴＦを使用して、チャネル推定値は更新され得、または新しい推定値が形成され得る。この新しいまたは更新チャネル推定値は、追加のＬＴＦに続くデータシンボルを等化するために使用され得る。いくつかの態様では、新しいまたは更新されたチャネル推定値は、追加のＬＴＦに先行するデータシンボルを再等化するために使用される。当業者は、チャネル推定値を形成するための方法を理解されよう。
【００５５】
[0079]ワイヤレスデバイス４０２ｂは、等化されたデータを復調するように構成された復調器４０６をさらに含み得る。たとえば、復調器４０６は、たとえばコンスタレーションにおけるシンボルへのビットのマッピングを逆転させること（reversing）によって、変換構成要素４０４とチャネル推定器および等化器４０５とによって出力されたシンボルから複数のビットを決定し得る。それらのビットは、プロセッサ２０４（図２）によって処理または評価されるか、あるいはユーザインターフェース２２２（図２）に情報を表示するかまたはさもなければ出力するために、使用され得る。このようにして、データおよび／または情報が復号され得る。いくつかの態様では、それらのビットはコードワードに対応する。一態様では、復調器４０６は、ＱＡＭ（直交振幅変調）復調器、たとえば１６−ＱＡＭ復調器または６４−ＱＡＭ復調器を含む。他の態様では、復調器４０６は、２位相シフトキーイング（ＢＰＳＫ）復調器または４位相シフトキーイング（ＱＰＳＫ）復調器を含む。
【００５６】
[0080]図４では、変換構成要素４０４と、チャネル推定器および等化器４０５と、復調器４０６とは、ＤＳＰ４２０中で実装されるものとして示されている。しかしながら、いくつかの態様では、変換構成要素４０４と、チャネル推定器および等化器４０５と、復調器４０６とのうちの１つまたは複数が、プロセッサ２０４（図２）中でまたはワイヤレスデバイス２０２（図２）の別の要素中で実装される。
【００５７】
[0081]上記で説明したように、受信機２１２において受信されたワイヤレス信号は、１つまたは複数のデータユニットを含む。上記で説明した機能または構成要素を使用して、データユニットまたはそれの中のデータシンボルは、復号され評価される、あるいはさもなければ評価または処理され得る。たとえば、プロセッサ２０４（図２）および／またはＤＳＰ４２０は、変換構成要素４０４と、チャネル推定器および等化器４０５と、復調器４０６とを使用して、データユニット中のデータシンボルを復号するために、使用され得る。
【００５８】
[0082]ＡＰ１０４とＳＴＡ１１４とによって交換されるデータユニットは、上記で説明したように、制御情報またはデータを含み得る。物理（ＰＨＹ）レイヤにおいて、これらのデータユニットは物理レイヤプロトコルデータユニット（ＰＰＤＵ：physical layer protocol data unit）と呼ばれることがある。いくつかの態様では、ＰＰＤＵはパケットまたは物理レイヤパケットと呼ばれることがある。各ＰＰＤＵはプリアンブルとペイロードとを含み得る。プリアンブルはトレーニングフィールドとＳＩＧフィールドとを含み得る。ペイロードは、たとえば、メディアアクセス制御（ＭＡＣ）ヘッダまたは他のレイヤのためのデータ、および／またはユーザデータを含み得る。ペイロードは、１つまたは複数のデータシンボルを使用して送信され得る。本明細書のシステム、方法、およびデバイスは、ピーク対電力比が最小限に抑えられたトレーニングフィールドをもつデータユニットを利用し得る。
【００５９】
[0083]図３に示されているワイヤレスデバイス３０２ａは、アンテナを介して送信されるべき単一の送信チェーンの一例を示している。いくつかの実装形態では、ワイヤレスデバイス３０２ａは、データを同時に送信するために複数のアンテナを使用してＭＩＭＯシステムの一部分を実装し得る。
【００６０】
[0084]図５は、ワイヤレス通信を送信および受信するために図２のワイヤレスデバイス２０２などのワイヤレスデバイスにおいて実装され得るＭＩＭＯシステムの機能ブロック図である。ＭＩＭＯシステムは、図３を参照しながら説明した構成要素の一部または全部を利用し得る。受信機の出力において受信されるべき、送信のためのビットが、エンコーダ５０４に与えられる。エンコーダ５０４は、そのビットストリームに対して前方誤り訂正（ＦＥＣ）コードを適用し得る。ＦＥＣコードは、ブロックコード、畳み込みコードなどであり得る。符号化されたビットは、符号化されたビットをＮ個の送信ストリームに分配するインターリービングシステム５０５に与えられる。
【００６１】
[0085]インターリービングシステム５０５は、エンコーダ５０４からＮ個の空間ストリームインターリーバ５０８ａ、５０８ｂ、および５０８ｎへの入力ビットストリームをパーズ（parse）する、ストリームパーサ（stream parser）５０６を含む。ストリームパーサ５０６は、空間ストリームの数を与えられ、ラウンドロビンベースでビットをパーズし得る。他のパージング関数（parsing functions）も使用され得る。使用され得る１つのパージング関数はｋn＝ＮTX＊ｋ＋ｎである（たとえば、空間ストリームごとに１ビットを用いて、次いで次の空間ストリームに移る、ラウンドロビンであり、ここで、ｋnは入力ビットインデックスであり、ＮTXは送信機／空間ストリームの数である）。別のより一般的な関数ｆ（ｋ，ｎ）も使用され得、たとえば、ある空間ストリームに２ビットを送り、次いで次の空間ストリームに移る。各インターリーバ５０８ａ、５０８ｂ、および５０８ｎは、それぞれ、その後、フェージングまたは他のチャネル状態による誤りが修復され得るように、ビットを分配し得る。以下で、インターリーバ５０８ａ、５０８ｂ、および５０８ｎはインターリーバ５０８と呼ばれることがある。
【００６２】
[0086]各送信ストリームは、次いで変調器５０２ａ、５０２ｂ、または５０２ｎによって変調され得る。図３を参照しながら上記で説明したように、ビットは、ＱＰＳＫ（４位相シフトキーイング）変調、ＢＰＳＫ（一度に１ビットをマッピングする）、１６−ＱＡＭ（６ビットのグループをマッピングする）、６４−ＱＡＭなど、変調技法を使用して変調され得る。各ストリームについて変調されたビットは、変換構成要素５１０ａ、５１０ｂ、および５１０ｎに与えられ得る。いくつかの実装形態では、変換構成要素５１０ａ、５１０ｂ、および５１０ｎは、変調されたビットを周波数領域から時間領域に変換するために逆離散時間フーリエ変換（ＩＤＦＴ）を実行し得る。変換構成要素５１０ａ、５１０ｂ、および５１０ｎは、図３を参照しながら上記で説明したように、異なるモードに従って動作し得る。たとえば、変換構成要素５１０ａ、５１０ｂ、および５１０ｎは、２６ポイントモードまたは２４２ポイントモードに従って動作するように構成され得る。いくつかの実装形態では、変調されたビットは、変換構成要素５１０ａ、５１０ｂ、および５１０ｎに与えられる前に、時空間ブロックコーディング（ＳＴＢＣ：space time block coding）を使用して符号化され得、空間マッピングが実行され得る。変調されたビットが各空間ストリームについて時間領域信号に変換された後、その時間領域信号は、図３を参照しながら上記で説明したように、変換器５１２ａ、５１２ｂ、および５１２ｎを介してアナログ信号に変換され得る。その信号は、次いで、送信機５１４ａ、５１４ｂ、および５１４ｃを使用して、ならびにアンテナ５１６ａ、５１６ｂ、または５１６ｎを使用して、所望の周波数帯域幅（たとえば、２０ＭＨｚ、４０ＭＨｚ、８０ＭＨｚ、またはそれ以上）上でワイヤレス無線空間中に送信され得る。
【００６３】
[0087]いくつかの実施形態では、アンテナ５１６ａ、５１６ｂ、および５１６ｎは、別個の、空間的に分離したアンテナである。他の実施形態では、別個の信号が合成されて、Ｎ個よりも少数のアンテナからの異なる偏波（different polarizations）になり得る。このことの一例は、空間回転または空間拡散が行われる場合であり、複数の空間ストリームが単一のアンテナ上にマッピングされる場合である。いずれの場合も、別個の空間ストリームが異なる方法で編成され得ることを理解されたい。たとえば、ある送信アンテナが、２つ以上の空間ストリームからのデータを搬送し得、またはいくつかの送信アンテナが、ある空間ストリームからのデータを搬送し得る。たとえば、４つの送信アンテナと２つの空間ストリームとを用いた送信機の事例について考える。各空間ストリームは、その場合、２つの送信アンテナ上にマッピングされ得、したがって２つのアンテナが、ただ１つの空間ストリームからのデータを搬送している。
【００６４】
[0088]図６は、ワイヤレス通信を受信するために図２のワイヤレスデバイス２０２などのワイヤレスデバイスにおいて実装され得る例示的なＭＩＭＯシステムの機能ブロック図である。ワイヤレスデバイス２０２ｂは、図５のアンテナ５１６ａ、５１６ｂ、および５１６ｎからの送信を同時に受信するように構成され得る。ワイヤレスデバイス２０２ｂは、Ｎ個の受信回路に結合されたＮ個のアンテナ５１８ａ、５１８ｂ、および５１８ｎ（適宜に、別個の偏波を計数する）においてチャネルから信号を受信する。それらの信号は、次いで、受信された信号を増幅するように構成された増幅器をそれぞれ含み得る受信機６２０ａ、６２０ｂ、および６２０ｎに与えられる。それらの信号は、次いで、変換器６２２ａ、６２２ｂ、および６２２ｎを介してデジタル形式に変換され得る。
【００６５】
[0089]変換された信号は、次いで、変換構成要素６２４ａ、６２４ｂ、および６２４ｎを介して周波数スペクトルに変換され得る。上記で説明したように、変換構成要素６２４ａ、６２４ｂ、および６２４ｎは、様々なモードに従って、使用されるサイズおよび帯域幅に従って動作し得る（たとえば、２６ポイント、２４２ポイントなど）。変換された信号は、図４を参照しながら上記で説明したのと同様に機能し得る、それぞれのチャネル推定器および等化器ブロック６２６ａ、６２６ｂ、および６２６ｎに与えられ得る。チャネル推定の後に、その出力はＭＩＭＯ検出器６２８に与えられ得、ＭＩＭＯ検出器６２８は、その後それの出力を復調器６３０ａ、６３０ｂ、および６３０ｎに与え得、復調器６３０ａ、６３０ｂ、および６３０ｎは、上記で説明したような変調技法のうちの１つに従ってビットを復調し得る。復調されたビットは、次いでデインターリーバ６３２ａ、６３２ｂ、および６３２ｎに与えられ得、デインターリーバ６３２ａ、６３２ｂ、および６３２ｎは、ビットをストリーム・デパーサ（stream de-parser）６３４中に受け渡し得、ストリーム・デパーサ６３４は、それらのビットを単一ビットストリームにしてデコーダ６３６中に与え得、デコーダ６３６は、それらのビットを適切なデータストリームに復号し得る。
【００６６】
[0090]上記で説明したように、ＡＰ１０４とＳＴＡ１１４とによって交換されるデータユニットは、上記で説明したように、物理（ＰＨＹ）レイヤパケットまたは物理レイヤプロトコルデータユニット（ＰＰＤＵ）の形態の、制御情報またはデータを含み得る。
【００６７】
[0091]図７は、物理レイヤパケット７００のプリアンブル７０２とペイロード７１０との例示的な構造を示すブロック図である。プリアンブル７０２は、既知の値のＳＴＦシーケンスを含むショートトレーニングフィールド（ＳＴＦ）７０４を含み得る。いくつかの態様では、ＳＴＦは、パケット検出のために（たとえば、パケットの開始を検出するために）および粗い時間／周波数の推定のために使用され得る。ＳＴＦシーケンスは、低いＰＡＰＲを有するように最適化され、特定の周期性をもつ非０トーンのサブセットを含み得る。ＳＴＦ７０４は１つまたは複数のＯＦＤＭシンボルにまたがり得る。プリアンブル７０２は、１つまたは複数のＯＦＤＭシンボルにまたがり得、既知の非０値の１つまたは複数のＬＴＦシーケンスを含み得る、ロングトレーニングフィールド（ＬＴＦ）７０６をさらに含み得る。ＬＴＦは、チャネル推定、精細な時間／周波数の推定、およびモード検出のために使用され得る。プリアンブル７０２は、上記で説明したように信号フィールド（ＳＩＧ：signal field）７０８をさらに含み得、ＳＩＧ７０８は、一態様では、モード検出目的と送信パラメータの決定とのために使用されるいくつかのビットまたは値を含み得る。
【００６８】
[0092]本明細書で説明する技法は、直交多重化方式に基づく通信システムを含む、様々なブロードバンドワイヤレス通信システムのために使用され得る。そのような通信システムの例としては、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ：interleaved FDMA）、隣接するサブキャリアのブロック上で送信するための局所ＦＤＭＡ（ＬＦＤＭＡ：localized FDMA）、または隣接するサブキャリアの複数のブロック上で送信するための拡張ＦＤＭＡ（ＥＦＤＭＡ：enhanced FDMA）を利用し得る。概して、変調シンボルは、ＯＦＤＭでは周波数領域で、ＳＣ−ＦＤＭＡでは時間領域で送られる。特に、以下で説明するトーンは、ＯＦＤＭトーンであり得る。
【００６９】
[0093]次に、ＯＦＤＭＡリソース割振りのための様々な方法について説明する。図８は、ＷＬＡＮのチャネル上のリソース割振りを示す図８００である。ワイヤレスデバイス８０４（たとえば、ＡＰ１０４またはＳＴＡ１１４）が、ＷＬＡＮにおけるチャネル８０６上で１つまたは複数のワイヤレスデバイス８０８（たとえば、ユーザ）と通信するために、ＯＦＤＭＡを利用し得る。特に、ワイヤレスデバイス８０４は、図８〜図２０を参照して以下で説明するように、１つまたは複数のリソース割振りに従って、特定の帯域幅、たとえば、Ｐ  ＭＨｚのチャネル８０６上で１つまたは複数のワイヤレスデバイス８０８と通信し得る。一例として、Ｐ  ＭＨｚは、２０ＭＨｚ、４０ＭＨｚ、または８０ＭＨｚであり得る。図８は、例示的なリソース割振り８１０とリソース割振り８６０とを示している。リソース割振り８１０では、チャネル８０６は、Ｋ個のＲＵ８１６（たとえば、ＲＵ−１  ８１６〜ＲＵ−Ｋ８１６）に分割され得る。Ｋは０よりも大きい整数である。各ＲＵ８１６は、所定の数のタイムスロット（または時間期間）と、それぞれのＮ個のトーン（サブキャリア）とを占有し得る。一例として、いくつかの構成では、Ｎは、２６、５２、１０６、２４２、４８４、または９９６であり得る。各ＲＵ８１６は、別のＲＵ８１６のサイズと同じであるか、またはそのサイズとは異なるサイズを有し得る。たとえば、ＲＵ−１  ８１６とＲＵ−Ｋ８１６とは同じサイズ（たとえば、２６個のトーン）であり得、ＲＵ−２  ８１６は異なるサイズ（たとえば、５２個のトーン）であり得る。
【００７０】
[0094]さらに、ワイヤレスデバイス８０４は、それぞれの異なるワイヤレスデバイス８０８との通信のための１つまたは複数のＲＵ８１６を割り振り得る。一例として、ＲＵ−１  ８１６〜ＲＵ−３  ８１６は、第１のワイヤレスデバイス８０８に割り振られ得る。ＲＵ−４  ８１６〜ＲＵ−６  ８１６は、第２のワイヤレスデバイス８０８に割り振られ得る。ＲＵ−７  ８１６〜ＲＵ−Ｋ８１６は、第３のワイヤレスデバイス８０８に割り振られ得る。いくつかの構成では、ワイヤレスデバイス８０４は、図７に示されている物理レイヤパケット７００を特定のワイヤレスデバイス８０８に送信し得る。物理レイヤパケット７００のペイロード７１０は、ワイヤレスデバイス８０４と特定のワイヤレスデバイス８０８との間の通信に割り振られ、通信されるべきデータを有する、ＲＵ８１６を搬送し得る。さらに、ＭＩＭＯを使用するとき、単一のＲＵ８１６が、１つまたは複数のワイヤレスデバイス８０８に割り振られ得る。ワイヤレスデバイス８０４は、決定されたチャネル割振りを示す情報を、フレーム（たとえば、制御フレーム、管理フレーム、またはデータフレーム）中で各ワイヤレスデバイス８０８に送信し得る。情報を受信すると、各ワイヤレスデバイス８０８は、データ（たとえば、制御データ／シグナリング、および／またはペイロードデータ）をワイヤレスデバイス８０４と通信するために、割り振られたＲＵを使用し得る。
【００７１】
[0095]以下で説明するように、いくつかの構成では、チャネル８０６は、２６個のトーンのＲＵに分割され得る。２６個のトーンは、２４個のデータトーンと２つのパイロットトーンとを含み得る。いくつかの構成では、チャネル８０６はまた、２４２個のトーンのＲＵに分割され得る。２４２個のトーンは、２３４個のデータトーンと８つのパイロットトーンとを含み得る。いくつかの構成では、チャネル８０６は、４８４個のトーンのＲＵに分割され得る。４８４個のトーンは、４６８個のデータトーンと１６個のパイロットトーンとを含み得る。
【００７２】
[0096]さらに、特定の帯域幅（たとえば、Ｐ  ＭＨｚ）のチャネル８０６について、ＲＵ８１６中のＲＵのサイズは、帯域幅の関数であり得る。一例として、２０ＭＨｚの場合、チャネル８０６は、２６個のトーンの９つのＲＵ８１６を含み得る。４０ＭＨｚの場合、チャネル８０６は、可能な５つの直流（ＤＣ）トーンをもつ２６個のトーンの１６個〜１９個のＲＵ８１６を含み得る。４０ＭＨｚの場合、チャネル８０６は、代替的に、可能な５つのＤＣトーンをもつ２４２個のトーンの２つのＲＵ８１６を含み得る。８０ＭＨｚの場合、チャネル８０６は、２６個のトーンの３２個またはそれ以上のＲＵ８１６を含み得る。８０ＭＨｚの場合、チャネル８０６は、代替的に、２４２個のトーンの４つのＲＵ８１６を含み得る。８０ＭＨｚの場合、チャネル８０６はまた、代替的に、４８４個のトーンの２つのＲＵ８１６を含み得る。
【００７３】
[0097]リソース割振り８６０は、異なるサイズを有するＲＵ８３２、８３８およびＲＵ８３４、８３６を示す。ＲＵ８３２／８３８のサイズは、帯域幅の関数であり得る。ＲＵ８３２／８３８は、ＩＥＥＥ８０２．１１規格に従って、既存の数霊術（existing numerology）（たとえば、２６個のトーン、５６個のトーン、１１４個のトーン、２４２個のトーン、または４８４個のトーン）を使用し得る。さらに、この例では、ＲＵ８３４／８３６のサイズは、帯域幅のサイズにかかわらず、ぺアにされた７つのトーンであり得る。ぺアにされた７つのトーンは、１４／１３個のトーンのサイズに等しくなり得る。
【００７４】
[0098]一態様では、本開示は、帯域幅のＤＣトーンの周りに位置するセンターＲＵを作成するために帯域幅リソースを割り振る技法を開示する。標準リソース割振りを実行した後に使用されないトーンは、センターＲＵ中に位置し得る。センターＲＵトーンは、様々な目的のために使用され得る。たとえば、センターＲＵトーンは、ダウンリンクにおける制御チャネルのために使用され得る。その上、センターＲＵトーンは、アップリンクまたはダウンリンクにおける最初の／最後のＯＦＤＭＡユーザによって使用され得る。
【００７５】
[0099]別の態様では、各帯域幅について、ＲＵは、センターＲＵを除いてすべてのリソース割振りのビルディングブロック（building block）であり得る。いくつかの構成では、ＲＵは、既存のＲＵサイズ（リソース・グラニュラリティ（resource granularity））数霊術（たとえば、２６個のトーン、５６個のトーン、１１４個のトーン、２４２個のトーン、または４８４個のトーン）を使用し得る。センターＲＵは、パケット帯域幅のセンターに固定ロケーションを有し得る。センターＲＵは、いくつかのトーン（センターＲＵトーン）を含み得る。帯域幅において、センターＲＵトーンの半分が、ＤＣトーンのグループの一端に位置し、センターＲＵトーンの別の半分が、ＤＣトーンのグループの他端において割り振られる。特に、センターＲＵは、ＤＣトーンとＲＵのトーンとの間に位置し得る。センターＲＵのサイズは、帯域幅のサイズとともにスケーリングし得る。ワイヤレスデバイス８０４は、既知のトーンプランを用いるリソース割振りの組合せにセンターＲＵを適合させるために、（帯域幅の中心部分（central portion）に位置する）いくつかのＤＣトーンと、（帯域幅の外側エッジ部分に位置する）いくつかのガードトーンとを調整し得る。図に示されているように、ガードトーンは、左ガードトーンおよび右ガードトーンと呼ばれることがある。しかしながら、帯域幅の外側エッジ部分に位置するガードトーンは、上側ガードトーンおよび下側ガードトーンと呼ばれることもある。
【００７６】
[00100]別の態様では、各帯域幅について、１つの固定ＲＵサイズがあり得る。代替的に、ＲＵサイズは変動し得る。スケジューラは、各帯域幅についてＲＵサイズを選択することを可能にされ得る。スケジューラは、ＳＩＧフィールド中の１ビットまたは２ビットを介してＲＵサイズを示し得る。したがって、センターＲＵのサイズは、帯域幅のサイズとＲＵのサイズの両方の関数であり得る。
【００７７】
[00101]本開示の技法はいくつかの利点を与え得る。たとえば、センターＲＵは、シグナリングに基づいて、ダウンリンクにおける制御チャネルとして使用されるか、またはアップリンクまたはダウンリンクにおける最初の／最後のＯＦＤＭＡユーザによって使用され得る。別の利点は、センターＲＵ割振りが局にシグナリングされる必要がないことがあることであり得る。局は、局にすでにシグナリングされた他の情報を介して、センターＲＵ割振りを決定し得る。さらなる利点は、ＭＡＣレイヤが、未使用リソースを充填するために、小さいパケットの位置を特定し、パックする必要がないことがあり、より多くのリソース割振りタイプがサポートされることである。
【００７８】
[00102]また別の態様では、上記および以下で説明するようなセンターＲＵは、センターＲＵと同じ総ブロックサイズを有する２つのエッジＲＵと置き換えられ得る。２つのエッジＲＵは、ガードトーンと第１のＲＵとの間の帯域幅の左エッジと右エッジとに位置し得る。２つのエッジＲＵは、ダイバーシティ（diversity）を増加させるために、一緒に割り当てられ得る。
【００７９】
[00103]図９は、ＷＬＡＮにおける２０ＭＨｚ帯域幅のチャネル８０６上の第１の例示的なリソース割振りを示す図９００である。リソース割振り９１０では、２５６個のトーンを有する２０ＭＨｚ帯域幅が使用され得る。図９に示されているリソース割振り（ならびに図１０〜図２０に示されているリソース割振り）では、周波数値は、帯域幅の上側部分から帯域幅の下側部分に向かって（たとえば、以下で説明する、左ガードトーン９２２から右ガードトーン９２４に向かって）増加する。この例では、２０ＭＨｚ帯域幅は、データを通信するために使用される、９つのＲＵ（たとえば、ＲＵ−１〜ＲＵ−８  ９１６およびＲＵ−９  ９１８）を含み得る。一例として、ＲＵ９１６の各々は２６個のトーンを有し得る。さらに、２６個のトーンは、２４個のデータトーンと２つのパイロットトーンとを含み得る。２０ＭＨｚ帯域幅は、周波数の下端にある左ガードトーン９２２と、周波数の上端にある右ガードトーン９２４とを含み得る。左ガードトーン９２２および右ガードトーン９２４は、所定の数の、たとえば、１１個のガードトーンを含み得る。さらに、２０ＭＨｚ帯域幅は、２０ＭＨｚ帯域幅のセンターにいくつかのＤＣトーン９２０を含み得る。一例として、ＤＣトーン９２０の数は、１１であると決定され得る。ＲＵ−９  ９１８は、それらのうちの一方が周波数においてＤＣトーン９２０の下にあり、他方が周波数においてＤＣトーン９２０の上にある、２つの部分、たとえば、センターＲＵ部分−９Ａ  ９１８ＡとセンターＲＵ部分−９Ｂ  ９１８Ｂとにスプリットされ得る。センターＲＵ部分−９Ａ  ９１８ＡおよびセンターＲＵ部分−９Ｂ  ９１８Ｂの各々は、１３個のトーンを含み得る。
【００８０】
[00104]リソース割振り９６０では、リソース割振り９１０と比較して、センターＲＵ部分−９Ａ  ９１８ＡおよびセンターＲＵ部分−９Ｂ  ９１８Ｂは、エッジＲＵ部分−９Ａ  ９６８ＡおよびエッジＲＵ部分−９Ｂ  ９６８Ｂと置き換えられる。たとえば、ＲＵ−９  ９６８は、それらのうちの一方が左ガードトーン９２２に隣接して配置され、他方が右ガードトーン９２４に隣接して配置される、エッジＲＵ部分−９Ａ  ９６８ＡとエッジＲＵ部分−９Ｂ  ９６８Ｂとにスプリットされる。エッジＲＵ部分−９Ａ  ９６８Ａは、周波数において左ガードトーン９２２の上にあり、エッジＲＵ部分−９Ｂ  ９６８Ｂは、周波数において右ガードトーン９２４の下にある。いくつかの構成では、エッジＲＵ部分−９Ａ／９Ｂ  ９６８Ａ、９６８Ｂは、データを通信するために使用されないことがあり、追加のガードトーンとして使用されることがある。
【００８１】
[00105]例示的なリソース割振りは、以下の通りであり得る。１つのユーザの場合、ユーザは、２４２トーン・リソース・グラニュラリティ数霊術（たとえば、２３４個のデータトーンおよび８つのパイロットトーン）を使用し得るか、またはユーザは、２０ＭＨｚ帯域幅のすべてのＲＵ（たとえば、ＲＵ−１〜ＲＵ−８  ９１６およびＲＵ−９  ９１８）を割り振られ得る。２つのユーザの場合、第１のユーザは、ＲＵ−１〜ＲＵ−８  ９１６（たとえば、８つのＲＵ）を割り振られ得、第２のユーザは、センターＲＵ部分−９Ａ／９Ｂ  ９１８Ａ、９１８Ｂ、またはエッジＲＵ部分−９Ａ／９Ｂ  ９６８Ａ、９６８Ｂを割り振られ得る。３つのユーザの場合、第１のユーザは、４つのＲＵ９１６を割り振られ得、第２のユーザは、４つのＲＵ９１６を割り振られ得、第３のユーザは、センターＲＵ部分−９Ａ／９Ｂ  ９１８Ａ、９１８Ｂ、またはエッジＲＵ部分−９Ａ／９Ｂ  ９６８Ａ、９６８Ｂを割り振られ得る。様々な他の組合せが可能である。特に、センターＲＵ部分−９Ａ／９Ｂ  ９１８Ａ、９１８Ｂ、またはエッジＲＵ部分−９Ａ／９Ｂ  ９６８Ａ、９６８Ｂは、まとめて、２６個のトーンのサイズを有し得、２６個のトーンは、２４個のデータトーンと２つのパイロットトーンとを含み得る。
【００８２】
[00106]図１０は、ＷＬＡＮにおける２０ＭＨｚ帯域幅のチャネル８０６上の第２の例示的なリソース割振りを示す図１０００である。リソース割振り１０１０では、２５６個のトーンを有する２０ＭＨｚ帯域幅が使用され得る。この例では、２０ＭＨｚ帯域幅は、データを通信するために使用される、５つのＲＵ（たとえば、ＲＵ−１〜ＲＵ−４  １０１６およびＲＵ−５  １０１８）を含み得る。一例として、ＲＵ−１〜ＲＵ−４  １０１６の各々は、５６個のトーンを有し得る。２０ＭＨｚ帯域幅は、周波数の下端にある左ガードトーン１０２２と、周波数の上端にある右ガードトーン１０２４とを含み得る。左ガードトーン１０２２および右ガードトーン１０２４は、所定の数の、たとえば、１１個のガードトーンを含み得る。さらに、２０ＭＨｚ帯域幅は、２０ＭＨｚ帯域幅のセンターにいくつかのＤＣトーン１０２０を含み得る。一例として、ＤＣトーン１０２０の数は、７であると決定され得る。ＲＵ−５  １０１８は、それらのうちの一方がＤＣトーン１０２０の下にあり、他方がＤＣトーン１０２０の上にある、２つの部分、たとえば、センターＲＵ部分−５Ａ  １０１８ＡとセンターＲＵ部分−５Ｂ  １０１８Ｂとにスプリットされ得る。センターＲＵ部分−５Ａ  １０１８ＡおよびセンターＲＵ部分−５Ｂ  １０１８Ｂの各々は、７つのトーンを含み得る。
【００８３】
[00107]リソース割振り１０６０では、リソース割振り１０１０と比較して、センターＲＵ部分−５Ａ  １０１８ＡおよびセンターＲＵ部分−５Ｂ  １０１８Ｂは、エッジＲＵ部分−５Ａ  １０６８ＡおよびエッジＲＵ部分−５Ｂ  １０６８Ｂと置き換えられる。たとえば、ＲＵ−５  １０６８は、それらのうちの一方が左ガードトーン１０２２に隣接して配置され、他方が右ガードトーン１０２４に隣接して配置される、エッジＲＵ部分−５Ａ  １０６８ＡとエッジＲＵ部分−５Ｂ  １０６８Ｂとにスプリットされる。エッジＲＵ部分−５Ａ  １０６８Ａは、周波数において左ガードトーン１０２２の上にあり、エッジＲＵ部分−５Ｂ  １０６８Ｂは、周波数において右ガードトーン１０２４の下にある。いくつかの構成では、エッジＲＵ部分−５Ａ／５Ｂ  １０６８Ａ、１０６８Ｂは、データを通信するために使用されないことがあり、追加のガードトーンとして使用されることがある。
【００８４】
[00108]例示的なリソース割振りは、以下の通りであり得る。１つのユーザの場合、ユーザは、２４２トーン・リソース・グラニュラリティ数霊術（たとえば、２３４個のデータトーンおよび８つのパイロットトーン）を使用し得るか、またはユーザは、２０ＭＨｚ帯域幅のすべてのＲＵ（たとえば、ＲＵ−１〜ＲＵ−４  １０１６およびＲＵ−５  １０１８）を割り振られ得る。２つのユーザの場合、第１のユーザは、ＲＵ−１〜ＲＵ−４  １０１６（たとえば、４つのＲＵ）を割り振られ得、第２のユーザは、センターＲＵ部分−５Ａ／５Ｂ  １０１８Ａ、１０１８Ｂ、またはエッジＲＵ部分−５Ａ／５Ｂ  １０６８Ａ、１０６８Ｂを割り振られ得る。３つのユーザの場合、第１のユーザは、２つのＲＵ１０１６を割り振られ得、第２のユーザは、２つのＲＵ１０１６を割り振られ得、第３のユーザは、センターＲＵ部分−５Ａ／５Ｂ  １０１８Ａ、１０１８Ｂ、またはエッジＲＵ部分−５Ａ／５Ｂ  １０６８Ａ、１０６８Ｂを割り振られ得る。様々な他の組合せが可能である。特に、センターＲＵ部分−５Ａ／５Ｂ  １０１８Ａ、１０１８Ｂ、またはエッジＲＵ部分−５Ａ／５Ｂ  １０６８Ａ、１０６８Ｂは、まとめて、１４個のトーンのサイズを有し得、１４個のトーンは、１２個のデータトーンと２つのパイロットトーンとを含み得る。
【００８５】
[00109]図１１は、ＷＬＡＮにおける２０ＭＨｚ帯域幅のチャネル８０６上の第３の例示的なリソース割振りを示す図１１００である。リソース割振り１１１０では、２５６個のトーンを有する２０ＭＨｚ帯域幅が使用され得る。この例では、２０ＭＨｚ帯域幅は、データを通信するために使用される、３つのＲＵ（たとえば、ＲＵ−１〜ＲＵ−２  １１１６およびＲＵ−３  １１１８）を含み得る。一例として、ＲＵ−１〜ＲＵ−２  １１１６の各々は、１１４個のトーンを有し得る。２０ＭＨｚ帯域幅は、周波数の下端にある左ガードトーン１１２２と、周波数の上端にある右ガードトーン１１２４とを含み得る。左ガードトーン１１２２および右ガードトーン１１２４は、所定の数の、たとえば、１１個または９つのガードトーンを含み得る。さらに、２０ＭＨｚ帯域幅は、２０ＭＨｚ帯域幅のセンターにいくつかのＤＣトーン１１２０を含み得る。一例として、ＤＣトーン１１２０の数は、３または５であると決定され得る。ＲＵ−３  １１１８は、それらのうちの一方がＤＣトーン１１２０の下にあり、他方がＤＣトーン１１２０の上にある、２つの部分、たとえば、センターＲＵ部分−３Ａ  １１１８ＡとセンターＲＵ部分−３Ｂ  １１１８Ｂとにスプリットされ得る。センターＲＵ部分−３Ａ  １１１８ＡおよびセンターＲＵ部分−３Ｂ  １１１８Ｂの各々は、７つのトーンを含み得る。
【００８６】
[00110]リソース割振り１１６０では、リソース割振り１１１０と比較して、センターＲＵ部分−３Ａ  １１１８ＡおよびセンターＲＵ部分−３Ｂ  １１１８Ｂは、エッジＲＵ部分−３Ａ  １１６８ＡおよびエッジＲＵ部分−３Ｂ  １１６８Ｂと置き換えられる。たとえば、ＲＵ−３  １１６８は、それらのうちの一方が左ガードトーン１１２２に隣接して配置され、他方が右ガードトーン１１２４に隣接して配置される、エッジＲＵ部分−３Ａ  １１６８ＡとエッジＲＵ部分−３Ｂ  １１６８Ｂとにスプリットされる。エッジＲＵ部分−３Ａ  １１６８Ａは、周波数において左ガードトーン１１２２の上にあり、エッジＲＵ部分−３Ｂ  １１６８Ｂは、周波数において右ガードトーン１１２４の下にある。いくつかの構成では、エッジＲＵ部分−３Ａ／３Ｂ  １１６８Ａ、１１６８Ｂは、データを通信するために使用されないことがあり、追加のガードトーンとして使用されることがある。
【００８７】
[00111]例示的なリソース割振りは、以下の通りであり得る。１つのユーザの場合、ユーザは、２４２トーン・リソース・グラニュラリティ数霊術（たとえば、２３４個のデータトーンおよび８つのパイロットトーン）を使用し得るか、またはユーザは、２０ＭＨｚ帯域幅のすべてのＲＵ（たとえば、ＲＵ−１〜ＲＵ−２  １１１６およびＲＵ−３  １１１８）を割り振られ得る。２つのユーザの場合、第１のユーザは、ＲＵ−１〜ＲＵ−２  １１１６（たとえば、２つのＲＵ）を割り振られ得、第２のユーザは、センターＲＵ部分−３Ａ／３Ｂ  １１１８Ａ、１１１８Ｂ、またはエッジＲＵ部分−３Ａ／３Ｂ  １１６８Ａ、１１６８Ｂを割り振られ得る。３つのユーザの場合、第１のユーザは、１つのＲＵ１１１６を割り振られ得、第２のユーザは、１つのＲＵ１１１６を割り振られ得、第３のユーザは、センターＲＵ部分−３Ａ／３Ｂ  １１１８Ａ、１１１８Ｂ、またはエッジＲＵ部分−３Ａ／３Ｂ  １１６８Ａ、１１６８Ｂを割り振られ得る。特に、センターＲＵ部分−３Ａ／３Ｂ  １１１８Ａ、１１１８Ｂ、またはエッジＲＵ部分−３Ａ／３Ｂ  １１６８Ａ、１１６８Ｂは、まとめて、１４個のトーンのサイズを有し得、１４個のトーンは、１２個のデータトーンと２つのパイロットトーンとを含み得る。
【００８８】
[00112]図１２は、ＷＬＡＮにおける４０ＭＨｚ帯域幅のチャネル８０６上の第１の例示的なリソース割振りを示す図１２００である。リソース割振り１２１０では、５１２個のトーンを有する４０ＭＨｚ帯域幅が使用され得る。この例では、４０ＭＨｚ帯域幅は、データを通信するために使用される、２６個のトーンの１６〜１９個のＲＵを含み得る。一例として、図１２は、１９個のＲＵ（たとえば、ＲＵ−１〜ＲＵ−１８  １２１６およびＲＵ−１９  １２１８）を示す。ＲＵ−１〜ＲＵ−１８  １２１６の各々は、２６個のトーンを有し得る。さらに、２６個のトーンは、２４個のデータトーンと２つのパイロットトーンとを含み得る。４０ＭＨｚ帯域幅は、一緒に、周波数の下端にある左ガードトーン１２２２と、周波数の上端にある右ガードトーン１２２４とを含み得る。左ガードトーン１２２２および右ガードトーン１２２４は、所定の数の、たとえば、１１個のガードトーンを含み得る。さらに、４０ＭＨｚ帯域幅は、４０ＭＨｚ帯域幅のセンターにいくつかのＤＣトーン１２２０を含み得る。一例として、ＤＣトーン１２２０の数は、５（または７）であると決定され得る。ＲＵ−１９  １２１８は、それらのうちの一方がＤＣトーン１２２０の下にあり、他方がＤＣトーン１２２０の上にある、２つの部分、たとえば、センターＲＵ部分−１９Ａ  １２１８ＡとセンターＲＵ部分−１９Ｂ  １２１８Ｂとにスプリットされ得る。センターＲＵ部分−１９Ａ  １２１８ＡおよびセンターＲＵ部分−１９Ｂ  １２１８Ｂの各々は、１３個のトーンを含み得る。
【００８９】
[00113]リソース割振り１２６０では、リソース割振り１２１０と比較して、センターＲＵ部分−１９Ａ  １２１８ＡおよびセンターＲＵ部分−１９Ｂ  １２１８Ｂは、エッジＲＵ部分−１９Ａ  １２６８ＡおよびエッジＲＵ部分−１９Ｂ  １２６８Ｂと置き換えられる。たとえば、ＲＵ−１９  １２６８は、それらのうちの一方が左ガードトーン１２２２に隣接して配置され、他方が右ガードトーン１２２４に隣接して配置される、エッジＲＵ部分−１９Ａ  １２６８ＡとエッジＲＵ部分−１９Ｂ  １２６８Ｂとにスプリットされる。エッジＲＵ部分−１９Ａ  １２６８Ａは、周波数において左ガードトーン１２２２の上にあり、エッジＲＵ部分−１９Ｂ  １２６８Ｂは、周波数において右ガードトーン１２２４の下にある。いくつかの構成では、エッジＲＵ部分−１９Ａ／１９Ｂ  １２６８Ａ、１２６８Ｂは、データを通信するために使用されないことがあり、追加のガードトーンとして使用されることがある。
【００９０】
[00114]例示的なリソース割振りは、以下の通りであり得る。１つのユーザの場合、ユーザは、４８４トーン・リソース・グラニュラリティ数霊術（たとえば、４６８個のデータトーンおよび１６個のパイロットトーン）を使用し得るか、またはユーザは、４０ＭＨｚ帯域幅のすべてのＲＵ（たとえば、ＲＵ−１〜ＲＵ−１８  １２１６およびＲＵ−１９  １２１８）を割り振られ得る。２つのユーザの場合、第１のユーザは、ＲＵ−１〜ＲＵ−１８  １２１６（たとえば、１８個のＲＵ）を割り振られ得、第２のユーザは、センターＲＵ部分−１９Ａ／１９Ｂ  １２１８Ａ、１２１８Ｂ、またはエッジＲＵ部分−１９Ａ／１９Ｂ  １２６８Ａ、１２６８Ｂ（たとえば、１つのＲＵ）を割り振られ得る。３つのユーザの場合、第１のユーザは、９つのＲＵ１２１６を割り振られ得、第２のユーザは、９つのＲＵ１２１６を割り振られ得、第３のユーザは、センターＲＵ部分−１９Ａ／１９Ｂ  １２１８Ａ、１２１８Ｂ、またはエッジＲＵ部分−１９Ａ／１９Ｂ  １２６８Ａ、１２６８Ｂを割り振られ得る。特に、センターＲＵ部分−１９Ａ／１９Ｂ  １２１８Ａ、１２１８Ｂ、またはエッジＲＵ部分−１９Ａ／１９Ｂ  １２６８Ａ、１２６８Ｂは、まとめて、２６個のトーンのサイズを有し得、２６個のトーンは、２４個のデータトーンと２つのパイロットトーンとを含み得る。
【００９１】
[00115]別の構成では、センターＲＵ部分−１９Ａ／１９Ｂ  １２１８Ａ、１２１８Ｂ（またはエッジＲＵ部分−１９Ａ／１９Ｂ  １２６８Ａ、１２６８Ｂ）は、それぞれ、ＲＵ−９  １２１６およびＲＵ−１０  １２１６のトーンを含むように拡張され得る。言い換えれば、ＲＵ−１９  １２１６およびＲＵ−１０  １２１６は取り除かれ（removed）得、ＲＵ−１９  １２１８は７８個のトーンを有し得る。
【００９２】
[00116]図１３は、ＷＬＡＮにおける４０ＭＨｚ帯域幅のチャネル８０６上の第２の例示的なリソース割振りを示す図１３００である。リソース割振り１３１０では、５１２個のトーンを有する４０ＭＨｚ帯域幅が使用され得る。この例では、４０ＭＨｚ帯域幅は、データを通信するために使用される、９つのＲＵ（たとえば、ＲＵ−１〜ＲＵ−８  １３１６およびＲＵ−９  １３１８）を含み得る。一例として、ＲＵ１３１６の各々は５６個のトーンを有し得る。４０ＭＨｚ帯域幅は、周波数の下端にある左ガードトーン１３２２と、周波数の上端にある右ガードトーン１３２４とを含み得る。左ガードトーン１３２２および右ガードトーン１３２４は、一緒に、所定の数の、たとえば、１１個のガードトーンを含み得る。さらに、４０ＭＨｚ帯域幅は、４０ＭＨｚ帯域幅のセンターにいくつかのＤＣトーン１３２０を含み得る。一例として、ＤＣトーン１３２０の数は、１１であると決定され得る。ＲＵ−９  １３１８は、それらのうちの一方が周波数においてＤＣトーン１３２０の下にあり、他方が周波数においてＤＣトーン１３２０の上にある、２つの部分、たとえば、センターＲＵ部分−９Ａ  １３１８ＡとセンターＲＵ部分−９Ｂ  １３１８Ｂとにスプリットされ得る。センターＲＵ部分−９Ａ  １３１８ＡおよびセンターＲＵ部分−９Ｂ  １３１８Ｂの各々は、２１個のトーンを含み得る。
【００９３】
[00117]リソース割振り１３６０では、リソース割振り１３１０と比較して、センターＲＵ部分−９Ａ  １３１８ＡおよびセンターＲＵ部分−９Ｂ  １３１８Ｂは、エッジＲＵ部分−９Ａ  １３６８ＡおよびエッジＲＵ部分−９Ｂ  １３６８Ｂと置き換えられる。たとえば、ＲＵ−９  １３６８は、それらのうちの一方が左ガードトーン１３２２に隣接して配置され、他方が右ガードトーン１３２４に隣接して配置される、エッジＲＵ部分−９Ａ  １３６８ＡとエッジＲＵ部分−９Ｂ  １３６８Ｂとにスプリットされる。エッジＲＵ部分−９Ａ  １３６８Ａは、周波数において左ガードトーン１３２２の上にあり、エッジＲＵ部分−９Ｂ  １３６８Ｂは、周波数において右ガードトーン１３２４の下にある。いくつかの構成では、エッジＲＵ−９Ａ／９Ｂ  １３６８Ａ、１３６８Ｂは、データを通信するために使用されないことがあり、追加のガードトーンとして使用されることがある。
【００９４】
[00118]例示的なリソース割振りは、以下の通りであり得る。１つのユーザの場合、ユーザは、４８４トーン・リソース・グラニュラリティ数霊術（たとえば、４６８個のデータトーンおよび１６個のパイロットトーン）を使用し得るか、またはユーザは、４０ＭＨｚ帯域幅のすべてのＲＵ（たとえば、ＲＵ−１〜ＲＵ−８  １３１６およびＲＵ−９  １３１８）を割り振られ得る。２つのユーザの場合、第１のユーザは、ＲＵ−１〜ＲＵ−８  １３１６（たとえば、８つのＲＵ）を割り振られ得、第２のユーザは、センターＲＵ−９Ａ／９Ｂ  １３１８Ａ、１３１８Ｂ、またはエッジＲＵ−９Ａ／９Ｂ  １３６８Ａ、１３６８Ｂを割り振られ得る。３つのユーザの場合、第１のユーザは、４つのＲＵ１３１６を割り振られ得、第２のユーザは、４つのＲＵ１３１６を割り振られ得、第３のユーザは、センターＲＵ−９Ａ／９Ｂ  １３１８Ａ、１３１８Ｂ、またはエッジＲＵ−９Ａ／９Ｂ  １３６８Ａ、１３６８Ｂを割り振られ得る。様々な他の組合せが可能である。特に、４２個のトーンのサイズを有するＲＵ−９  １３１８は、３つの１４トーン割振りに等しくなり得る。各１４トーン割振りは、１２個のデータトーンと２つのパイロットトーンとを含み得る。
【００９５】
[00119]図１４は、ＷＬＡＮにおける４０ＭＨｚ帯域幅のチャネル８０６上の第３の例示的なリソース割振りを示す図１４００である。リソース割振り１４１０では、５１２個のトーンを有する４０ＭＨｚ帯域幅が使用され得る。この例では、４０ＭＨｚ帯域幅は、データを通信するために使用される、５つのＲＵ（たとえば、ＲＵ−１〜ＲＵ−４  １４１６およびＲＵ−５  １４１８）を含み得る。一例として、ＲＵ−１〜ＲＵ−４  １４１６の各々は、１１４個のトーンを有し得る。４０ＭＨｚ帯域幅は、周波数の下端にある左ガードトーン１４２２と、周波数の上端にある右ガードトーン１４２４とを含み得る。左ガードトーン１４２２および右ガードトーン１４２４は、所定の数の、たとえば、１１個または９つのガードトーンを含み得る。さらに、４０ＭＨｚ帯域幅は、４０ＭＨｚ帯域幅のセンターにいくつかのＤＣトーン１４２０を含み得る。一例として、ＤＣトーン１４２０の数は、３または５であると決定され得る。ＲＵ−５  １４１８は、それらのうちの一方がＤＣトーン１４２０の下にあり、他方がＤＣトーン１４２０の上にある、２つの部分、たとえば、センターＲＵ部分−５Ａ  １４１８ＡとセンターＲＵ部分−５Ｂ  １４１８Ｂとにスプリットされ得る。センターＲＵ部分−５Ａ  １４１８ＡおよびセンターＲＵ部分−５Ｂ  １４１８Ｂの各々は、２１個のトーンを含み得る。
【００９６】
[00120]リソース割振り１４６０では、リソース割振り１４１０と比較して、センターＲＵ部分−５Ａ  １４１８ＡおよびセンターＲＵ部分−５Ｂ  １４１８Ｂは、エッジＲＵ部分−５Ａ  １４６８ＡおよびエッジＲＵ部分−５Ｂ  １４６８Ｂと置き換えられる。たとえば、ＲＵ−５  １４６８は、それらのうちの一方が左ガードトーン１４２２に隣接して配置され、他方が右ガードトーン１４２４に隣接して配置される、エッジＲＵ部分−５Ａ  １４６８ＡとエッジＲＵ部分−５Ｂ  １４６８Ｂとにスプリットされる。エッジＲＵ部分−５Ａ  １４６８Ａは、周波数において左ガードトーン１４２２の上にあり、エッジＲＵ部分−５Ｂ  １４６８Ｂは、周波数において右ガードトーン１４２４の下にある。
【００９７】
[00121]いくつかの構成では、エッジＲＵ部分−５Ａ／５Ｂ  １４６８Ａ、１４６８Ｂは、データを通信するために使用されないことがあり、追加のガードトーンとして使用されることがある。
【００９８】
[00122]例示的なリソース割振りは、以下の通りであり得る。１つのユーザの場合、ユーザは、４８４トーン・リソース・グラニュラリティ数霊術（たとえば、４６８個のデータトーンおよび１６個のパイロットトーン）を使用し得るか、またはユーザは、４０ＭＨｚ帯域幅のすべてのＲＵ（たとえば、ＲＵ−１〜ＲＵ−４  １４１６およびＲＵ−５  １４１８）を割り振られ得る。２つのユーザの場合、第１のユーザは、ＲＵ−１〜ＲＵ−４  １４１６（たとえば、４つのＲＵ）を割り振られ得、第２のユーザは、センターＲＵ部分−５Ａ／５Ｂ  １４１８Ａ、１４１８Ｂ、またはエッジＲＵ部分−５Ａ／５Ｂ  １４６８Ａ、１４６８Ｂ（たとえば、１つのＲＵ）を割り振られ得る。３つのユーザの場合、第１のユーザは、２つのＲＵ１４１６を割り振られ得、第２のユーザは、２つのＲＵ１４１６を割り振られ得、第３のユーザは、センターＲＵ部分−５Ａ／５Ｂ  １４１８Ａ、１４１８Ｂ、またはエッジＲＵ部分−５Ａ／５Ｂ  １４６８Ａ、１４６８Ｂを割り振られ得る。様々な他の組合せが可能である。特に、４２個のトーンのサイズを有するＲＵ−５  １４１８は、３つの１４トーン割振りに等しくなり得る。各１４トーン割振りは、１２個のデータトーンと２つのパイロットトーンとを含み得る。
【００９９】
[00123]図１５は、ＷＬＡＮにおける４０ＭＨｚ帯域幅のチャネル８０６上の第４の例示的なリソース割振りを示す図１５００である。リソース割振り１５１０では、５１２個のトーンを有する４０ＭＨｚ帯域幅が使用され得る。この例では、４０ＭＨｚ帯域幅は、データを通信するために使用される、３つのＲＵ（たとえば、ＲＵ−１〜ＲＵ−２  １５１６およびＲＵ−３  １５１８）を含み得る。一例として、ＲＵ−１〜ＲＵ−２  １５１６の各々は、２４２個のトーンを有し得る。さらに、２４２個のトーンは、２３４個のデータトーンと８つのパイロットトーンとを含み得る。４０ＭＨｚ帯域幅は、周波数の下端にある左ガードトーン１５２２と、周波数の上端にある右ガードトーン１５２４とを含み得る。左ガードトーン１５２２および右ガードトーン１５２４は、所定の数の、たとえば、１１個または９つのガードトーンを含み得る。さらに、４０ＭＨｚ帯域幅は、４０ＭＨｚ帯域幅のセンターにいくつかのＤＣトーン１５２０を含み得る。一例として、ＤＣトーン１５２０の数は、３、５、またはそれ以上であると決定され得る。ＲＵ−３  １５１８は、それらのうちの一方がＤＣトーン１５２０の下にあり、他方がＤＣトーン１５２０の上にある、２つの部分、たとえば、センターＲＵ部分−３Ａ  １５１８ＡとセンターＲＵ部分−３Ｂ  １５１８Ｂとにスプリットされ得る。センターＲＵ部分−３Ａ  １５１８ＡおよびセンターＲＵ部分−３Ｂ  １５１８Ｂの各々は、７つのトーンを含み得る。
【０１００】
[00124]リソース割振り１５６０では、リソース割振り１５１０と比較して、センターＲＵ部分−３Ａ  １５１８ＡおよびセンターＲＵ部分−３Ｂ  １５１８Ｂは、エッジＲＵ部分−３Ａ  １５６８ＡおよびエッジＲＵ部分−３Ｂ  １５６８Ｂと置き換えられる。たとえば、ＲＵ−３  １５６８は、それらのうちの一方が左ガードトーン１５２２に隣接して配置され、他方が右ガードトーン１５２４に隣接して配置される、エッジＲＵ部分−３Ａ  １５６８ＡとエッジＲＵ部分−３Ｂ  １５６８Ｂとにスプリットされる。エッジＲＵ部分−３Ａ  １５６８Ａは、周波数において左ガードトーン１５２２の上にあり、エッジＲＵ部分−３Ｂ  １５６８Ｂは、周波数において右ガードトーン１５２４の下にある。いくつかの構成では、エッジＲＵ部分−３Ａ／３Ｂ  １５６８Ａ、１５６８Ｂは、データを通信するために使用されないことがあり、追加のガードトーンとして使用されることがある。
【０１０１】
[00125]例示的なリソース割振りは、以下の通りであり得る。１つのユーザの場合、ユーザは、４８４トーン・リソース・グラニュラリティ数霊術（たとえば、４６８個のデータトーンおよび１６個のパイロットトーン）を使用し得るか、またはユーザは、４０ＭＨｚ帯域幅のすべてのＲＵ（たとえば、ＲＵ−１〜ＲＵ−２  １５１６およびＲＵ−３  １５１８）を割り振られ得る。２つのユーザの場合、第１のユーザは、ＲＵ−１〜ＲＵ−２  １５１６（たとえば、２つのＲＵ）を割り振られ得、第２のユーザは、センターＲＵ部分−３Ａ／３Ｂ  １５１８Ａ、１５１８Ｂ、またはエッジＲＵ部分−３Ａ／３Ｂ  １５６８Ａ、１５６８Ｂ（たとえば、１つのＲＵ）を割り振られ得る。３つのユーザの場合、第１のユーザは、１つのＲＵ１５１６を割り振られ得、第２のユーザは、１つのＲＵ１５１６を割り振られ得、第３のユーザは、センターＲＵ部分−３Ａ／３Ｂ  １５１８Ａ、１５１８Ｂ、またはエッジＲＵ部分−３Ａ／３Ｂ  １５６８Ａ、１５６８Ｂを割り振られ得る。特に、センターＲＵ部分−３Ａ／３Ｂ  １５１８Ａ、１５１８Ｂ、またはエッジＲＵ部分−３Ａ／３Ｂ  １５６８Ａ、１５６８Ｂは、まとめて、１４個のトーンのサイズを有し得、１４個のトーンは、１２個のデータトーンと２つのパイロットトーンとを含み得る。
【０１０２】
[00126]図１６は、ＷＬＡＮにおける８０ＭＨｚ帯域幅のチャネル８０６上の第１の例示的なリソース割振りを示す図１６００である。リソース割振り１６１０では、１０２４個のトーンを有する８０ＭＨｚ帯域幅が使用され得る。この例では、８０ＭＨｚ帯域幅は、データを通信するために使用される、３２個またはそれ以上の２６トーンＲＵを含み得る。一例として、図１６は、３３個のＲＵ（たとえば、ＲＵ−１〜ＲＵ−３２  １６１６およびＲＵ−３３  １６１８）を示す。ＲＵ−１〜ＲＵ−３２  １６１６の各々は、２６個のトーンを有し得る。さらに、２６個のトーンは、２４個のデータトーンと２つのパイロットトーンとを含み得る。８０ＭＨｚ帯域幅は、一緒に、周波数の下端にある左ガードトーン１６２２と、周波数の上端にある右ガードトーン１６２４とを含み得る。左ガードトーン１６２２および右ガードトーン１６２４は、所定の数の、たとえば、１１個のガードトーンを含み得る。さらに、８０ＭＨｚ帯域幅は、８０ＭＨｚ帯域幅のセンターにいくつかのＤＣトーン１６２０を含み得る。一例として、ＤＣトーン１６２０の数は、１１であると決定され得る。ＲＵ−３３  １６１８は、それらのうちの一方がＤＣトーン１６２０の下にあり、他方がＤＣトーン１６２０の上にある、２つの部分、たとえば、センターＲＵ部分−３３Ａ  １６１８ＡとセンターＲＵ部分−３３Ｂ  １６１８Ｂとにスプリットされ得る。センターＲＵ部分−３３Ａ  １６１８ＡおよびセンターＲＵ部分−３３Ｂ  １６１８Ｂの各々は、８５個のトーンを含み得る。
【０１０３】
[00127]リソース割振り１６６０では、リソース割振り１６１０と比較して、センターＲＵ部分−３３Ａ  １６１８ＡおよびセンターＲＵ部分−３３Ｂ  １６１８Ｂは、エッジＲＵ部分−３３Ａ  １６６８ＡおよびエッジＲＵ部分−３３Ｂ  １６６８Ｂと置き換えられる。たとえば、ＲＵ−３３  １６６８は、それらのうちの一方が左ガードトーン１６２２に隣接して配置され、他方が右ガードトーン１６２４に隣接して配置される、エッジＲＵ部分−３３Ａ  １６６８ＡとエッジＲＵ部分−３３Ｂ  １６６８Ｂとにスプリットされる。エッジＲＵ部分−３３Ａ  １６６８Ａは、周波数において左ガードトーン１６２２の上にあり、エッジＲＵ部分−３３Ｂ  １６６８Ｂは、周波数において右ガードトーン１６２４の下にある。いくつかの構成では、エッジＲＵ部分−３３Ａ／３３Ｂ  １６６８Ａ、１６６８Ｂは、データを通信するために使用されないことがあり、追加のガードトーンとして使用されることがある。
【０１０４】
[00128]例示的なリソース割振りは、以下の通りであり得る。１つのユーザの場合、ユーザは、１０２４トーン・リソース・グラニュラリティ数霊術を使用し得るか、またはユーザは、８０ＭＨｚ帯域幅のすべてのＲＵ（たとえば、ＲＵ−１〜ＲＵ−３２  １６１６およびＲＵ−３３  １６１８）を割り振られ得る。２つのユーザの場合、第１のユーザは、ＲＵ−１〜ＲＵ−３２  １６１６（たとえば、３２個のＲＵ）を割り振られ得、第２のユーザは、センターＲＵ部分−３３Ａ／Ｂ  １６１８Ａ、１６１８Ｂ、またはエッジＲＵ部分−３３Ａ／３３Ｂ  １６６８Ａ、１６６８Ｂ（たとえば、１つのＲＵ）を割り振られ得る。３つのユーザの場合、第１のユーザは、１６個のＲＵ１６１６を割り振られ得、第２のユーザは、１６個のＲＵ１６１６を割り振られ得、第３のユーザは、センターＲＵ部分−３３Ａ／Ｂ  １６１８Ａ、１６１８Ｂ、またはエッジＲＵ部分−３３Ａ／３３Ｂ  １６６８Ａ、１６６８Ｂを割り振られ得る。特に、まとめて１７０個のトーンのサイズを有する、センターＲＵ部分−３３Ａ／Ｂ  １６１８Ａ、１６１８Ｂ、またはエッジＲＵ部分−３３Ａ／３３Ｂ  １６６８Ａ、１６６８Ｂは、１つの１１４トーン割振りおよび１つの５６トーン割振りに等しくなり得る。１１４トーン割振りは、１０８個のデータトーンと６つのパイロットトーンとを含み得る。５６トーン割振りは、５２個のデータトーンと４つのパイロットトーンとを含み得る。
【０１０５】
[00129]図１７は、ＷＬＡＮにおける８０ＭＨｚ帯域幅のチャネル８０６上の第２の例示的なリソース割振りを示す図１７００である。リソース割振り１７１０では、１０２４個のトーンを有する８０ＭＨｚ帯域幅が使用され得る。この例では、８０ＭＨｚ帯域幅は、データを通信するために使用される、１６個またはそれ以上の５６トーンＲＵを含み得る。一例として、図１７は、１７個のＲＵ（たとえば、ＲＵ−１〜ＲＵ−１６  １７１６およびＲＵ−１７  １７１８）を示す。ＲＵ−１〜ＲＵ−１６  １７１６の各々は、５６個のトーンを有し得る。さらに、５６個のトーンは、５２個のデータトーンと４つのパイロットトーンとを含み得る。８０ＭＨｚ帯域幅は、一緒に、周波数の下端にある左ガードトーン１７２２と、周波数の上端にある右ガードトーン１７２４とを含み得る。左ガードトーン１７２２および右ガードトーン１７２４は、所定の数の、たとえば、１１個のガードトーンを含み得る。さらに、８０ＭＨｚ帯域幅は、８０ＭＨｚ帯域幅のセンターにいくつかのＤＣトーン１７２０を含み得る。一例として、ＤＣトーン１７２０の数は、５であると決定され得る。ＲＵ−１７  １７１８は、それらのうちの一方がＤＣトーン１７２０の下にあり、他方がＤＣトーン１７２０の上にある、２つの部分、たとえば、センターＲＵ部分−１７Ａ  １７１８ＡとセンターＲＵ部分−１７Ｂ  １７１８Ｂとにスプリットされ得る。センターＲＵ部分−１７Ａ  １７１８ＡおよびセンターＲＵ部分−１７Ｂ  １７１８Ｂの各々は、５６個のトーンを含み得る。
【０１０６】
[00130]リソース割振り１７６０では、リソース割振り１７１０と比較して、センターＲＵ部分−１７Ａ  １７１８ＡおよびセンターＲＵ部分−１７Ｂ  １７１８Ｂは、エッジＲＵ部分−１７Ａ  １７６８ＡおよびエッジＲＵ部分−１７Ｂ  １７６８Ｂと置き換えられる。たとえば、ＲＵ−１７  １７６８は、それらのうちの一方が左ガードトーン１７２２に隣接して配置され、他方が右ガードトーン１７２４に隣接して配置される、エッジＲＵ部分−１７Ａ  １７６８ＡとエッジＲＵ部分−１７Ｂ  １７６８Ｂとにスプリットされる。エッジＲＵ部分−１７Ａ  １７６８Ａは、周波数において左ガードトーン１７２２の上にあり、エッジＲＵ部分−１７Ｂ  １７６８Ｂは、周波数において右ガードトーン１７２４の下にある。いくつかの構成では、エッジＲＵ部分−１７Ａ／１７Ｂ  １７６８Ａ、１７６８Ｂは、データを通信するために使用されないことがあり、追加のガードトーンとして使用されることがある。
【０１０７】
[00131]例示的なリソース割振りは、以下の通りであり得る。１つのユーザの場合、ユーザは、１０２４トーン・リソース・グラニュラリティ数霊術を使用し得るか、またはユーザは、８０ＭＨｚ帯域幅のすべてのＲＵ（たとえば、ＲＵ−１〜ＲＵ−１６  １７１６およびＲＵ−１７  １７１８）を割り振られ得る。２つのユーザの場合、第１のユーザは、ＲＵ−１〜ＲＵ−１６  １７１６（たとえば、１６個のＲＵ）を割り振られ得、第２のユーザは、センターＲＵ部分−１７Ａ／１７Ｂ  １７１８Ａ、１７１８Ｂ、またはエッジＲＵ部分−１７Ａ／１７Ｂ  １７６８Ａ、１７６８Ｂ（たとえば、１つのＲＵ）を割り振られ得る。３つのユーザの場合、第１のユーザは、８つのＲＵ１７１６を割り振られ得、第２のユーザは、８つのＲＵ１７１６を割り振られ得、第３のユーザは、センターＲＵ部分−１７Ａ／１７Ｂ  １７１８Ａ、１７１８Ｂ、またはエッジＲＵ部分−１７Ａ／１７Ｂ  １７６８Ａ、１７６８Ｂを割り振られ得る。特に、まとめて１１２個のトーンのサイズを有する、センターＲＵ部分−１７Ａ／１７Ｂ  １７１８Ａ、１７１８Ｂ、またはエッジＲＵ部分−１７Ａ／１７Ｂ  １７６８Ａ、１７６８Ｂは、２つの５６トーン割振りに等しくなり得る。５６トーン割振りは、５２個のデータトーンと４つのパイロットトーンとを含み得る。
【０１０８】
[00132]図１８は、ＷＬＡＮにおける８０ＭＨｚ帯域幅のチャネル８０６上の第３の例示的なリソース割振りを示す図１８００である。リソース割振り１８１０では、１０２４個のトーンを有する８０ＭＨｚ帯域幅が使用され得る。この例では、８０ＭＨｚ帯域幅は、データを通信するために使用される、９つのＲＵ（たとえば、ＲＵ−１〜ＲＵ−８  １８１６およびＲＵ−９  １８１８）を含み得る。一例として、ＲＵ１８１６の各々は１１４個のトーンを有し得る。８０ＭＨｚ帯域幅は、周波数の下端にある左ガードトーン１８２２と、周波数の上端にある右ガードトーン１８２４とを含み得る。左ガードトーン１８２２および右ガードトーン１８２４は、一緒に、所定の数の、たとえば、１１個のガードトーンを含み得る。さらに、８０ＭＨｚ帯域幅は、８０ＭＨｚ帯域幅のセンターにいくつかのＤＣトーン１８２０を含み得る。一例として、ＤＣトーン１８２０の数は、５であると決定され得る。ＲＵ−９  １８１８は、それらのうちの一方が周波数においてＤＣトーン１８２０の下にあり、他方が周波数においてＤＣトーン１８２０の上にある、２つの部分、たとえば、センターＲＵ部分−９Ａ  １８１８ＡとセンターＲＵ部分−９Ｂ  １８１８Ｂとにスプリットされ得る。センターＲＵ部分−９Ａ  １８１８ＡおよびセンターＲＵ部分−９Ｂ  １８１８Ｂの各々は、４８個のトーンを含み得る。
【０１０９】
[00133]リソース割振り１８６０では、リソース割振り１８１０と比較して、センターＲＵ部分−９Ａ  １８１８ＡおよびセンターＲＵ部分−９Ｂ  １８１８Ｂは、エッジＲＵ部分−９Ａ  １８６８ＡおよびエッジＲＵ部分−９Ｂ  １８６８Ｂと置き換えられる。たとえば、ＲＵ−９  １８６８は、それらのうちの一方が左ガードトーン１８２２に隣接して配置され、他方が右ガードトーン１８２４に隣接して配置される、エッジＲＵ部分−９Ａ  １８６８ＡとエッジＲＵ部分−９Ｂ  １８６８Ｂとにスプリットされる。エッジＲＵ部分−９Ａ  １８６８Ａは、周波数において左ガードトーン１８２２の上にあり、エッジＲＵ部分−９Ｂ  １８６８Ｂは、周波数において右ガードトーン１８２４の下にある。いくつかの構成では、エッジＲＵ−９Ａ／９Ｂ  １８６８Ａ、１８６８Ｂは、データを通信するために使用されないことがあり、追加のガードトーンとして使用されることがある。
【０１１０】
[00134]例示的なリソース割振りは、以下の通りであり得る。１つのユーザの場合、ユーザは、１０２４トーン・リソース・グラニュラリティ数霊術を使用し得るか、またはユーザは、８０ＭＨｚ帯域幅のすべてのＲＵ（たとえば、ＲＵ−１〜ＲＵ−８  １８１６およびＲＵ−９  １８１８）を割り振られ得る。２つのユーザの場合、第１のユーザは、ＲＵ−１〜ＲＵ−８  １８１６（たとえば、８つのＲＵ）を割り振られ得、第２のユーザは、センターＲＵ−９Ａ／９Ｂ  １８１８Ａ、１８１８Ｂ、またはエッジＲＵ−９Ａ／９Ｂ  １８６８Ａ、１８６８Ｂ（たとえば、１つのＲＵ）を割り振られ得る。３つのユーザの場合、第１のユーザは、４つのＲＵ１８１６を割り振られ得、第２のユーザは、４つのＲＵ１８１６を割り振られ得、第３のユーザは、センターＲＵ−９Ａ／９Ｂ  １８１８Ａ、１８１８Ｂ、またはエッジＲＵ−９Ａ／９Ｂ  １８６８Ａ、１８６８Ｂを割り振られ得る。様々な他の組合せが可能である。特に、９６個のトーンのサイズを有するＲＵ−９  １８１８は、１つの５６トーン割振り、１つの２６トーン割振り、および１つの１４トーン割振りに等しくなり得る。５６トーン割振りは、５２個のデータトーンと４つのパイロットトーンとを含み得る。２６トーン割振りは、２４個のデータトーンと２つのパイロットトーンとを含み得る。１４トーン割振りは、１２個のデータトーンと２つのパイロットトーンとを含み得る。
【０１１１】
[00135]図１９は、ＷＬＡＮにおける８０ＭＨｚ帯域幅のチャネル８０６上の第４の例示的なリソース割振りを示す図１９００である。リソース割振り１９１０では、１０２４個のトーンを有する８０ＭＨｚ帯域幅が使用され得る。この例では、８０ＭＨｚ帯域幅は、データを通信するために使用される、５つのＲＵ（たとえば、ＲＵ−１〜ＲＵ−４  １９１６およびＲＵ−５  １９１８）を含み得る。一例として、ＲＵ−１〜ＲＵ−４  １９１６の各々は、２４２個のトーンを有し得る。さらに、２４２個のトーンは、２３４個のデータトーンと８つのパイロットトーンとを含み得る。８０ＭＨｚ帯域幅は、周波数の下端にある左ガードトーン１９２２と、周波数の上端にある右ガードトーン１９２４とを含み得る。左ガードトーン１９２２および右ガードトーン１９２４は、所定の数の、たとえば、１１個または９つのガードトーンを含み得る。さらに、８０ＭＨｚ帯域幅は、８０ＭＨｚ帯域幅のセンターにいくつかのＤＣトーン１９２０を含み得る。一例として、ＤＣトーン１９２０の数は、３または５であると決定され得る。ＲＵ−５  １９１８は、それらのうちの一方がＤＣトーン１９２０の下にあり、他方がＤＣトーン１９２０の上にある、２つの部分、たとえば、センターＲＵ部分−５Ａ  １９１８ＡとセンターＲＵ部分−５Ｂ  １９１８Ｂとにスプリットされ得る。センターＲＵ部分−５Ａ  １９１８ＡおよびセンターＲＵ部分−５Ｂ  １９１８Ｂの各々は、２１個のトーンを含み得る。
【０１１２】
[00136]リソース割振り１９６０では、リソース割振り１９１０と比較して、センターＲＵ部分−５Ａ  １９１８ＡおよびセンターＲＵ部分−５Ｂ  １９１８Ｂは、エッジＲＵ部分−５Ａ  １９６８ＡおよびエッジＲＵ部分−５Ｂ  １９６８Ｂと置き換えられる。たとえば、ＲＵ−５  １９６８は、それらのうちの一方が左ガードトーン１９２２に隣接して配置され、他方が右ガードトーン１９２４に隣接して配置される、エッジＲＵ部分−５Ａ  １９６８ＡとエッジＲＵ部分−５Ｂ  １９６８Ｂとにスプリットされる。エッジＲＵ部分−５Ａ  １９６８Ａは、周波数において左ガードトーン１９２２の上にあり、エッジＲＵ部分−５Ｂ  １９６８Ｂは、周波数において右ガードトーン１９２４の下にある。いくつかの構成では、エッジＲＵ部分−５Ａ／５Ｂ  １９６８Ａ、１９６８Ｂは、データを通信するために使用されないことがあり、追加のガードトーンとして使用されることがある。
【０１１３】
[00137]例示的なリソース割振りは、以下の通りであり得る。１つのユーザの場合、ユーザは、１０２４トーン・リソース・グラニュラリティ数霊術を使用し得るか、またはユーザは、８０ＭＨｚ帯域幅のすべてのＲＵ（たとえば、ＲＵ−１〜ＲＵ−４  １９１６およびＲＵ−５  １９１８）を割り振られ得る。２つのユーザの場合、第１のユーザは、ＲＵ−１〜ＲＵ−４  １９１６（たとえば、４つのＲＵ）を割り振られ得、第２のユーザは、センターＲＵ部分−５Ａ／５Ｂ  １９１８Ａ、１９１８Ｂ、またはエッジＲＵ部分−５Ａ／５Ｂ  １９６８Ａ、１９６８Ｂ（たとえば、１つのＲＵ）を割り振られ得る。３つのユーザの場合、第１のユーザは、２つのＲＵ１９１６を割り振られ得、第２のユーザは、２つのＲＵ１９１６を割り振られ得、第３のユーザは、センターＲＵ部分−５Ａ／５Ｂ  １９１８Ａ、１９１８Ｂ、またはエッジＲＵ部分−５Ａ／５Ｂ  １９６８Ａ、１９６８Ｂを割り振られ得る。様々な他の組合せが可能である。特に、４２個のトーンのサイズを有するＲＵ−５  １９１８は、３つの１４トーン割振りに等しくなり得る。各１４トーン割振りは、１２個のデータトーンと２つのパイロットトーンとを含み得る。
【０１１４】
[00138]図２０は、ＷＬＡＮにおける８０ＭＨｚ帯域幅のチャネル８０６上の第５の例示的なリソース割振りを示す図２０００である。リソース割振り２０１０では、１０２４個のトーンを有する８０ＭＨｚ帯域幅が使用され得る。この例では、８０ＭＨｚ帯域幅は、データを通信するために使用される、３つのＲＵ（たとえば、ＲＵ−１〜ＲＵ−２  ２０１６およびＲＵ−３  ２０１８）を含み得る。一例として、ＲＵ−１〜ＲＵ−２  ２０１６の各々は、４８４個のトーンを有し得る。さらに、４８４個のトーンは、４６８個のデータトーンと１６個のパイロットトーンとを含み得る。８０ＭＨｚ帯域幅は、周波数の下端にある左ガードトーン２０２２と、周波数の上端にある右ガードトーン２０２４とを含み得る。左ガードトーン２０２２および右ガードトーン２０２４は、所定の数の、たとえば、１１個または９つのガードトーンを含み得る。さらに、８０ＭＨｚ帯域幅は、８０ＭＨｚ帯域幅のセンターにいくつかのＤＣトーン２０２０を含み得る。一例として、ＤＣトーン２０２０の数は、３または５であると決定され得る。ＲＵ−３  ２０１８は、それらのうちの一方がＤＣトーン２０２０の下にあり、他方がＤＣトーン２０２０の上にある、２つの部分、たとえば、センターＲＵ部分−３Ａ  ２０１８ＡとセンターＲＵ部分−３Ｂ  ２０１８Ｂとにスプリットされ得る。センターＲＵ部分−３Ａ  ２０１８ＡおよびセンターＲＵ部分−３Ｂ  ２０１８Ｂの各々は、２１個のトーンまたは１３個のトーンを含み得る。
【０１１５】
[00139]リソース割振り２０６０では、リソース割振り２０１０と比較して、センターＲＵ部分−３Ａ  ２０１８ＡおよびセンターＲＵ部分−３Ｂ  ２０１８Ｂは、エッジＲＵ部分−３Ａ  ２０６８ＡおよびエッジＲＵ部分−３Ｂ  ２０６８Ｂと置き換えられる。たとえば、ＲＵ−３  ２０６８は、それらのうちの一方が左ガードトーン２０２２に隣接して配置され、他方が右ガードトーン２０２４に隣接して配置される、エッジＲＵ部分−３Ａ  ２０６８ＡとエッジＲＵ部分−３Ｂ  ２０６８Ｂとにスプリットされる。エッジＲＵ部分−３Ａ  ２０６８Ａは、周波数において左ガードトーン２０２２の上にあり、エッジＲＵ部分−３Ｂ  ２０６８Ｂは、周波数において右ガードトーン２０２４の下にある。いくつかの構成では、エッジＲＵ部分−３Ａ／３Ｂ  ２０６８Ａ、２０６８Ｂは、データを通信するために使用されないことがあり、追加のガードトーンとして使用されることがある。
【０１１６】
[00140]例示的なリソース割振りは、以下の通りであり得る。１つのユーザの場合、ユーザは、１０２４トーン・リソース・グラニュラリティ数霊術を使用し得るか、またはユーザは、８０ＭＨｚ帯域幅のすべてのＲＵ（たとえば、ＲＵ−１〜ＲＵ−２  ２０１６およびＲＵ−３  ２０１８）を割り振られ得る。２つのユーザの場合、第１のユーザは、ＲＵ−１〜ＲＵ−２  ２０１６（たとえば、２つのＲＵ）を割り振られ得、第２のユーザは、センターＲＵ部分−３Ａ／３Ｂ  ２０１８Ａ、２０１８Ｂ、またはエッジＲＵ部分−３Ａ／３Ｂ  ２０６８Ａ、２０６８Ｂ（たとえば、１つのＲＵ）を割り振られ得る。３つのユーザの場合、第１のユーザは、１つのＲＵ２０１６を割り振られ得、第２のユーザは、１つのＲＵ２０１６を割り振られ得、第３のユーザは、センターＲＵ部分−３Ａ／３Ｂ  ２０１８Ａ、２０１８Ｂ、またはエッジＲＵ部分−３Ａ／３Ｂ  ２０６８Ａ、２０６８Ｂを割り振られ得る。特に、いくつかの構成では、センターＲＵ部分−３Ａ／３Ｂ  ２０１８Ａ、２０１８Ｂ、またはエッジＲＵ部分−３Ａ／３Ｂ  ２０６８Ａ、２０６８Ｂは、まとめて、３つの１４トーン割振りに等しくなり得る、４２個のトーンのサイズを有し得る。１４トーン割振りは、１２個のデータトーンと２つのパイロットトーンとを含み得る。いくつかの構成では、センターＲＵ部分−３Ａ／３Ｂ  ２０１８Ａ、２０１８Ｂ、またはエッジＲＵ部分−３Ａ／３Ｂ  ２０６８Ａ、２０６８Ｂは、まとめて、２６個のトーンのサイズを有し得、２６個のトーンは、２４個のデータトーンと２つのパイロットトーンとを含み得る。
【０１１７】
[00141]図２１は、ＷＬＡＮにおいてチャネル上の帯域幅のリソースを割り振る例示的な方法２１００のフローチャートである。本方法は、ワイヤレスデバイス（たとえば、ワイヤレスデバイス８０４、ワイヤレスデバイス２０２／装置２４０２）によって実行され得る。帯域幅は複数のトーンを含み得る。複数のトーンは、帯域幅の外側エッジ部分に位置するいくつかのガードトーンと、帯域幅の中心部分に位置するいくつかのＤＣトーンとを含む。
【０１１８】
[00142]一態様では、ワイヤレスデバイスはＡＰである。いくつかの構成では、動作２１１２において、ワイヤレスデバイスは、送信時間期間においてガードトーンとＤＣトーンとを除外した複数のトーンを、チャネルの帯域幅にわたって延びるＲＵのセットに割り振る。ＲＵのセットの各ＲＵは、少なくとも２６個のトーンを含む。動作２１１４において、ワイヤレスデバイスは、複数のＳＴＡとの通信のための、ＲＵのセットの複数のサブセットを割り振る。動作２１１６において、ワイヤレスデバイスは、フレームを複数のＳＴＡに送信する。フレームは、複数のサブセットの割振りを示す情報を含む。動作２１２０において、ワイヤレスデバイスは、第１のＳＴＡとの通信のための複数のサブセットの割振りに基づいて、ＲＵのセットのＲＵの第１のサブセットを決定する。ＲＵの第１のサブセットは、ＲＵのセットよりも少ないＲＵを含む。動作２１２２において、ワイヤレスデバイスは、ＲＵの第１のサブセット中のデータまたは制御情報のうちの少なくとも１つを、第１のＳＴＡと通信する。
【０１１９】
[00143]いくつかの構成では、動作２１２４において、ワイヤレスデバイスは、複数のサブセットの割振りに基づいて、複数のＳＴＡのうちの第２のＳＴＡとの通信のための、ＲＵのセットのＲＵの第２のサブセットを決定する。ＲＵの第２のサブセットは、ＲＵのセットよりも少ないＲＵを含む。動作２１２６において、ワイヤレスデバイスは、ＲＵの第２のサブセット中のデータまたは制御情報のうちの少なくとも１つを、第２のＳＴＡと通信する。いくつかの構成では、第１のＳＴＡとの通信と、第２のＳＴＡとの通信とはコンカレントである。
【０１２０】
[00144]別の態様では、ワイヤレスデバイスはＳＴＡであり得る。動作２１５２において、ワイヤレスデバイスは、ワイヤレスデバイスと通信するための、ＲＵのセットの第１のサブセットの割振りを示す情報を含むフレームを受信する。第１のサブセットは、割振りに基づいて決定される。動作２１５４において、ワイヤレスデバイスは、第１のＳＴＡとの通信のための複数のサブセットの割振りに基づいて、ＲＵのセットのＲＵの第１のサブセットを決定する。ＲＵの第１のサブセットは、ＲＵのセットよりも少ないＲＵを含む。動作２１５６において、ワイヤレスデバイスは、ＲＵの第１のサブセット中のデータまたは制御情報のうちの少なくとも１つを、第１のＳＴＡと通信する。
【０１２１】
[00145]たとえば、図８を参照すると、ワイヤレスデバイス８０４は、チャネル８０６をＫ個のＲＵ８１６に分割する。ワイヤレスデバイス８０４は、特定のワイヤレスデバイス８０８と通信するために割り振られた特定のＲＵ８１６を使用して、特定のワイヤレスデバイス８０８とデータを通信する。
【０１２２】
[00146]いくつかの構成では、ＲＵのセットのＲＵは、２６個のトーン、２４２個のトーン、または４８４個のトーンのうちの少なくとも１つのサイズを有する。たとえば、図９を参照すると、チャネル８０６は、２６個のトーンのＲＵ９１６を含む。図１５を参照すると、チャネル８０６は、２４２個のトーンのＲＵ１５１６を含む。図２０を参照すると、チャネル８０６は、４８４個のトーンのＲＵ２０１６を含む。
【０１２３】
[00147]いくつかの構成では、２６個のトーンを含むＲＵのセットの各ＲＵについて、２６個のトーンは、２４個のデータトーンと２つのパイロットトーンとを含む。たとえば、図９、図１２、および図１６を参照すると、チャネル８０６は、２６個のトーンのＲＵを含む。いくつかの構成では、２４２個のトーンを含むＲＵのセットの各ＲＵについて、２４２個のトーンは、２３４個のデータトーンと８つのパイロットトーンとを含む。たとえば、図１５および図１９を参照すると、チャネル８０６は、２４２個のトーンのＲＵを含む。いくつかの構成では、４８４個のトーンを含むＲＵのセットの各ＲＵについて、４８４個のトーンは、４６８個のデータトーンと１６個のパイロットトーンとを含む。たとえば、図１９を参照すると、チャネル８０６は、４８４個のトーンのＲＵ２０１６を含む。
【０１２４】
[00148]いくつかの構成では、帯域幅は、２０ＭＨｚ、４０ＭＨｚ、または８０ＭＨｚである。いくつかの構成では、帯域幅は２０ＭＨｚである。ＲＵのセットは９つのＲＵを含む。ＲＵのセットの各ＲＵは、２６個のトーンを含む。チャネルは、いくつかのＤＣトーンを含む。ＲＵのセットの１つのＲＵは、第１の部分と第２の部分とを含む。第１の部分は、周波数においていくつかのＤＣトーンの上にあり、第２の部分は、周波数においていくつかのＤＣトーンの下にある。たとえば、図９を参照すると、チャネル８０６は、２６個のトーンを有する９つのＲＵを含む。ＲＵ−９  ９１８は、それらのうちの一方が周波数においてＤＣトーン９２０の下にあり、他方が周波数においてＤＣトーン９２０の上にある、２つの部分、すなわち、センターＲＵ部分−９Ａ  ９１８ＡとセンターＲＵ部分−９Ｂ  ９１８Ｂとにスプリットされ得る。センターＲＵ部分−９Ａ  ９１８ＡおよびセンターＲＵ部分−９Ｂ  ９１８Ｂの各々は、１３個のトーンを含み得る。
【０１２５】
[00149]いくつかの構成では、帯域幅は４０ＭＨｚである。ＲＵのセットは、１６個のＲＵ、１７個のＲＵ、１８個のＲＵ、または１９個のＲＵを含む。ＲＵのセットの各ＲＵは、２６個のトーンを含む。いくつかの構成では、チャネルは、５つまたはそれ以上のＤＣトーンを含む。いくつかの構成では、ＲＵのセットは１８個のＲＵを含む。たとえば、図１２を参照すると、チャネル８０６は、２６個のトーンおよび５つまたはそれ以上のＤＣトーンの１６個〜１９個のＲＵを含む。いくつかの構成では、帯域幅は４０ＭＨｚである。ＲＵのセットは２つのＲＵを含む。ＲＵのセットの各ＲＵは、２４２個のトーンを含む。いくつかの構成では、チャネルは、５つまたはそれ以上のＤＣトーンを含む。たとえば、図１５を参照すると、チャネル８０６は、２４２個のトーンおよび５つまたはそれ以上のＤＣトーンの２つのＲＵ１５１６を含む。
【０１２６】
[00150]いくつかの構成では、帯域幅は８０ＭＨｚである。ＲＵのセットは、３２個またはそれ以上のＲＵを含む。ＲＵのセットの各ＲＵは、２６個のトーンを含む。いくつかの構成では、ＲＵのセットは３７個のＲＵを含む。たとえば、図１６を参照すると、チャネル８０６は、２６個のトーンの３２個またはそれ以上のＲＵを含む。いくつかの構成では、帯域幅は８０ＭＨｚである。ＲＵのセットは４つのＲＵを含む。ＲＵのセットの各ＲＵは、２４２個のトーンを含む。たとえば、図１９を参照すると、チャネル８０６は、２４２個のトーンの４つのＲＵ１９１６を含む。いくつかの構成では、帯域幅は８０ＭＨｚである。ＲＵのセットは２つのＲＵを含む。ＲＵのセットの各ＲＵは、４８４個のトーンを含む。たとえば、図２０を参照すると、チャネル８０６は、４８４個のトーンの２つのＲＵ２０１６を含む。
【０１２７】
[00151]図２２は、帯域幅のリソースを、通信のための少なくとも１つの局（たとえば、ＳＴＡ１１２、１１４、１１６、または１１８）に割り振る例示的な方法２２００のフローチャートである。帯域幅は複数のトーンを含む。複数のトーンは、帯域幅の外側エッジ部分に位置するいくつかのガードトーンと、帯域幅の中心部分に位置するいくつかのＤＣトーンとを含む。方法２２００は、装置（たとえば、ＡＰ１０４またはワイヤレスデバイス２０２）を使用して実行され得る。方法２２００について、図２のワイヤレスデバイス２０２の要素に関して以下で説明するが、本明細書で説明するステップのうちの１つまたは複数を実装するために、他の構成要素が使用され得る。
【０１２８】
[00152]動作２２０５において、装置は、通信のための少なくとも１つの局に、少なくとも１つのＲＵを割り振る。各ＲＵは、複数のトーンのうちのいくつかのＲＵトーンを含む。
【０１２９】
[00153]動作２２１０において、装置は、通信のための少なくとも１つの局に、複数のトーンのうちのいくつかのセンターＲＵトーンを含むセンターＲＵを割り振る。センターＲＵトーンの数は、帯域幅の複数のトーンの数と、ＲＵトーンの数とに基づく。ＲＵトーンは、帯域幅のガードトーンとセンターＲＵトーンとの間に位置し得、センターＲＵトーンは、帯域幅のＲＵトーンとＤＣトーンとの間に位置し得る。動作２２１５において、装置は、センターＲＵトーンの数に基づいて、ガードトーンの数とＤＣトーンの数とを決定する。
【０１３０】
[00154]代替的に、動作２２０５における動作を実行した後、装置は動作２２２５に進む。動作２２２５において、装置は、通信のための少なくとも１つの局に、エッジＲＵのペアを割り振り、エッジＲＵのペアは、複数のトーンのうちのいくつかのエッジＲＵトーンを含む。エッジＲＵトーンの数は、帯域幅の複数のトーンの数と、ＲＵトーンの数とに基づく。ＲＵトーンは、帯域幅のエッジＲＵトーンとＤＣトーンとの間に位置し得、エッジＲＵトーンは、帯域幅のガードトーンとＲＵトーンとの間に位置し得る。動作２２３０において、装置は、エッジＲＵトーンの数に基づいて、ガードトーンの数とＤＣトーンの数とを決定する。
【０１３１】
[00155]動作２２１５または動作２２３０における動作を実行した後、装置は動作２２２０に進む。動作２２２０において、装置は、帯域幅の複数のトーンの数、通信のために割り振られたＲＵの数、各ＲＵのＲＵトーンの数、ガードトーンの数、および／またはＤＣトーンの数を示すことによって、割り振られたリソースを少なくとも１つの局に示す。
【０１３２】
[00156]一態様では、帯域幅の複数のトーンの数は２５６であり、通信のために割り振られたＲＵの数は８であり、各ＲＵのＲＵトーンの数は２６であり、ガードトーンの数は１１であり、ＤＣトーンの数は１１であり、センターＲＵ／エッジＲＵのペアのセンターＲＵ／エッジＲＵトーンの数は２６である。
【０１３３】
[00157]別の態様では、帯域幅の複数のトーンの数は２５６であり、通信のために割り振られたＲＵの数は４であり、各ＲＵのＲＵトーンの数は５６であり、ガードトーンの数は１１であり、ＤＣトーンの数は７であり、センターＲＵ／エッジＲＵのペアのセンターＲＵ／エッジＲＵトーンの数は１４である。
【０１３４】
[00158]別の態様では、帯域幅の複数のトーンの数は２５６であり、通信のために割り振られたＲＵの数は２であり、各ＲＵのＲＵトーンの数は１１４であり、ガードトーンの数は１１であり、ＤＣトーンの数は３であり、センターＲＵ／エッジＲＵのペアのセンターＲＵ／エッジＲＵトーンの数は１４である。
【０１３５】
[00159]別の態様では、帯域幅の複数のトーンの数は２５６であり、通信のために割り振られたＲＵの数は２であり、各ＲＵのＲＵトーンの数は１１４であり、ガードトーンの数は９であり、ＤＣトーンの数は５であり、センターＲＵ／エッジＲＵのペアのセンターＲＵ／エッジＲＵトーンの数は１４である。
【０１３６】
[00160]別の態様では、帯域幅の複数のトーンの数は５１２であり、通信のために割り振られたＲＵの数は１６であり、各ＲＵのＲＵトーンの数は２６であり、ガードトーンの数は１１であり、ＤＣトーンの数は７であり、センターＲＵ／エッジＲＵのペアのセンターＲＵ／エッジＲＵトーンの数は７８である。
【０１３７】
[00161]別の態様では、帯域幅の複数のトーンの数は５１２であり、通信のために割り振られたＲＵの数は８であり、各ＲＵのＲＵトーンの数は５６であり、ガードトーンの数は１１であり、ＤＣトーンの数は１１であり、センターＲＵ／エッジＲＵのペアのセンターＲＵ／エッジＲＵトーンの数は４２である。
【０１３８】
[00162]別の態様では、帯域幅の複数のトーンの数は５１２であり、通信のために割り振られたＲＵの数は４であり、各ＲＵのＲＵトーンの数は１１４であり、ガードトーンの数は１１であり、ＤＣトーンの数は３であり、センターＲＵ／エッジＲＵのペアのセンターＲＵ／エッジＲＵトーンの数は４２である。
【０１３９】
[00163]別の態様では、帯域幅の複数のトーンの数は５１２であり、通信のために割り振られたＲＵの数は４であり、各ＲＵのＲＵトーンの数は１１４であり、ガードトーンの数は９であり、ＤＣトーンの数は５であり、センターＲＵ／エッジＲＵのペアのセンターＲＵ／エッジＲＵトーンの数は４２である。
【０１４０】
[00164]別の態様では、帯域幅の複数のトーンの数は５１２であり、通信のために割り振られたＲＵの数は２であり、各ＲＵのＲＵトーンの数は２４２であり、ガードトーンの数は１１であり、ＤＣトーンの数は３であり、センターＲＵ／エッジＲＵのペアのセンターＲＵ／エッジＲＵトーンの数は１４である。
【０１４１】
[00165]別の態様では、帯域幅の複数のトーンの数は５１２であり、通信のために割り振られたＲＵの数は２であり、各ＲＵのＲＵトーンの数は２４２であり、ガードトーンの数は９であり、ＤＣトーンの数は５であり、センターＲＵ／エッジＲＵのペアのセンターＲＵ／エッジＲＵトーンの数は１４である。
【０１４２】
[00166]別の態様では、帯域幅の複数のトーンの数は１０２４であり、通信のために割り振られたＲＵの数は３２であり、各ＲＵのＲＵトーンの数は２６であり、ガードトーンの数は１１であり、ＤＣトーンの数は１１であり、センターＲＵ／エッジＲＵのペアのセンターＲＵ／エッジＲＵトーンの数は１７０である。
【０１４３】
[00167]別の態様では、帯域幅の複数のトーンの数は１０２４であり、通信のために割り振られたＲＵの数は１６であり、各ＲＵのＲＵトーンの数は５６であり、ガードトーンの数は１１であり、ＤＣトーンの数は５であり、センターＲＵ／エッジＲＵのペアのセンターＲＵ／エッジＲＵトーンの数は１１２である。
【０１４４】
[00168]別の態様では、帯域幅の複数のトーンの数は１０２４であり、通信のために割り振られたＲＵの数は８であり、各ＲＵのＲＵトーンの数は１１４であり、ガードトーンの数は１１であり、ＤＣトーンの数は５であり、センターＲＵ／エッジＲＵのペアのセンターＲＵ／エッジＲＵトーンの数は９６である。
【０１４５】
[00169]別の態様では、帯域幅の複数のトーンの数は１０２４であり、通信のために割り振られたＲＵの数は４であり、各ＲＵのＲＵトーンの数は２４２であり、ガードトーンの数は１１であり、ＤＣトーンの数は３であり、センターＲＵ／エッジＲＵのペアのセンターＲＵ／エッジＲＵトーンの数は４２である。
【０１４６】
[00170]別の態様では、帯域幅の複数のトーンの数は１０２４であり、通信のために割り振られたＲＵの数は４であり、各ＲＵのＲＵトーンの数は２４２であり、ガードトーンの数は９であり、ＤＣトーンの数は５であり、センターＲＵ／エッジＲＵのペアのセンターＲＵ／エッジＲＵトーンの数は４２である。
【０１４７】
[00171]別の態様では、帯域幅の複数のトーンの数は１０２４であり、通信のために割り振られたＲＵの数は２であり、各ＲＵのＲＵトーンの数は４８４であり、ガードトーンの数は１１であり、ＤＣトーンの数は３であり、センターＲＵ／エッジＲＵのペアのセンターＲＵ／エッジＲＵトーンの数は４２である。
【０１４８】
[00172]別の態様では、帯域幅の複数のトーンの数は１０２４であり、通信のために割り振られたＲＵの数は２であり、各ＲＵのＲＵトーンの数は４８４であり、ガードトーンの数は９であり、ＤＣトーンの数は５であり、センターＲＵ／エッジＲＵのペアのセンターＲＵ／エッジＲＵトーンの数は４２である。
【０１４９】
[00173]図２３は、アクセスポイント（たとえば、ＡＰ１０４）との通信のための帯域幅のリソースの割振りを決定する例示的な方法２３００のフローチャートである。帯域幅は複数のトーンを含む。複数のトーンは、帯域幅の外側エッジ部分に位置するいくつかのガードトーンと、帯域幅の中心部分に位置するいくつかの直流（ＤＣ）トーンとを含む。方法２３００は、装置（たとえば、ＳＴＡ１１２、１１４、１１６、または１１８のうちのいずれか１つ、あるいはワイヤレスデバイス２０２）を使用して実行され得る。方法２３００について、図２のワイヤレスデバイス２０２の要素に関して以下で説明するが、本明細書で説明するステップのうちの１つまたは複数を実装するために、他の構成要素が使用され得る。
【０１５０】
[00174]動作２３０５において、装置は、アクセスポイント（たとえば、ＡＰ１０４）から、帯域幅の複数のトーンの数、通信のために割り振られたＲＵの数、各ＲＵのＲＵトーンの数、ガードトーンの数、およびＤＣトーンの数の指示を受信する。
【０１５１】
[00175]動作２３１０において、装置は、帯域幅の複数のトーンの数、通信のために割り振られたＲＵの数、各ＲＵのＲＵトーンの数、ガードトーンの数、およびＤＣトーンの数に基づいて、通信のために割り振られるセンター動作のセンターＲＵトーンの数を決定する。たとえば、装置は、肯定応答（ＡＣＫ）メッセージを受信することを予想したとき、割り振られるセンターＲＵトーンの数を決定し得る。ＲＵトーンは、帯域幅のガードトーンとセンターＲＵトーンとの間に位置し得、センターＲＵトーンは、帯域幅のＲＵトーンとＤＣトーンとの間に位置し得る。
【０１５２】
[00176]代替的に、動作２３０５における動作を実行した後、装置は動作２３１５に進み得る。動作２３１５において、装置は、帯域幅の複数のトーンの数、通信のために割り振られたＲＵの数、各ＲＵのＲＵトーンの数、ガードトーンの数、およびＤＣトーンの数に基づいて、通信のために割り振られるエッジＲＵのペアのエッジＲＵトーンの数を決定する。たとえば、装置は、肯定応答（ＡＣＫ）メッセージを受信することを予想したとき、割り振られるエッジＲＵトーンの数を決定し得る。ＲＵトーンは、帯域幅のエッジＲＵトーンとＤＣトーンとの間に位置し得、エッジＲＵトーンは、帯域幅のガードトーンとＲＵトーンとの間に位置し得る。
【０１５３】
[00177]図２４は、例示的な装置２４０２中の異なる構成要素／手段間のデータフローを示す概念データフロー図２４００である。本装置はワイヤレスデバイスであり得る。本装置は、受信構成要素２４０４と、トーンマッピング構成要素２４０６と、データアプリケーション２４０７と、チャネル割振り構成要素２４０８と、送信構成要素２４１０とを含む。
【０１５４】
[00178]受信構成要素２４０４および送信構成要素２４１０は、帯域幅のチャネル上で、データパケット２４３２とデータパケット２４４２とを、少なくとも１つのワイヤレスデバイス２４５０と通信するように構成され得る。帯域幅は複数のトーンを含み得る。複数のトーンは、帯域幅の外側エッジ部分に位置するいくつかのガードトーンと、帯域幅の中心部分に位置するいくつかのＤＣトーンとを含む。
【０１５５】
[00179]一態様では、装置２４０２はＡＰであり得る。トーンマッピング構成要素２４０６は、チャネル情報２４３４をチャネル割振り構成要素２４０８から受信するように構成され得る。チャネル情報２４３４は、帯域幅に関する情報を含み得る。トーンマッピング構成要素２４０６は、送信時間期間においてチャネルの帯域幅を、データ通信のためのＲＵのセットに分割するチャネルの割振りを決定するように構成され得る。ＲＵのセットの各ＲＵは、少なくとも２６個のトーンを含む。たとえば、トーンマッピング構成要素２４０６は、送信時間期間においてガードトーンとＤＣトーンとを除外した複数のトーンを、チャネルの帯域幅にわたって延びるＲＵのセットに割り振るように構成され得る。トーンマッピング構成要素２４０６は、決定されたトーンマッピングに関する情報、たとえば、トーンマッピング情報２４３６を、チャネル割振り構成要素２４０８に送るように構成され得る。
【０１５６】
[00180]チャネル割振り構成要素２４０８は、少なくとも１つのワイヤレスデバイス２４５０の各々とデータを通信するための、ＲＵのセットのそれぞれのサブセットを割り振るように構成され得る。ＲＵのそれぞれのサブセットの各々は、ＲＵのセットよりも少ないＲＵを含む。チャネル割振り構成要素２４０８は、フレーム２４６２を送信構成要素２４１０に送るように構成され得る。フレーム２４６２は、複数のサブセットの割振りを示す情報を含む。送信構成要素２４１０は、フレーム２４６２を少なくとも１つのワイヤレスデバイス２４５０に送信する。チャネル割振り構成要素２４０８は、各ワイヤレスデバイス２４５０とデータを通信するために割り振られたＲＵのそれぞれのサブセット中で、データアプリケーション２４０７から受信されたデータを、少なくとも１つのワイヤレスデバイス２４５０の各々と通信するように構成され得る。少なくとも１つのワイヤレスデバイス２４５０は、複数のワイヤレスデバイス２４５０を含み得る。
【０１５７】
[00181]別の態様では、装置２４０２はＳＴＡであり得る。特定のワイヤレスデバイス２４５０は、ＡＰであり得る。受信構成要素２４０４は、ＲＵのセットの特定のサブセットの割振りを示す情報を含むフレーム２４６４を受信するように構成され得る。受信構成要素２４０４は、フレーム２４６４をチャネル割振り構成要素２４０８に送るように構成され得る。したがって、チャネル割振り構成要素２４０８は、受信構成要素２４０４と送信構成要素２４１０とに、ＲＵの特定のサブセットを使用することによって特定のワイヤレスデバイス２４５０とデータを通信するように命令する。
【０１５８】
[00182]より詳細には、受信構成要素２４０４は、１つまたは複数のデータパケット２４３２（たとえば、１つまたは複数の物理レイヤパケット７００）を、特定のワイヤレスデバイス２４５０から受信するように構成され得る。受信構成要素２４０４は、データパケット２４３２をチャネル割振り構成要素２４０８に送るように構成され得る。チャネル割振り構成要素２４０８は、トーンマッピング構成要素２４０６から受信されたトーンマッピング情報２４３６に基づいて、特定のワイヤレスデバイス２４５０と通信するために割り振られる１つまたは複数の特定のＲＵを決定する。したがって、チャネル割振り構成要素２４０８は、特定のワイヤレスデバイス２４５０からのものであるデータパケット２４３２の特定のＲＵ中で搬送されたデータ２４４０を取得し得る。チャネル割振り構成要素２４０８は、特定のワイヤレスデバイス２４５０から受信されたデータ２４４０を、データアプリケーション２４０７に送るように構成され得る。さらに、データアプリケーション２４０７は、特定のワイヤレスデバイス２４５０に送信されるべきデータ２４４０を、チャネル割振り構成要素２４０８に送り得る。チャネル割振り構成要素２４０８は、特定のワイヤレスデバイス２４５０と通信するために割り振られた特定のＲＵを用いて、１つまたは複数のデータパケット２４４２（たとえば、１つまたは複数の物理レイヤパケット７００）を構築するように構成され得る。特定のＲＵは、特定のワイヤレスデバイス２４５０に送信されるべきデータ２４４０を含む。チャネル割振り構成要素２４０８は、データパケット２４４２を送信構成要素２４１０に送るように構成され得、送信構成要素２４１０は、データパケット２４４２を特定のワイヤレスデバイス２４５０に送信する。
【０１５９】
[00183]いくつかの構成では、ＲＵのセットのＲＵは、２６個のトーン、２４２個のトーン、または４８４個のトーンのうちの少なくとも１つのサイズを有する。いくつかの構成では、２６個のトーンを含むＲＵのセットの各ＲＵについて、２６個のトーンは、２４個のデータトーンと２つのパイロットトーンとを含む。いくつかの構成では、２４２個のトーンを含むＲＵのセットの各ＲＵについて、２４２個のトーンは、２３４個のデータトーンと８つのパイロットトーンとを含む。いくつかの構成では、４８４個のトーンを含むＲＵのセットの各ＲＵについて、４８４個のトーンは、４６８個のデータトーンと１６個のパイロットトーンとを含む。
【０１６０】
[00184]いくつかの構成では、帯域幅は、２０ＭＨｚ、４０ＭＨｚ、または８０ＭＨｚである。いくつかの構成では、帯域幅は２０ＭＨｚである。ＲＵのセットは９つのＲＵを含む。ＲＵのセットの各ＲＵは、２６個のトーンを含む。チャネルは、いくつかのＤＣトーンを含む。ＲＵのセットの１つのＲＵは、第１の部分と第２の部分とを含む。第１の部分は、周波数においていくつかのＤＣトーンの上にあり、第２の部分は、周波数においていくつかのＤＣトーンの下にある。
【０１６１】
[00185]いくつかの構成では、帯域幅は４０ＭＨｚである。ＲＵのセットは、１６個のＲＵ、１７個のＲＵ、１８個のＲＵ、または１９個のＲＵを含む。ＲＵのセットの各ＲＵは、２６個のトーンを含む。いくつかの構成では、チャネルは、５つまたはそれ以上のＤＣトーンを含む。いくつかの構成では、ＲＵのセットは１８個のＲＵを含む。いくつかの構成では、帯域幅は４０ＭＨｚである。ＲＵのセットは２つのＲＵを含む。ＲＵのセットの各ＲＵは、２４２個のトーンを含む。いくつかの構成では、チャネルは、５つまたはそれ以上のＤＣトーンを含む。
【０１６２】
[00186]いくつかの構成では、帯域幅は８０ＭＨｚである。ＲＵのセットは、３２個またはそれ以上のＲＵを含む。ＲＵのセットの各ＲＵは、２６個のトーンを含む。いくつかの構成では、ＲＵのセットは３７個のＲＵを含む。いくつかの構成では、帯域幅は８０ＭＨｚである。ＲＵのセットは４つのＲＵを含む。ＲＵのセットの各ＲＵは、２４２個のトーンを含む。いくつかの構成では、帯域幅は８０ＭＨｚである。ＲＵのセットは２つのＲＵを含む。ＲＵのセットの各ＲＵは、４８４個のトーンを含む。
【０１６３】
[00187]装置は、図２１〜図２３の上述のフローチャート中のアルゴリズムのブロックの各々を実行する追加の構成要素を含み得る。したがって、図２１〜図２３の上述のフローチャート中の各ブロックは、１つの構成要素によって実行され得、装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１６４】
[00188]トーンマッピング構成要素２４０６およびチャネル割振り構成要素２４０８は、図２に示されているリソース割振り構成要素２２４を構成し得る。リソース割振り構成要素２２４は、プロセッサ２０４、メモリ２０６、信号検出器２１８、ＤＳＰ２２０、および／またはユーザインターフェース２２２を採用し得る。受信構成要素２４０４および送信構成要素２４１０は、プロセッサ２０４、メモリ２０６、信号検出器２１８、および／またはＤＳＰ２２０を採用し得る。トランシーバ２１４は、１つまたは複数のアンテナ２１６から信号を受信し、受信された信号から情報を抽出し、抽出された情報を受信構成要素２４０４に与える。さらに、トランシーバ２１４は、ＶＴから情報を受信し、受信された情報に基づいて、１つまたは複数のアンテナ２１６に適用されるべき信号を生成する。
【０１６５】
[00189]一態様では、ワイヤレスデバイス２０２／装置２４０２は、ワイヤレスデバイスであり得る。ワイヤレスデバイス２０２／装置２４０２は、図２１〜図２３に示されている動作を実行するための手段を含むように構成され得る。より詳細には、ワイヤレスデバイス２０２／装置２４０２は、送信時間期間においてチャネルの帯域幅にわたって延びるリソースユニット（ＲＵ）のセットのＲＵの第１のサブセットを決定するための手段を含むように構成され得、ＲＵの第１のサブセットは、ＲＵのセットよりも少ないＲＵを含み、ＲＵのセットの各ＲＵは、少なくとも２６個のトーンを含む。ワイヤレスデバイス２０２／装置２４０２は、ＲＵの第１のサブセット中のデータまたは制御情報のうちの少なくとも１つを通信するための手段を含むように構成され得る。
【０１６６】
[00190]いくつかの構成では、帯域幅は複数のトーンを備え、ここにおいて、複数のトーンは、帯域幅の外側エッジ部分に位置するいくつかのガードトーンと、帯域幅の中心部分に位置するいくつかの直流（ＤＣ）トーンとを含む。
【０１６７】
[00191]いくつかの構成では、ワイヤレスデバイス２０２／装置２４０２はＡＰである。ワイヤレスデバイス２０２／装置２４０２は、送信時間期間においてガードトーンとＤＣトーンとを除外した複数のトーンを、ＲＵのセットに割り振るための手段を含むように構成され得る。ワイヤレスデバイス２０２／装置２４０２は、複数のＳＴＡとの通信のための、ＲＵのセットの複数のサブセットを割り振るための手段を含むように構成され得る。第１のサブセットは、第１のＳＴＡとの通信のためのものであり、複数のサブセットの割振りに基づいて決定される。第１のサブセット中のデータまたは制御情報のうちの少なくとも１つの通信は、第１のＳＴＡとのものである。いくつかの構成では、ワイヤレスデバイス２０２／装置２４０２は、フレームを複数のＳＴＡに送信するための手段を含むように構成され得る。フレームは、複数のサブセットの割振りを示す情報を含む。
【０１６８】
[00192]いくつかの構成では、ワイヤレスデバイス２０２／装置２４０２は、複数のサブセットの割振りに基づいて、複数のＳＴＡのうちの第２のＳＴＡとの通信のための、ＲＵのセットのＲＵの第２のサブセットを決定するための手段を含むように構成され得、ＲＵの第２のサブセットは、ＲＵのセットよりも少ないＲＵを含む。ワイヤレスデバイス２０２／装置２４０２は、ＲＵの第２のサブセット中のデータまたは制御情報のうちの少なくとも１つを、第２のＳＴＡと通信するための手段を含むように構成され得る。いくつかの構成では、第１のＳＴＡとの通信と、第２のＳＴＡとの通信とはコンカレントである。
【０１６９】
[00193]いくつかの構成では、ワイヤレスデバイス２０２／装置２４０２はＳＴＡである。ワイヤレスデバイス２０２／装置２４０２は、ワイヤレスデバイス２０２／装置２４０２と通信するための、ＲＵのセットの第１のサブセットの割振りを示す情報を含むフレームを受信するための手段を含むように構成され得る。第１のサブセットは、割振りに基づいて決定される。
【０１７０】
[00194]いくつかの構成では、ＲＵのセットのＲＵは、２６個のトーン、２４２個のトーン、または４８４個のトーンのうちの少なくとも１つのサイズを有する。いくつかの構成では、２６個のトーンを含むＲＵのセットの各ＲＵについて、２６個のトーンは、２４個のデータトーンと２つのパイロットトーンとを含む。いくつかの構成では、２４２個のトーンを含むＲＵのセットの各ＲＵについて、２４２個のトーンは、２３４個のデータトーンと８つのパイロットトーンとを含む。いくつかの構成では、４８４個のトーンを含むＲＵのセットの各ＲＵについて、４８４個のトーンは、４６８個のデータトーンと１６個のパイロットトーンとを含む。
【０１７１】
[00195]いくつかの構成では、帯域幅は、２０ＭＨｚ、４０ＭＨｚ、または８０ＭＨｚである。いくつかの構成では、帯域幅は２０ＭＨｚである。ＲＵのセットは９つのＲＵを含む。ＲＵのセットの各ＲＵは、２６個のトーンを含む。チャネルは、いくつかのＤＣトーンを含む。ＲＵのセットの１つのＲＵは、第１の部分と第２の部分とを含む。第１の部分は、周波数においていくつかのＤＣトーンの上にあり、第２の部分は、周波数においていくつかのＤＣトーンの下にある。
【０１７２】
[00196]いくつかの構成では、帯域幅は４０ＭＨｚである。ＲＵのセットは、１６個のＲＵ、１７個のＲＵ、１８個のＲＵ、または１９個のＲＵを含む。ＲＵのセットの各ＲＵは、２６個のトーンを含む。いくつかの構成では、チャネルは、５つまたはそれ以上のＤＣトーンを含む。いくつかの構成では、ＲＵのセットは１８個のＲＵを含む。いくつかの構成では、帯域幅は４０ＭＨｚである。ＲＵのセットは２つのＲＵを含む。ＲＵのセットの各ＲＵは、２４２個のトーンを含む。いくつかの構成では、チャネルは、５つまたはそれ以上のＤＣトーンを含む。
【０１７３】
[00197]いくつかの構成では、帯域幅は８０ＭＨｚである。ＲＵのセットは、３２個またはそれ以上のＲＵを含む。ＲＵのセットの各ＲＵは、２６個のトーンを含む。いくつかの構成では、ＲＵのセットは３７個のＲＵを含む。いくつかの構成では、帯域幅は８０ＭＨｚである。ＲＵのセットは４つのＲＵを含む。ＲＵのセットの各ＲＵは、２４２個のトーンを含む。いくつかの構成では、帯域幅は８０ＭＨｚである。ＲＵのセットは２つのＲＵを含む。ＲＵのセットの各ＲＵは、４８４個のトーンを含む。
【０１７４】
[00198]上述の手段は、上述の手段によって具陳される機能を実行するように構成された、ワイヤレスデバイス２０２／装置２４０２の上述の構成要素のうちの１つまたは複数であり得る。上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示すどの動作も、その動作を実行することが可能な対応する機能的手段によって実行され得る。
【０１７５】
[00199]図２５は、例示的なワイヤレス通信デバイス２５００の機能ブロック図である。ワイヤレス通信デバイス２５００は、ＡＰ（たとえば、ＡＰ１０４）または局（たとえば、ＳＴＡ１１２、１１４、１１６、または１１８）として実装され得る。ワイヤレス通信デバイス２５００は、受信機２５０５と、処理システム２５１０と、送信機２５１５とを含み得る。処理システム２５１０はリソース割振り構成要素２５２４を含み得る。
【０１７６】
[00200]処理システム２５１０および／またはリソース割振り構成要素２５２４は、帯域幅のリソースを、通信のための少なくとも１つの局（たとえば、ＳＴＡ１１２、１１４、１１６、または１１８）に割り振るように構成され得る。帯域幅は複数のトーンを含み得る。複数のトーンは、帯域幅の外側エッジ部分に位置するいくつかのガードトーンと、帯域幅の中心部分に位置するいくつかのＤＣトーンとを含む。
【０１７７】
[00201]処理システム２５１０および／またはリソース割振り構成要素２５２４は、通信のための少なくとも１つの局に、少なくとも１つのＲＵを割り振るように構成され得る。各ＲＵは、複数のトーンのうちのいくつかのＲＵトーンを含む。処理システム２５１０および／またはリソース割振り構成要素２５２４は、通信のための少なくとも１つの局に、複数のトーンのうちのいくつかのセンターＲＵトーンを含むセンターＲＵを割り振るようにさらに構成され得る。センターＲＵトーンの数は、帯域幅の複数のトーンの数と、ＲＵトーンの数とに基づき得る。ＲＵトーンは、帯域幅のガードトーンとセンターＲＵトーンとの間に位置し得、センターＲＵトーンは、帯域幅のＲＵトーンとＤＣトーンとの間に位置し得る。処理システム２５１０および／またはリソース割振り構成要素２５２４はまた、センターＲＵトーンの数に基づいて、ガードトーンの数とＤＣトーンの数とを決定するように構成され得る。
【０１７８】
[00202]処理システム２５１０および／またはリソース割振り構成要素２５２４は、通信のための少なくとも１つの局に、エッジＲＵのペアを割り振るように構成され得、エッジＲＵのペアは、複数のトーンのうちのいくつかのエッジＲＵトーンを含む。エッジＲＵトーンの数は、帯域幅の複数のトーンの数と、ＲＵトーンの数とに基づき得る。ＲＵトーンは、帯域幅のエッジＲＵトーンとＤＣトーンとの間に位置し得、エッジＲＵトーンは、帯域幅のガードトーンとＲＵトーンとの間に位置し得る。処理システム２５１０および／またはリソース割振り構成要素２５２４はまた、エッジＲＵトーンの数に基づいて、ガードトーンの数とＤＣトーンの数とを決定するように構成され得る。
【０１７９】
[00203]送信機２５１５、処理システム２５１０、および／またはリソース割振り構成要素２５２４は、帯域幅の複数のトーンの数、通信のために割り振られたＲＵの数、各ＲＵのＲＵトーンの数、ガードトーンの数、および／またはＤＣトーンの数を示すことによって、割り振られたリソースを少なくとも１つの局に示すように構成され得る。
【０１８０】
[00204]一態様では、処理システム２５１０および／またはリソース割振り構成要素２５２４は、アクセスポイント（たとえば、ＡＰ１０４）との通信のための帯域幅のリソースの割振りを決定するように構成され得る。帯域幅は複数のトーンを含み得る。複数のトーンは、帯域幅の外側エッジ部分に位置するいくつかのガードトーンと、帯域幅の中心部分に位置するいくつかの直流（ＤＣ）トーンとを含む。
【０１８１】
[00205]受信機２５０５、処理システム２５１０、および／またはリソース割振り構成要素２５２４は、アクセスポイント（たとえば、ＡＰ１０４）から、帯域幅の複数のトーンの数、通信のために割り振られた標準ブロック（ＲＵ）の数、各標準ブロック（ＲＵ）のＲＵトーンの数、ガードトーンの数、およびＤＣトーンの数の指示を受信するように構成され得る。
【０１８２】
[00206]処理システム２５１０および／またはリソース割振り構成要素２５２４は、帯域幅の複数のトーンの数、通信のために割り振られたＲＵの数、各ＲＵのＲＵトーンの数、ガードトーンの数、およびＤＣトーンの数に基づいて、通信のために割り振られるセンターブロックのセンターブロック（センターＲＵ）トーンの数を決定するように構成され得る。ＲＵトーンは、帯域幅のガードトーンとセンターＲＵトーンとの間に位置し得、センターＲＵトーンは、帯域幅のＲＵトーンとＤＣトーンとの間に位置し得る。
【０１８３】
[00207]処理システム２５１０および／またはリソース割振り構成要素２５２４は、帯域幅の複数のトーンの数、通信のために割り振られたＲＵの数、各ＲＵのＲＵトーンの数、ガードトーンの数、およびＤＣトーンの数に基づいて、通信のために割り振られるエッジブロックのペアのエッジＲＵトーンの数を決定するように構成され得る。ＲＵトーンは、帯域幅のエッジＲＵトーンとＤＣトーンとの間に位置し得、エッジＲＵトーンは、帯域幅のガードトーンとＲＵトーンとの間に位置し得る。
【０１８４】
[00208]受信機２５０５、処理システム２５１０、リソース割振り構成要素２５２４、および／または送信機２５１５は、図２１〜図２３に関して上記で説明した１つまたは複数の機能を実行するように構成され得る。受信機２５０５は受信機２１２に対応し得る。処理システム２５１０はプロセッサ２０４に対応し得る。送信機２５１５は送信機２１０に対応し得る。リソース割振り構成要素２５２４は、（ＡＰ１０４の）リソース割振り構成要素１２４、（ＳＴＡ１１４の）リソース割振り構成要素１２６、および／または（ワイヤレスデバイス２０２の）リソース割振り構成要素２２４に対応し得る。
【０１８５】
[00209]その上、帯域幅のリソースを、通信のための少なくとも１つの局に割り振るための手段は、処理システム２５１０および／またはリソース割振り構成要素２５２４を含み得る。割り振られたリソースを少なくとも１つの局に示すための手段は、送信機２５１５、処理システム２５１０、および／またはリソース割振り構成要素２５２４を含み得る。アクセスポイントとの通信のための帯域幅のリソース割振りを決定するための手段は、受信機２５０５、処理システム２５１０、および／またはリソース割振り構成要素２５２４を含み得る。
【０１８６】
[00210]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示すどの動作も、その動作を実行することが可能な対応する機能的手段によって実行され得る。
【０１８７】
[00211]本開示に関連して説明した様々な例示的な論理ブロック、構成要素、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１８８】
[00212]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む通信媒体と、コンピュータ記憶媒体との両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を含み得る。
【０１８９】
[00213]本明細書で開示する方法は、説明した方法を達成するための１つまたは複数のステップまたはアクションを含む。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０１９０】
[00214]したがって、いくつかの態様は、本明細書で提示する動作を実行するためのコンピュータ可読媒体を含み得る。たとえば、そのようなコンピュータ可読媒体は、本明細書で説明した動作を実行するために１つまたは複数のプロセッサによって実行可能である命令を記憶した（および／または符号化した）コンピュータ可読媒体を含み得る。いくつかの態様では、コンピュータ可読媒体はパッケージング材料を含み得る。
【０１９１】
[00215]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１９２】
[00216]特許請求の範囲は、上記で示した厳密な構成および構成要素に限定されないことを理解されたい。上記で説明した方法および装置の構成、動作および詳細において、特許請求の範囲から逸脱することなく、様々な修正、変更および変形が行われ得る。
【０１９３】
[00217]上記は本開示の態様を対象とするが、本開示の他の態様およびさらなる態様は、それの基本的範囲から逸脱することなく考案され得、それの範囲は以下の特許請求の範囲によって決定される。
【０１９４】
[00218]以上の説明は、当業者が本明細書で説明した様々な態様を実施できるようにするために与えられた。これらの態様への様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的等価物は、参照により本明細書に明確に組み込まれ、特許請求の範囲に包含されるものである。その上、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に本願の出願当初の特許請求の範囲に記載された発明を付記する。
［Ｃ１］
ワイヤレスデバイスのワイヤレス通信の方法であって、前記ワイヤレスデバイスが、局（ＳＴＡ）またはアクセスポイント（ＡＰ）であり、
送信時間期間においてチャネルの帯域幅にわたって延びるリソースユニット（ＲＵ）のセットのＲＵの第１のサブセットを決定することと、ＲＵの前記第１のサブセットが、ＲＵの前記セットよりも少ないＲＵを含み、ＲＵの前記セットの各ＲＵが、少なくとも２６個のトーンを含む、
前記ＲＵの前記第１のサブセット中のデータまたは制御情報のうちの少なくとも１つを通信することと
を備える、方法。
［Ｃ２］
前記帯域幅が複数のトーンを備え、ここにおいて、前記複数のトーンが、前記帯域幅の外側エッジ部分に位置するいくつかのガードトーンと、前記帯域幅の中心部分に位置するいくつかの直流（ＤＣ）トーンとを含む、Ｃ１に記載の方法。
［Ｃ３］
前記ワイヤレスデバイスがＡＰであり、前記方法は、
前記送信時間期間において前記ガードトーンと前記ＤＣトーンとを除外した前記複数のトーンを、ＲＵの前記セットに割り振ることと、
複数のＳＴＡとの通信のための、ＲＵの前記セットの複数のサブセットを割り振ることと、ここにおいて、前記第１のサブセットが、第１のＳＴＡとの通信のためのものであり、前記複数のサブセットの前記割振りに基づいて決定され、ここにおいて、前記第１のサブセット中のデータまたは制御情報のうちの前記少なくとも１つの前記通信が、前記第１のＳＴＡとのものである、
をさらに備える、Ｃ２に記載の方法。
［Ｃ４］
フレームを前記複数のＳＴＡに送信することをさらに備え、ここにおいて、前記フレームが、複数のサブセットの前記割振りを示す情報を含む、Ｃ３に記載の方法。
［Ｃ５］
前記複数のサブセットの前記割振りに基づいて、前記複数のＳＴＡのうちの第２のＳＴＡとの通信のための、ＲＵの前記セットのＲＵの第２のサブセットを決定することと、ＲＵの前記第２のサブセットが、ＲＵの前記セットよりも少ないＲＵを含む、
前記ＲＵの前記第２のサブセット中のデータまたは制御情報のうちの少なくとも１つを、前記第２のＳＴＡと通信することと
をさらに備える、Ｃ３に記載の方法。
［Ｃ６］
前記第１のＳＴＡとの前記通信と、第２のＳＴＡとの前記通信とがコンカレントである、Ｃ３に記載の方法。
［Ｃ７］
前記ワイヤレスデバイスがＳＴＡであり、前記方法が、前記ワイヤレスデバイスと通信するための、ＲＵの前記セットの前記第１のサブセットの割振りを示す情報を含むフレームを受信することをさらに備え、ここにおいて、前記第１のサブセットが、前記割振りに基づいて決定される、Ｃ１に記載の方法。
［Ｃ８］
ＲＵの前記セットの前記ＲＵが、２６個のトーン、２４２個のトーン、または４８４個のトーンのうちの少なくとも１つのサイズを有する、Ｃ１に記載の方法。
［Ｃ９］
２６個のトーンを含むＲＵの前記セットの各ＲＵについて、前記２６個のトーンが、２４個のデータトーンと２つのパイロットトーンとを含む、Ｃ１に記載の方法。
［Ｃ１０］
２４２個のトーンを含むＲＵの前記セットの各ＲＵについて、前記２４２個のトーンが、２３４個のデータトーンと８つのパイロットトーンとを含む、Ｃ１に記載の方法。
［Ｃ１１］
４８４個のトーンを含むＲＵの前記セットの各ＲＵについて、前記４８４個のトーンが、４６８個のデータトーンと１６個のパイロットトーンとを含む、Ｃ１に記載の方法。
［Ｃ１２］
前記帯域幅が、２０ＭＨｚ、４０ＭＨｚ、または８０ＭＨｚである、Ｃ１に記載の方法。
［Ｃ１３］
前記帯域幅が２０ＭＨｚであり、ここにおいて、ＲＵの前記セットが９つのＲＵを含み、ここにおいて、ＲＵの前記セットの各ＲＵが、２６個のトーンを含み、
ここにおいて、前記チャネルがいくつかの直流（ＤＣ）トーンを含み、ここにおいて、ＲＵの前記セットの１つのＲＵが、第１の部分と第２の部分とを含み、ここにおいて、前記第１の部分が、周波数において前記いくつかのＤＣトーンの上にあり、前記第２の部分が、周波数において前記いくつかのＤＣトーンの下にある、
Ｃ１に記載の方法。
［Ｃ１４］
前記帯域幅が４０ＭＨｚであり、ここにおいて、ＲＵの前記セットが、１６個のＲＵ、１７個のＲＵ、１８個のＲＵ、または１９個のＲＵを含み、ここにおいて、ＲＵの前記セットの各ＲＵが、２６個のトーンを含む、Ｃ１に記載の方法。
［Ｃ１５］
ＲＵの前記セットが１８個のＲＵを含む、Ｃ１４に記載の方法。
［Ｃ１６］
前記チャネルが、５つまたはそれ以上の直流（ＤＣ）トーンを含む、Ｃ１４に記載の方法。
［Ｃ１７］
前記帯域幅が４０ＭＨｚであり、ここにおいて、ＲＵの前記セットが２つのＲＵを含み、ここにおいて、ＲＵの前記セットの各ＲＵが、２４２個のトーンを含む、Ｃ１に記載の方法。
［Ｃ１８］
前記チャネルが、５つまたはそれ以上の直流（ＤＣ）トーンを含む、Ｃ１７に記載の方法。
［Ｃ１９］
前記帯域幅が８０ＭＨｚであり、ここにおいて、ＲＵの前記セットが、３２個またはそれ以上のＲＵを含み、ここにおいて、ＲＵの前記セットの各ＲＵが、２６個のトーンを含む、Ｃ１に記載の方法。
［Ｃ２０］
ＲＵの前記セットが３７個のＲＵを含む、Ｃ１９に記載の方法。
［Ｃ２１］
前記帯域幅が８０ＭＨｚであり、ここにおいて、ＲＵの前記セットが４つのＲＵを含み、ここにおいて、ＲＵの前記セットの各ＲＵが、２４２個のトーンを含む、Ｃ１に記載の方法。
［Ｃ２２］
前記帯域幅が８０ＭＨｚであり、ここにおいて、ＲＵの前記セットが２つのＲＵを含み、ここにおいて、ＲＵの前記セットの各ＲＵが、４８４個のトーンを含む、Ｃ１に記載の方法。
［Ｃ２３］
ワイヤレス通信のための装置であって、前記装置が、局（ＳＴＡ）またはアクセスポイント（ＡＰ）であり、
メモリと、
前記メモリに結合された少なくとも１つのプロセッサと
を備え、前記少なくとも１つのプロセッサは、
送信時間期間においてチャネルの帯域幅にわたって延びるリソースユニット（ＲＵ）のセットのＲＵの第１のサブセットを決定することと、ＲＵの前記第１のサブセットが、ＲＵの前記セットよりも少ないＲＵを含み、ＲＵの前記セットの各ＲＵが、少なくとも２６個のトーンを含む、
前記ＲＵの前記第１のサブセット中のデータまたは制御情報のうちの少なくとも１つを通信することと
を行うように構成された、
装置。
［Ｃ２４］
前記帯域幅が複数のトーンを備え、ここにおいて、前記複数のトーンが、前記帯域幅の外側エッジ部分に位置するいくつかのガードトーンと、前記帯域幅の中心部分に位置するいくつかの直流（ＤＣ）トーンとを含む、Ｃ２３に記載の装置。
［Ｃ２５］
前記装置がＡＰであり、ここにおいて、前記少なくとも１つのプロセッサは、
前記送信時間期間において前記ガードトーンと前記ＤＣトーンとを除外した前記複数のトーンを、ＲＵの前記セットに割り振ることと、
複数のＳＴＡとの通信のための、ＲＵの前記セットの複数のサブセットを割り振ることと、ここにおいて、前記第１のサブセットが、第１のＳＴＡとの通信のためのものであり、前記複数のサブセットの前記割振りに基づいて決定され、ここにおいて、前記第１のサブセット中のデータまたは制御情報のうちの前記少なくとも１つの前記通信が、前記第１のＳＴＡとのものである、
を行うようにさらに構成された、Ｃ２４に記載の装置。
［Ｃ２６］
前記少なくとも１つのプロセッサが、フレームを前記複数のＳＴＡに送信するようにさらに構成され、ここにおいて、前記フレームが、複数のサブセットの前記割振りを示す情報を含む、Ｃ２５に記載の装置。
［Ｃ２７］
前記少なくとも１つのプロセッサは、
前記複数のサブセットの前記割振りに基づいて、前記複数のＳＴＡのうちの第２のＳＴＡとの通信のための、ＲＵの前記セットのＲＵの第２のサブセットを決定することと、ＲＵの前記第２のサブセットが、ＲＵの前記セットよりも少ないＲＵを含む、
前記ＲＵの前記第２のサブセット中のデータまたは制御情報のうちの少なくとも１つを、前記第２のＳＴＡと通信することと
を行うようにさらに構成された、Ｃ２５に記載の装置。
［Ｃ２８］
前記第１のＳＴＡとの前記通信と、第２のＳＴＡとの前記通信とがコンカレントである、Ｃ２５に記載の装置。
［Ｃ２９］
前記装置がＳＴＡであり、ここにおいて、前記少なくとも１つのプロセッサが、前記装置と通信するためのＲＵの前記セットの前記第１のサブセットの割振りを示す情報を含むフレームを受信するようにさらに構成され、ここにおいて、前記第１のサブセットが、前記割振りに基づいて決定される、Ｃ２３に記載の装置。
［Ｃ３０］
ＲＵの前記セットの前記ＲＵが、２６個のトーン、２４２個のトーン、または４８４個のトーンのうちの少なくとも１つのサイズを有する、Ｃ２３に記載の装置。
［Ｃ３１］
２６個のトーンを含むＲＵの前記セットの各ＲＵについて、前記２６個のトーンが、２４個のデータトーンと２つのパイロットトーンとを含む、Ｃ２３に記載の装置。
［Ｃ３２］
２４２個のトーンを含むＲＵの前記セットの各ＲＵについて、前記２４２個のトーンが、２３４個のデータトーンと８つのパイロットトーンとを含む、Ｃ２３に記載の装置。
［Ｃ３３］
４８４個のトーンを含むＲＵの前記セットの各ＲＵについて、前記４８４個のトーンが、４６８個のデータトーンと１６個のパイロットトーンとを含む、Ｃ２３に記載の装置。
［Ｃ３４］
前記帯域幅が、２０ＭＨｚ、４０ＭＨｚ、または８０ＭＨｚである、Ｃ２３に記載の装置。
［Ｃ３５］
前記帯域幅が２０ＭＨｚであり、ここにおいて、ＲＵの前記セットが９つのＲＵを含み、ここにおいて、ＲＵの前記セットの各ＲＵが、２６個のトーンを含み、
ここにおいて、前記チャネルがいくつかの直流（ＤＣ）トーンを含み、ここにおいて、ＲＵの前記セットの１つのＲＵが、第１の部分と第２の部分とを含み、ここにおいて、前記第１の部分が、周波数において前記いくつかのＤＣトーンの上にあり、前記第２の部分が、周波数において前記いくつかのＤＣトーンの下にある、
Ｃ２３に記載の装置。
［Ｃ３６］
前記帯域幅が４０ＭＨｚであり、ここにおいて、ＲＵの前記セットが、１６個のＲＵ、１７個のＲＵ、１８個のＲＵ、または１９個のＲＵを含み、ここにおいて、ＲＵの前記セットの各ＲＵが、２６個のトーンを含む、Ｃ２３に記載の装置。
［Ｃ３７］
ＲＵの前記セットが１８個のＲＵを含む、Ｃ３６に記載の装置。
［Ｃ３８］
前記チャネルが、５つまたはそれ以上の直流（ＤＣ）トーンを含む、Ｃ３６に記載の装置。
［Ｃ３９］
前記帯域幅が４０ＭＨｚであり、ここにおいて、ＲＵの前記セットが２つのＲＵを含み、ここにおいて、ＲＵの前記セットの各ＲＵが、２４２個のトーンを含む、Ｃ２３に記載の装置。
［Ｃ４０］
前記チャネルが、５つまたはそれ以上の直流（ＤＣ）トーンを含む、Ｃ３９に記載の装置。
［Ｃ４１］
前記帯域幅が８０ＭＨｚであり、ここにおいて、ＲＵの前記セットが、３２個またはそれ以上のＲＵを含み、ここにおいて、ＲＵの前記セットの各ＲＵが、２６個のトーンを含む、Ｃ２３に記載の装置。
［Ｃ４２］
ＲＵの前記セットが３７個のＲＵを含む、Ｃ４１に記載の装置。
［Ｃ４３］
前記帯域幅が８０ＭＨｚであり、ここにおいて、ＲＵの前記セットが４つのＲＵを含み、ここにおいて、ＲＵの前記セットの各ＲＵが、２４２個のトーンを含む、Ｃ２３に記載の装置。
［Ｃ４４］
前記帯域幅が８０ＭＨｚであり、ここにおいて、ＲＵの前記セットが２つのＲＵを含み、ここにおいて、ＲＵの前記セットの各ＲＵが、４８４個のトーンを含む、Ｃ２３に記載の装置。
［Ｃ４５］
ワイヤレス通信のための装置であって、前記装置が、局（ＳＴＡ）またはアクセスポイント（ＡＰ）であり、
送信時間期間においてチャネルの帯域幅にわたって延びるリソースユニット（ＲＵ）のセットのＲＵの第１のサブセットを決定するための手段と、ＲＵの前記第１のサブセットが、ＲＵの前記セットよりも少ないＲＵを含み、ＲＵの前記セットの各ＲＵが、少なくとも２６個のトーンを含む、
前記ＲＵの前記第１のサブセット中のデータまたは制御情報のうちの少なくとも１つを通信するための手段と
を備える、装置。
［Ｃ４６］
前記帯域幅が複数のトーンを備え、ここにおいて、前記複数のトーンが、前記帯域幅の外側エッジ部分に位置するいくつかのガードトーンと、前記帯域幅の中心部分に位置するいくつかの直流（ＤＣ）トーンとを含む、Ｃ４５に記載の装置。
［Ｃ４７］
前記装置がＡＰであり、前記装置は、
前記送信時間期間において前記ガードトーンと前記ＤＣトーンとを除外した前記複数のトーンを、ＲＵの前記セットに割り振るための手段と、
複数のＳＴＡとの通信のための、ＲＵの前記セットの複数のサブセットを割り振るための手段と、ここにおいて、前記第１のサブセットが、第１のＳＴＡとの通信のためのものであり、前記複数のサブセットの前記割振りに基づいて決定され、ここにおいて、前記第１のサブセット中のデータまたは制御情報のうちの前記少なくとも１つの前記通信が、前記第１のＳＴＡとのものである、
をさらに備える、Ｃ４６に記載の装置。
［Ｃ４８］
フレームを前記複数のＳＴＡに送信するための手段をさらに備え、ここにおいて、前記フレームが、複数のサブセットの前記割振りを示す情報を含む、Ｃ４７に記載の装置。
［Ｃ４９］
前記複数のサブセットの前記割振りに基づいて、前記複数のＳＴＡのうちの第２のＳＴＡとの通信のための、ＲＵの前記セットのＲＵの第２のサブセットを決定するための手段と、ＲＵの前記第２のサブセットが、ＲＵの前記セットよりも少ないＲＵを含む、
前記ＲＵの前記第２のサブセット中のデータまたは制御情報のうちの少なくとも１つを、前記第２のＳＴＡと通信するための手段と
をさらに備える、Ｃ４７に記載の装置。
［Ｃ５０］
前記第１のＳＴＡとの前記通信と、第２のＳＴＡとの前記通信とがコンカレントである、Ｃ４７に記載の装置。
［Ｃ５１］
前記装置がＳＴＡであり、前記装置が、前記装置と通信するためのＲＵの前記セットの前記第１のサブセットの割振りを示す情報を含むフレームを受信するための手段をさらに備え、ここにおいて、前記第１のサブセットが、前記割振りに基づいて決定される、Ｃ４５に記載の装置。
［Ｃ５２］
ＲＵの前記セットの前記ＲＵが、２６個のトーン、２４２個のトーン、または４８４個のトーンのうちの少なくとも１つのサイズを有する、Ｃ４５に記載の装置。
［Ｃ５３］
２６個のトーンを含むＲＵの前記セットの各ＲＵについて、前記２６個のトーンが、２４個のデータトーンと２つのパイロットトーンとを含む、Ｃ４５に記載の装置。
［Ｃ５４］
２４２個のトーンを含むＲＵの前記セットの各ＲＵについて、前記２４２個のトーンが、２３４個のデータトーンと８つのパイロットトーンとを含む、Ｃ４５に記載の装置。
［Ｃ５５］
４８４個のトーンを含むＲＵの前記セットの各ＲＵについて、前記４８４個のトーンが、４６８個のデータトーンと１６個のパイロットトーンとを含む、Ｃ４５に記載の装置。
［Ｃ５６］
前記帯域幅が、２０ＭＨｚ、４０ＭＨｚ、または８０ＭＨｚである、Ｃ４５に記載の装置。
［Ｃ５７］
前記帯域幅が２０ＭＨｚであり、ここにおいて、ＲＵの前記セットが９つのＲＵを含み、ここにおいて、ＲＵの前記セットの各ＲＵが、２６個のトーンを含み、
ここにおいて、前記チャネルがいくつかの直流（ＤＣ）トーンを含み、ここにおいて、ＲＵの前記セットの１つのＲＵが、第１の部分と第２の部分とを含み、ここにおいて、前記第１の部分が、周波数において前記いくつかのＤＣトーンの上にあり、前記第２の部分が、周波数において前記いくつかのＤＣトーンの下にある、
Ｃ４５に記載の装置。
［Ｃ５８］
前記帯域幅が４０ＭＨｚであり、ここにおいて、ＲＵの前記セットが、１６個のＲＵ、１７個のＲＵ、１８個のＲＵ、または１９個のＲＵを含み、ここにおいて、ＲＵの前記セットの各ＲＵが、２６個のトーンを含む、Ｃ４５に記載の装置。
［Ｃ５９］
ＲＵの前記セットが１８個のＲＵを含む、Ｃ５８に記載の装置。
［Ｃ６０］
前記チャネルが、５つまたはそれ以上の直流（ＤＣ）トーンを含む、Ｃ５８に記載の装置。
［Ｃ６１］
前記帯域幅が４０ＭＨｚであり、ここにおいて、ＲＵの前記セットが２つのＲＵを含み、ここにおいて、ＲＵの前記セットの各ＲＵが、２４２個のトーンを含む、Ｃ４５に記載の装置。
［Ｃ６２］
前記チャネルが、５つまたはそれ以上の直流（ＤＣ）トーンを含む、Ｃ６１に記載の装置。
［Ｃ６３］
前記帯域幅が８０ＭＨｚであり、ここにおいて、ＲＵの前記セットが、３２個またはそれ以上のＲＵを含み、ここにおいて、ＲＵの前記セットの各ＲＵが、２６個のトーンを含む、Ｃ４５に記載の装置。
［Ｃ６４］
ＲＵの前記セットが３７個のＲＵを含む、Ｃ６３に記載の装置。
［Ｃ６５］
前記帯域幅が８０ＭＨｚであり、ここにおいて、ＲＵの前記セットが４つのＲＵを含み、ここにおいて、ＲＵの前記セットの各ＲＵが、２４２個のトーンを含む、Ｃ４５に記載の装置。
［Ｃ６６］
前記帯域幅が８０ＭＨｚであり、ここにおいて、ＲＵの前記セットが２つのＲＵを含み、ここにおいて、ＲＵの前記セットの各ＲＵが、４８４個のトーンを含む、Ｃ４５に記載の装置。
［Ｃ６７］
ワイヤレスデバイスにおけるワイヤレス通信のためのコンピュータ実行可能コードを記憶するコンピュータ可読媒体であって、前記ワイヤレスデバイスが、局（ＳＴＡ）またはアクセスポイント（ＡＰ）であり、
送信時間期間においてチャネルの帯域幅にわたって延びるリソースユニット（ＲＵ）のセットのＲＵの第１のサブセットを決定することと、ＲＵの前記第１のサブセットが、ＲＵの前記セットよりも少ないＲＵを含み、ＲＵの前記セットの各ＲＵが、少なくとも２６個のトーンを含む、
前記ＲＵの前記第１のサブセット中のデータまたは制御情報のうちの少なくとも１つを通信することと
を行うためのコードを備える、コンピュータ可読媒体。
［Ｃ６８］
前記帯域幅が複数のトーンを備え、ここにおいて、前記複数のトーンが、前記帯域幅の外側エッジ部分に位置するいくつかのガードトーンと、前記帯域幅の中心部分に位置するいくつかの直流（ＤＣ）トーンとを含む、Ｃ６７に記載のコンピュータ可読媒体。
［Ｃ６９］
前記ワイヤレスデバイスがＡＰであり、前記コンピュータ可読媒体は、
前記送信時間期間において前記ガードトーンと前記ＤＣトーンとを除外した前記複数のトーンを、ＲＵの前記セットに割り振ることと、
複数のＳＴＡとの通信のための、ＲＵの前記セットの複数のサブセットを割り振ることと、ここにおいて、前記第１のサブセットが、第１のＳＴＡとの通信のためのものであり、前記複数のサブセットの前記割振りに基づいて決定され、ここにおいて、前記第１のサブセット中のデータまたは制御情報のうちの前記少なくとも１つの前記通信が、前記第１のＳＴＡとのものである、
を行うためのコードをさらに備える、Ｃ６８に記載のコンピュータ可読媒体。
［Ｃ７０］
フレームを前記複数のＳＴＡに送信するためのコードをさらに備え、ここにおいて、前記フレームが、複数のサブセットの前記割振りを示す情報を含む、Ｃ６９に記載のコンピュータ可読媒体。
［Ｃ７１］
前記複数のサブセットの前記割振りに基づいて、前記複数のＳＴＡのうちの第２のＳＴＡとの通信のための、ＲＵの前記セットのＲＵの第２のサブセットを決定することと、ＲＵの前記第２のサブセットが、ＲＵの前記セットよりも少ないＲＵを含む、
前記ＲＵの前記第２のサブセット中のデータまたは制御情報のうちの少なくとも１つを、前記第２のＳＴＡと通信することと
を行うためのコードをさらに備える、Ｃ６９に記載のコンピュータ可読媒体。
［Ｃ７２］
前記第１のＳＴＡとの前記通信と、第２のＳＴＡとの前記通信とがコンカレントである、Ｃ６９に記載のコンピュータ可読媒体。
［Ｃ７３］
前記ワイヤレスデバイスがＳＴＡであり、前記コンピュータ可読媒体が、前記ワイヤレスデバイスと通信するためのＲＵの前記セットの前記第１のサブセットの割振りを示す情報を含むフレームを受信するためのコードをさらに備え、ここにおいて、前記第１のサブセットが、前記割振りに基づいて決定される、Ｃ６７に記載のコンピュータ可読媒体。
［Ｃ７４］
ＲＵの前記セットの前記ＲＵが、２６個のトーン、２４２個のトーン、または４８４個のトーンのうちの少なくとも１つのサイズを有する、Ｃ６７に記載のコンピュータ可読媒体。
［Ｃ７５］
２６個のトーンを含むＲＵの前記セットの各ＲＵについて、前記２６個のトーンが、２４個のデータトーンと２つのパイロットトーンとを含む、Ｃ６７に記載のコンピュータ可読媒体。
［Ｃ７６］
２４２個のトーンを含むＲＵの前記セットの各ＲＵについて、前記２４２個のトーンが、２３４個のデータトーンと８つのパイロットトーンとを含む、Ｃ６７に記載のコンピュータ可読媒体。
［Ｃ７７］
４８４個のトーンを含むＲＵの前記セットの各ＲＵについて、前記４８４個のトーンが、４６８個のデータトーンと１６個のパイロットトーンとを含む、Ｃ６７に記載のコンピュータ可読媒体。
［Ｃ７８］
前記帯域幅が、２０ＭＨｚ、４０ＭＨｚ、または８０ＭＨｚである、Ｃ６７に記載のコンピュータ可読媒体。
［Ｃ７９］
前記帯域幅が２０ＭＨｚであり、ここにおいて、ＲＵの前記セットが９つのＲＵを含み、ここにおいて、ＲＵの前記セットの各ＲＵが、２６個のトーンを含み、
ここにおいて、前記チャネルがいくつかの直流（ＤＣ）トーンを含み、ここにおいて、ＲＵの前記セットの１つのＲＵが、第１の部分と第２の部分とを含み、ここにおいて、前記第１の部分が、周波数において前記いくつかのＤＣトーンの上にあり、前記第２の部分が、周波数において前記いくつかのＤＣトーンの下にある、
Ｃ６７に記載のコンピュータ可読媒体。
［Ｃ８０］
前記帯域幅が４０ＭＨｚであり、ここにおいて、ＲＵの前記セットが、１６個のＲＵ、１７個のＲＵ、１８個のＲＵ、または１９個のＲＵを含み、ここにおいて、ＲＵの前記セットの各ＲＵが、２６個のトーンを含む、Ｃ６７に記載のコンピュータ可読媒体。
［Ｃ８１］
ＲＵの前記セットが１８個のＲＵを含む、Ｃ８０に記載のコンピュータ可読媒体。
［Ｃ８２］
前記チャネルが、５つまたはそれ以上の直流（ＤＣ）トーンを含む、Ｃ８０に記載のコンピュータ可読媒体。
［Ｃ８３］
前記帯域幅が４０ＭＨｚであり、ここにおいて、ＲＵの前記セットが２つのＲＵを含み、ここにおいて、ＲＵの前記セットの各ＲＵが、２４２個のトーンを含む、Ｃ６７に記載のコンピュータ可読媒体。
［Ｃ８４］
前記チャネルが、５つまたはそれ以上の直流（ＤＣ）トーンを含む、Ｃ８３に記載のコンピュータ可読媒体。
［Ｃ８５］
前記帯域幅が８０ＭＨｚであり、ここにおいて、ＲＵの前記セットが、３２個またはそれ以上のＲＵを含み、ここにおいて、ＲＵの前記セットの各ＲＵが、２６個のトーンを含む、Ｃ６７に記載のコンピュータ可読媒体。
［Ｃ８６］
ＲＵの前記セットが３７個のＲＵを含む、Ｃ８５に記載のコンピュータ可読媒体。
［Ｃ８７］
前記帯域幅が８０ＭＨｚであり、ここにおいて、ＲＵの前記セットが４つのＲＵを含み、ここにおいて、ＲＵの前記セットの各ＲＵが、２４２個のトーンを含む、Ｃ６７に記載のコンピュータ可読媒体。
［Ｃ８８］
前記帯域幅が８０ＭＨｚであり、ここにおいて、ＲＵの前記セットが２つのＲＵを含み、ここにおいて、ＲＵの前記セットの各ＲＵが、４８４個のトーンを含む、Ｃ６７に記載のコンピュータ可読媒体。
【図１】
0006386169.tif 000002
【図２】
0006386169.tif 000003
【図３】
0006386169.tif 000004
【図４】
0006386169.tif 000005
【図５】
0006386169.tif 000006
【図６】
0006386169.tif 000007
【図７】
0006386169.tif 000008
【図８】
0006386169.tif 000009
【図９】
0006386169.tif 000010
【図１０】
0006386169.tif 000011
【図１１】
0006386169.tif 000012
【図１２】
0006386169.tif 000013
【図１３】
0006386169.tif 000014
【図１４】
0006386169.tif 000015
【図１５】
0006386169.tif 000016
【図１６】
0006386169.tif 000017
【図１７】
0006386169.tif 000018
【図１８】
0006386169.tif 000019
【図１９】
0006386169.tif 000020
【図２０】
0006386169.tif 000021
【図２１】
0006386169.tif 000022
【図２２】
0006386169.tif 000023
【図２３】
0006386169.tif 000024
【図２４】
0006386169.tif 000025
【図２５】
0006386169.tif 000026